(57)【要約】  制御シグナリングを送受信するため、および情報を決定するための、方法および装置が提供される。方法は、第１の情報に従って第２の情報を決定するステップを含み、第２の情報は、第１の送信パラメータを通知するために第１の制御シグナリングにおいて使用されるビットの数Ｎ、第１の制御シグナリングにおいて第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数であり、上記方法は、第１の制御シグナリングを送信するステップを含む。
2021515473.tif 000002
【特許請求の範囲】
【請求項１】
情報を決定する方法であって、前記方法は、
第１の情報に従って第２の情報を決定するステップを含み、
前記第２の情報は、
第１の信号の疑似コロケーション（ＱＣＬ）パラメータ、
第１の信号を、第２の信号が位置する時間ドメイン位置で送信する方式、または、
第１の信号を、第２の信号が位置する時間ドメイン位置で受信する方式、
のうちの少なくとも１つを含み、
前記第１の情報は、
前記第２の信号が、指定された制御リソースセット（ＣＯＲＥＳＥＴ）の後の予め定められた時間ウィンドウに存在するか否か、
前記第１の信号と指定されたＣＯＲＥＳＥＴとの間の時間間隔と、予め定められたしきい値Ｘ１との間の関係、
前記第２の信号と指定されたＣＯＲＥＳＥＴとの間の時間間隔と、予め定められたしきい値Ｘ２との間の関係、
前記第１の信号と第１の制御シグナリングとの間の時間間隔と、予め定められたしきい値Ｘ１との間の関係、
前記第２の信号と第２の制御シグナリングとの間の時間間隔と、予め定められたしきい値Ｘ２との間の関係、または、
前記第１の信号に対応する第１の空間受信（Ｒｘ）パラメータと、前記第２の信号に対応する第２の空間Ｒｘパラメータとの間の関係、
という情報のうちの少なくとも１つを含み、Ｘ１およびＸ２は実数である、方法。
【請求項２】
前記第１の信号と前記指定されたＣＯＲＥＳＥＴとの間の前記時間間隔が前記予め定められたしきい値Ｘ１未満である場合、前記第１の信号の前記ＱＣＬパラメータは、前記ＣＯＲＥＳＥＴのＱＣＬパラメータに従って取得され、
前記第１の信号と前記指定されたＣＯＲＥＳＥＴとの間の前記時間間隔が前記予め定められたしきい値Ｘ１以上である場合、前記第１の信号の前記ＱＣＬパラメータは、前記第１の信号の設定情報において設定されたＱＣＬパラメータを通じて取得される、請求項１に記載の方法。
【請求項３】
前記第１の信号と前記指定されたＣＯＲＥＳＥＴとの間の前記時間間隔が前記予め定められたしきい値Ｘ１未満である場合、前記第１の信号の前記ＱＣＬパラメータの優先度は、前記第２の信号のＱＣＬパラメータの優先度よりも高く、
前記第１の信号と前記指定されたＣＯＲＥＳＥＴとの間の時間間隔が前記予め定められたしきい値Ｘ１以上である場合、前記第１の信号の前記ＱＣＬパラメータの優先度は、前記第２の信号のＱＣＬパラメータの優先度よりも低い、請求項１に記載の方法。
【請求項４】
前記第１の信号と前記指定されたＣＯＲＥＳＥＴとの間の前記時間間隔が前記予め定められたしきい値Ｘ１未満である場合、前記第１の信号と前記第２の信号との間に周波数分割多重方式を採用することはできず、
前記第１の信号と前記指定されたＣＯＲＥＳＥＴとの間の時間間隔が前記予め定められたしきい値Ｘ１以上である場合、前記第１の信号と前記第２の信号との間に周波数分割多重方式を採用することができる、請求項１に記載の方法。
【請求項５】
前記第２の信号は、
前記第２の信号は物理層動的制御シグナリングによってスケジューリングされたダウンリンク信号を含むという特徴、
前記第２の信号はダウンリンク物理制御チャネル信号を含むという特徴、
前記第２の信号をスケジューリングする制御シグナリングと前記第１の信号との間の時間間隔は前記予め定められたしきい値Ｘ１未満であるという特徴、または、
前記第２の信号はダウンリンクデータチャネル信号または測定参照信号のうちの少なくとも一方を含むという特徴、
のうちの少なくとも１つを満たす、請求項２、３または４に記載の方法。
【請求項６】
前記第１の信号は、
前記第１の信号をスケジューリングする制御シグナリングは、前記第２の信号が位置する時間ドメイン信号よりも前であるという特徴、
前記第１の信号をスケジューリングする制御シグナリングと、前記第２の信号が位置する時間ドメインシンボルとの間の間隔は、予め定められたしきい値Ｘ３以上であるという特徴、
前記第１の信号をスケジューリングする制御シグナリングと、前記第１の信号が位置する開始時間ドメインシンボルとの間の間隔は、予め定められたしきい値Ｘ３以上であるという特徴、
前記第１の信号は物理層動的制御シグナリングによってスケジューリングされたダウンリンク信号を含むという特徴、
前記第１の信号は周期的ダウンリンク測定参照信号を含むという特徴、または、
前記第１の信号はダウンリンク制御チャネル信号を含むという特徴、
のうちの少なくとも１つを満たし、Ｘ３は実数である、請求項２〜５のいずれか１項に記載の方法。
【請求項７】
前記第１の信号の前記ＱＣＬパラメータは、以下の（ｉ）または（ｉｉ）、
（ｉ）前記第２の信号が、前記指定されたＣＯＲＥＳＥＴの後の前記予め定められた時間ウィンドウにある場合、前記第１の信号の前記ＱＣＬパラメータは、前記第２の信号のＱＣＬパラメータに従って決定され、
前記第２の信号が、前記指定されたＣＯＲＥＳＥＴの後の前記予め定められた時間ウィンドウにない場合、前記第１の信号の前記ＱＣＬパラメータは、前記第２の信号の前記ＱＣＬパラメータに従って決定されない、または、
（ｉｉ）前記第２の信号が、前記指定されたＣＯＲＥＳＥＴの後の前記予め定められた時間ウィンドウにあり、かつ、前記第１の信号と前記第１の信号をスケジューリングする制御シグナリングとの間の時間間隔が、前記予め定められたしきい値Ｘ１未満である場合、前記第１の信号の前記ＱＣＬパラメータは、前記指定されたＣＯＲＥＳＥＴのＱＣＬパラメータに従って取得されず、
前記第２の信号が、前記指定されたＣＯＲＥＳＥＴの後の前記予め定められた時間ウィンドウになく、かつ、前記第１の信号と前記第１の信号をスケジューリングする制御シグナリングとの間の前記時間間隔が、前記予め定められたしきい値Ｘ１未満である場合、前記第１の信号の前記ＱＣＬパラメータは、指定されたＣＯＲＥＳＥＴのＱＣＬパラメータに従って取得される、
のうちの少なくとも一方を満たす、請求項１に記載の方法。
【請求項８】
前記第１の信号および前記第２の信号は、
前記第２の信号の前記空間Ｒｘパラメータは、前記第１の信号の前記空間Ｒｘパラメータとは異なるという特徴、
前記第２の信号の前記空間Ｒｘパラメータに対応する空間フィルタと、前記第１の信号の前記空間Ｒｘパラメータに対応する空間フィルタとは、第１の通信ノードによって同時に生成されることはできないという特徴、
前記第２の信号および前記第１の信号は、異なるコンポーネントキャリア（ＣＣ）に属するという特徴、
前記第１の信号が位置する時間ドメイン位置と前記第２の信号が位置する時間ドメイン位置との交差部分は、空でないセットであるという特徴、
前記第１の信号および前記第２の信号は、同一の時間ドメイン位置にあるという特徴、または、
前記第２の信号の優先度は前記第１の信号の優先度よりも高いという特徴、
のうちの少なくとも１つを満たす、請求項１に記載の方法。
【請求項９】
前記第２の情報が前記第１の信号の前記ＱＣＬパラメータである場合、前記第１の情報に従って前記第２の情報を決定するステップは、
前記第１の情報に従って、
前記第１の信号の前記ＱＣＬパラメータと前記第２の信号のＱＣＬパラメータとの間の優先度、
前記第１の信号の設定情報において設定されたＱＣＬパラメータと、指定されたＣＯＲＥＳＥＴのＱＣＬパラメータとの間の優先度、または
前記第１の信号と前記第１の信号をスケジューリングする制御シグナリングとの間の時間間隔が予め定められたしきい値Ｘ１未満である場合、前記第１の信号の前記ＱＣＬパラメータが指定されたＣＯＲＥＳＥＴのＱＣＬパラメータに従って取得されるか否か、
という情報のうちの少なくとも１つを決定するステップを含む、請求項１に記載の方法。
【請求項１０】
前記第２の情報が、前記第２の信号が位置する前記時間ドメイン位置において前記第１の信号を受信する方式である場合、前記第１の情報に従って前記第２の情報を決定するステップは、
前記第１の情報に従って、
前記第１の信号が、前記第２の信号が位置する前記時間ドメイン位置で受信されるか否かの情報、
前記第２の位置が位置する前記時間ドメイン位置において制御チャネルが検出されるか否かの情報であって、前記第１の信号は制御チャネル信号である、情報、
前記第２の信号が位置する前記時間ドメイン位置における、前記第１の信号の前記ＱＣＬパラメータと前記第２の信号のＱＣＬパラメータとの間の優先度の情報、
周波数分割多重方式を前記第１の信号と前記第２の信号との間に適用できるか否かの情報、または
前記第１の信号が位置し得る時間ドメイン位置が前記第２の信号が位置する前記時間ドメイン位置を含むか否かの情報、
のうちの少なくとも１つを決定するステップを含む、請求項１に記載の方法。
【請求項１１】
前記第２の情報が、前記第２の信号が位置する前記時間ドメイン位置において前記第１の信号を送信する方式である場合、前記第１の情報に従って前記第２の情報を決定するステップは、
前記第１の情報に従って、
前記第１の信号が、前記第２の信号が位置する前記時間ドメイン位置で送信されるか否かの情報、
前記第２の位置が位置する前記時間ドメイン位置において制御チャネルが送信されるか否かの情報であって、前記第１の信号は制御チャネル信号を含む、情報、
前記第２の信号が位置する前記時間ドメイン位置における、前記第１の信号の前記ＱＣＬパラメータと前記第２の信号のＱＣＬパラメータとの間の優先度の情報、
周波数分割多重方式を前記第１の信号と前記第２の信号との間に適用できるか否かの情報、または
前記第１の信号が位置し得る時間ドメイン位置が前記第２の信号が位置する前記時間ドメイン位置を含むか否かの情報、
のうちの少なくとも１つを決定するステップを含む、請求項１に記載の方法。
【請求項１２】
前記第２の信号が位置する前記時間ドメイン位置は、以下の時間ドメイン位置、すなわち、
前記第２の信号が位置する時間ドメインシンボル、または、
前記第２の信号が位置する時間ユニット、
のうちの少なくとも１つを含む、請求項１〜１１のいずれか１項に記載の方法。
【請求項１３】
前記第１の信号をスケジューリングする前記第１の制御シグナリングと前記第１の信号との間の前記時間間隔が前記予め定められたしきい値Ｘ１以上であり、かつ、前記第２の信号をスケジューリングする前記第２の制御シグナリングと前記第２の信号との間の前記時間間隔が前記予め定められたしきい値Ｘ２以上である場合、前記第１の信号および前記第２の信号は、空間ＲｘパラメータについてＱＣＬ関係を満たさないという特徴、
前記第１の信号をスケジューリングする前記第１の制御シグナリングと前記第１の信号との間の前記間隔が前記予め定められたしきい値Ｘ１未満であり、かつ、前記第２の信号をスケジューリングする前記第２の制御シグナリングと前記第２の信号との間の前記間隔が前記予め定められたしきい値Ｘ２以上である場合、前記第１の信号の前記ＱＣＬパラメータは、前記第２の信号のＱＣＬパラメータに従って決定されるという特徴、
前記第１の信号をスケジューリングする前記第１の制御シグナリングと前記第１の信号との間の前記間隔が前記予め定められたしきい値Ｘ１未満であり、かつ、前記第２の信号をスケジューリングする前記第２の制御シグナリングと前記第２の信号との間の前記間隔が前記予め定められたしきい値Ｘ２未満である場合、前記第１の信号の前記ＱＣＬパラメータの優先度および前記第２の信号のＱＣＬパラメータの優先度は、合意されたルールまたはシグナリング情報に従って取得されるという特徴、
を満たす設定を受信しないステップをさらに含む、請求項１に記載の方法。
【請求項１４】
前記第１の情報は、
前記指定されたＣＯＲＥＳＥＴに含まれる制御シグナリングが送信設定指示（ＴＣＩ）フィールドを含むか否か、
前記第１の信号または前記第２の信号の少なくとも一方が位置するキャリア周波数と、予め定められたしきい値Ｇとの間の関係、
前記予め定められたしきい値Ｘ１または前記予め定められたしきい値Ｘ２のうちの少なくとも一方が０であるか否か、
空間Ｒｘパラメータで構成された少なくとも１つのＣＯＲＥＳＥＴが、指定されたＣＯＲＥＳＥＴに存在するか否か、
空間Ｒｘパラメータで構成された少なくとも１つのＣＯＲＥＳＥＴが、第１の通信ノードによって検出される必要があるＣＯＲＥＳＥＴセットに存在するか否か、
前記第１の信号または前記第２の信号のうちの一方に対応付けられたＴＣＩ状態プールに少なくとも１つのＴＣＩ状態が存在するか否かという情報であって、前記少なくとも１つのＴＣＩ状態の参照信号（ＲＳ）セットに対応するＱＣＬパラメータは、空間Ｒｘパラメータを含む、または、
前記第１の信号または前記第２の信号のうちの一方に対応付けられたアクティベーションＴＣＩ状態プールに少なくとも１つのＴＣＩ状態が存在するか否かという情報であって、前記少なくとも１つのＴＣＩ状態のＲＳセットに対応するＱＣＬパラメータは、空間Ｒｘパラメータを含む、
という情報のうちの少なくとも１つをさらに含み、
前記第１の通信ノードは前記第１の信号を受信するための通信ノードである、請求項１〜１３のいずれか１項に記載の方法。
【請求項１５】
前記第１の情報が、前記第１の信号に対応する前記第１の空間Ｒｘパラメータと、前記第２の信号に対応する前記第２の空間Ｒｘパラメータとの間の前記関係である場合、前記第１の情報に従って前記第２の情報を決定するステップは、
前記第１の信号および前記第２の信号が空間ＲｘパラメータについてＱＣＬ関係を満たす場合、前記第１の信号が位置し得る時間ドメインシンボルは、前記第２の信号が位置する時間ドメインシンボルを含むという方式、
前記第１の信号および前記第２の信号が空間ＲｘパラメータについてＱＣＬ関係を満たさない場合、前記第１の信号が位置し得る時間ドメインシンボルは、前記第２の信号が位置する時間ドメインシンボルを含まないという方式、
前記第１の空間Ｒｘパラメータに対応する空間フィルタおよび前記第２の空間Ｒｘパラメータに対応する空間フィルタを、第１の通信ノードによって同時に生成できる場合、前記第１の信号が位置し得る時間ドメインシンボルは、前記第２の信号が位置する時間ドメインシンボルを含むという方式、または、
前記第１の空間Ｒｘパラメータに対応する空間フィルタおよび前記第２の空間Ｒｘパラメータに対応する空間フィルタを、第１の通信ノードによって同時に生成できない場合、前記第１の信号が位置し得る時間ドメインシンボルは、前記第２の信号が位置する時間ドメインシンボルを含まないという方式、
のうちの少なくとも１つを含む、請求項１に記載の方法。
【請求項１６】
前記第１の情報が、前記第１の信号と前記第１の制御シグナリングとの間の前記時間間隔と、前記予め定められたしきい値Ｘ１との間の関係であり、前記第２の情報が、前記第１の信号の前記ＱＣＬパラメータである場合、前記第１の情報に従って前記第２の情報を決定するステップは、
前記第１の信号のＱＣＬパラメータが１つの時間ユニットにおける異なる時間ドメインシンボルにわたって同一であると判断するステップ、
前記第１の信号のＱＣＬパラメータが異なる時間ユニットにわたって異なり得ると判断するステップ、
前記第１の信号のＱＣＬパラメータのＢ１個のセットとＡ個の時間ユニットとの間に対応関係が存在するステップ、
Ａ個の時間ユニットのうちの各時間ユニットに最も近い時間ユニットにおける予め定められた特徴を有するＣＯＲＥＳＥＴのＱＣＬパラメータに従い、前記第１の信号が位置する前記Ａ個の時間ユニットのうちの各時間ユニットにおける前記第１の信号のＱＣＬパラメータを取得するステップ、または、
前記第１の信号が位置する前記Ａ個の時間ユニットにおいて、前記第１の制御シグナリングと各時間ユニットにおける前記第１の信号との間の時間間隔と、前記予め定められたしきい値Ｘ１との間の関係に従い、前記各時間ユニットにおける前記第１の信号のＱＣＬパラメータを決定するステップ、
のうちの少なくとも１つを含み、
前記第１の信号は前記Ａ個の時間ユニットにあり、Ａは１よりも大きい自然数であり、Ｂ１はＡ以下の負ではない整数である、請求項１に記載の方法。
【請求項１７】
前記第１の情報が、前記第１の信号と前記第１の制御シグナリングとの間の時間間隔と、前記予め定められたしきい値Ｘ１との間の関係であり、前記第２の情報が、前記第１の信号の前記ＱＣＬパラメータである場合、前記第１の情報に従って前記第２の情報を決定するステップは、
前記第１の制御シグナリングとＡ個の時間ユニットのうちの第１のユニットにおける前記第１の信号との間の時間間隔と、前記予め定められたしきい値Ｘ１との間の関係に従い、前記第１の信号の前記ＱＣＬパラメータを決定するステップであって、前記Ａ個の時間ユニットにおける前記第１の信号のＱＣＬパラメータは変化しないままにされるステップ、
Ａ１個の時間ユニットのうちの各時間ユニットに最も近い時間ユニットにおける予め定められた特徴を有するＣＯＲＥＳＥＴのＱＣＬパラメータに従い、前記第１の信号が位置する前記Ａ１個の時間ユニットのうちの前記各時間ユニットにおける前記第１の信号のＱＣＬパラメータを取得するステップであって、前記第１の制御シグナリングと、前記Ａ１個の時間ユニットのうちの最後の時間ユニットにおける前記第１の信号との間の時間間隔は、予め定められたしきい値Ｘ１未満であるステップ、
前記第１の信号が位置するＡ２個の時間ユニットにおける前記第１の信号のＱＣＬパラメータを変化しないままに保つステップ、
前記第１の信号のＱＣＬパラメータのＢ２個のセットとＡ２個の時間ユニットとの間に対応関係が存在するステップ、または
前記第１の信号が位置するＡ２個の時間ユニットにおいて、前記第１の信号のＱＣＬパラメータを変化しないままに保ち、前記第１の制御シグナリングにおいて通知された情報に従い、前記Ａ２個の時間ユニットにおける前記第１の信号の前記ＱＣＬパラメータを決定するステップであって、前記第１の制御シグナリングと前記Ａ２個の時間ユニットのうちの第１のユニットにおける前記第１の信号との間の時間間隔は、前記予め定められたしきい値Ｘ１以上であるステップ、
のうちの少なくとも１つを含み、
前記第１の信号は前記Ａ個の時間ユニットにあり、Ａは１よりも大きい自然数であり、Ａ１およびＡ２は、請求項１に記載の方法。
【請求項１８】
前記第１の情報が、前記第１の信号と前記第１の制御シグナリングとの間の前記時間間隔と前記予め定められたしきい値Ｘ１との間の関係であり、前記第２の情報が、前記第１の信号の前記ＱＣＬパラメータである場合、前記第１の情報に従って前記第２の情報を決定するステップは、
指定されたＣＯＲＥＳＥＴの復調参照信号のＱＣＬパラメータに従って前記第１の信号の前記ＱＣＬパラメータを取得するステップを含み、前記指定されたＣＯＲＥＳＥＴは、
前記指定されたＣＯＲＥＳＥＴは、前記第１の信号に最も近い時間ドメインシンボルにおける最小制御リソースセットＩＤ（ＣＯＲＥＳＥＴ  ＩＤ）を有するＣＯＲＥＳＥＴであるという特徴、
前記指定されたＣＯＲＥＳＥＴは、前記第１の信号に最も近い時間ユニットにおける最小ＣＯＲＥＳＥＴ  ＩＤを有するＣＯＲＥＳＥＴであるという特徴、
前記指定されたＣＯＲＥＳＥＴにおいて、端末が、ダウンリンク信号またはチャネルをスケジューリングする少なくとも１つのダウンリンク制御情報（ＤＣＩ）を検出する必要があるという特徴、
前記指定されたＣＯＲＥＳＥＴは前記第１の信号をスケジューリングする制御シグナリングに関する情報を含まないという特徴、
前記指定されたＣＯＲＥＳＥＴは前記第２の信号をスケジューリングする制御シグナリングに関する情報を含むという特徴、
前記指定されたＣＯＲＥＳＥＴは少なくとも１つの専用サーチ空間に対応付けられるという特徴、
前記指定されたＣＯＲＥＳＥＴは、前記第１の信号に最も近い時間ユニットにおけるすべてのＣＣにおいて最小ＣＯＲＥＳＥＴ  ＩＤを有するＣＯＲＥＳＥＴであるという特徴、
前記指定されたＣＯＲＥＳＥＴは、前記第１の信号に最も近い時間ユニットにおける予め定められたＣＣにおいて最小ＣＯＲＥＳＥＴ  ＩＤを有するＣＯＲＥＳＥＴであるという特徴、
前記指定されたＣＯＲＥＳＥＴは、前記第１の信号に最も近い時間ユニットにおける予め定められたＣＣグループにおいて最小ＣＯＲＥＳＥＴ  ＩＤを有するＣＯＲＥＳＥＴであるという特徴、または、
前記指定されたＣＯＲＥＳＥＴは、時間ユニットにおけるＭ個の予め定められた時間ドメインシンボルにおけるＣＯＲＥＳＥＴであるという特徴、
のうちの少なくとも１つを満たし、Ｍは、前記時間ユニットに含まれる前記時間ドメインシンボルの数以下である、請求項１に記載の方法。
【請求項１９】
前記指定されたＣＯＲＥＳＥＴは、前記第１の信号に最も近い前記時間ユニットにおける前記予め定められたＣＣにおいて前記最小ＣＯＲＥＳＥＴ  ＩＤを有する前記ＣＯＲＥＳＥＴであり、前記予め定められたＣＣは、
前記第１の信号が位置するＣＣ、
前記第１の信号をスケジューリングする制御チャネルが位置するＣＣ、または
前記第１の信号が位置するＣＣグループにおけるプライマリＣＣ、
のうちの１つを含む、請求項１８に記載の方法。
【請求項２０】
前記第１の情報が、（ｉ）前記第１の信号と前記第１の制御シグナリングとの間の前記時間間隔と前記予め定められたしきい値Ｘ１との間の関係、および（ｉｉ）前記第２の信号と前記第２の制御シグナリングとの間の前記時間間隔と前記予め定められたしきい値Ｘ２との間の関係を含み、かつ、前記第２の情報が、前記第１の信号の前記ＱＣＬパラメータを含む場合、
スケジューリングする前記第１の制御シグナリングと前記第１の信号との間の時間間隔が前記予め定められたしきい値Ｘ１以上であり、かつ、スケジューリングする前記第２の制御シグナリングと前記第２の信号との間の前記間隔が前記予め定められたしきい値Ｘ２以上である場合、前記第１の信号および前記第２の信号は、空間ＲｘパラメータについてＱＣＬ関係を満たすという特徴、
スケジューリングする前記第１の制御シグナリングと前記第１の信号との間の時間間隔が前記予め定められたしきい値Ｘ１未満であり、かつ、スケジューリングする前記第２の制御シグナリングと前記第２の信号との間の前記間隔が前記予め定められたしきい値Ｘ２以上である場合、前記第１の信号の前記ＱＣＬパラメータは前記第２の信号のＱＣＬパラメータに従って決定されるという特徴、または
スケジューリングする前記第１の制御シグナリングと前記第１の信号との間の時間間隔が前記予め定められたしきい値Ｘ１未満であり、かつ、スケジューリングする前記第２の制御シグナリングと前記第２の信号との間の前記間隔が前記予め定められたしきい値Ｘ２未満である場合、前記第１の信号の前記ＱＣＬパラメータの優先度および前記第２の信号のＱＣＬパラメータの優先度が、合意されたルールまたはシグナリング情報に従って取得されるという特徴、
のうちの少なくとも１つが満たされる、請求項１に記載の方法。
【請求項２１】
前記第１の情報が、前記第１の信号と前記第１の制御シグナリングとの間の前記時間間隔と、前記予め定められたしきい値Ｘ１との間の関係を含む場合、前記第２の情報は、
前記第１の信号が位置する時間ドメインシンボルのセットと、前記第２の信号が位置する時間ドメインシンボルのセットとの間の差分セットにおける前記第１の信号を受信する方式、または、
前記第１の信号は、１つの時間ユニットの異なる時間ドメインシンボルにおいて、ＱＣＬパラメータについてのＱＣＬ関係を満たすこと、
のうちの少なくとも１つをさらに含む、請求項１〜２０のいずれか１項に記載の方法。
【請求項２２】
前記第１の信号が位置する前記時間ドメインシンボルのセットと前記第２の信号が位置する前記時間ドメインシンボルのセットとの間の前記差分セットにおける前記第１の信号を受信する方式は、
前記差分セットにおける前記第１の信号を受信する前記方式と、交差部における前記第１の信号を受信する方式とは、同一であること、
前記差分セットにおける前記第１の信号を受信する前記方式と、交差部における前記第１の信号を受信する方式とは、異なること、または
前記差分セットにおける前記第１の信号を受信する方式は、前記第１の信号に最も近い時間ユニットにおける指定されたＣＯＲＥＳＥＴのＱＣＬ参照信号に従って、前記第１の信号のＱＣＬ参照信号を取得するステップを含むこと、
のうちの１つを含み、
前記交差部は、前記第１の信号が占める時間ドメインリソースと、前記第２の信号が占める時間ドメインリソースとの交差部である、請求項２１に記載の方法。
【請求項２３】
前記指定されたＣＯＲＥＳＥＴは、
前記指定されたＣＯＲＥＳＥＴは、前記第１の信号に最も近い時間ドメインシンボルにおける最小ＣＯＲＥＳＥＴ  ＩＤを有するＣＯＲＥＳＥＴであるという特徴、
前記指定されたＣＯＲＥＳＥＴは、前記第１の信号に最も近い時間ユニットにおける最小ＣＯＲＥＳＥＴ  ＩＤを有するＣＯＲＥＳＥＴであるという特徴、
前記指定されたＣＯＲＥＳＥＴにおいて、端末が、ダウンリンク信号またはチャネルをスケジューリングする少なくとも１つのＤＣＩを検出する必要があるという特徴、
前記指定されたＣＯＲＥＳＥＴは前記第１の信号をスケジューリングする制御シグナリングに関する情報を含まないという特徴、
前記指定されたＣＯＲＥＳＥＴは前記第２の信号をスケジューリングする制御シグナリングに関する情報を含むという特徴、
前記指定されたＣＯＲＥＳＥＴは少なくとも１つの専用サーチ空間に対応付けられるという特徴、
前記指定されたＣＯＲＥＳＥＴは、前記第１の信号または前記第２の信号のうちの少なくとも一方に最も近い時間ユニットにおけるすべてのＣＣにおいて最小ＣＯＲＥＳＥＴ  ＩＤを有するＣＯＲＥＳＥＴであるという特徴、
前記指定されたＣＯＲＥＳＥＴは、前記第１の信号または前記第２の信号のうちの少なくとも一方に最も近い時間ユニットにおける予め定められたＣＣにおいて最小ＣＯＲＥＳＥＴ  ＩＤを有するＣＯＲＥＳＥＴであるという特徴、
前記指定されたＣＯＲＥＳＥＴは、前記第１の信号または前記第２の信号のうちの少なくとも一方に最も近い時間ユニットにおける予め定められたＣＣグループにおいて最小ＣＯＲＥＳＥＴ  ＩＤを有するＣＯＲＥＳＥＴであるという特徴、または、
前記指定されたＣＯＲＥＳＥＴは、時間ユニットにおけるＭ個の予め定められた時間ドメインシンボルにおけるＣＯＲＥＳＥＴであるという特徴、
のうちの少なくとも１つを満たし、Ｍは、前記時間ユニットに含まれる前記時間ドメインシンボルの数以下である、請求項１〜２２のいずれか１項に記載の方法。
【請求項２４】
前記第１の信号または前記第２の信号のうちの少なくとも一方は、ダウンリンク測定参照信号、ダウンリンク同期信号、ダウンリンク復調参照信号、ダウンリンクデータチャネル信号、またはダウンリンク制御チャネル信号のうちの、少なくとも１つを含む、請求項１〜２２のいずれか１項に記載の方法。
【請求項２５】
前記第２の信号は、
前記第２の信号をスケジューリングする制御シグナリングは、前記第１の信号が位置する時間ドメインシンボルよりも前であるという特徴、
前記第２の信号をスケジューリングする制御シグナリングと、前記第１の信号が位置する時間ドメインシンボルとの間の間隔は、予め定められたしきい値Ｘ３以上であるという特徴、
前記第２の信号をスケジューリングする制御シグナリングと、前記第２の信号が位置する開始時間ドメインシンボルとの間の間隔は、予め定められたしきい値Ｘ３以上であるという特徴、
前記第２の信号は、物理層動的制御シグナリングによってスケジューリングされたダウンリンク信号を含むという特徴、または
前記第２の信号は周期的なダウンリンク測定基準信号を含むという特徴、
のうちの少なくとも１つを満たし、Ｘ３は実数である、請求項１および７〜２４のいずれか１項に記載の方法。
【請求項２６】
前記第１の信号は、
前記第１の信号は物理層動的制御シグナリングによってスケジューリングされたダウンリンク信号を含むという特徴、
前記第１の信号はダウンリンク物理制御チャネル信号を含むという特徴、または、
前記第１の信号をスケジューリングする前記制御シグナリングと前記第１の信号との間の時間間隔は前記予め定められたしきい値Ｘ１未満であるという特徴、
のうちの少なくとも１つを満たす、請求項１および７〜２４のいずれか１項に記載の方法。
【請求項２７】
前記ＱＣＬパラメータは、ドップラーシフト、ドップラースプレッド、平均遅延、遅延スプレッド、平均利得、または空間Ｒｘパラメータ、という情報のうちの少なくとも１つを含む、請求項１〜２４のいずれか１項に記載の方法。
【請求項２８】
前記第１の信号の前記空間Ｒｘパラメータは、前記第１の情報に従って取得され、前記第１の信号の別のＱＣＬパラメータは、前記第１の制御シグナリングに含まれる情報に従って取得され、前記第１の制御シグナリングは前記第１の信号のスケジューリング情報を含む、請求項１〜２４のいずれか１項に記載の方法。
【請求項２９】
疑似コロケーション（ＱＣＬ）参照信号を決定する方法であって、前記方法は、
１つの信号が占める時間ユニットの数Ａが１よりも多い場合、シグナリング情報または予め定められたルールのうちの少なくとも一方に従って前記１つの信号のＱＣＬ参照信号を決定するステップ、または
空間受信（Ｒｘ）パラメータについてＱＣＬ関係をＮ個の信号が同時に満たすこと、
のうちの少なくとも１つを含み、Ｎは２以上の正の整数である、方法。
【請求項３０】
前記Ｎ個の信号は、
異なるＣＣにおけるダウンリンク信号、または
データチャネル信号、制御チャネル信号、ダウンリンク測定参照信号、または復調参照信号、のうちの少なくとも２つ、
のうちの少なくとも一方を同時に含む、請求項２９に記載の方法。
【請求項３１】
前記１つの信号が占める前記時間ユニットの数Ａが１よりも多い場合、前記シグナリング情報または前記予め定められたルールのうちの少なくとも一方に従って前記１つの信号の前記ＱＣＬ参照信号を決定するステップは、
前記１つの信号のＱＣＬ参照信号が１つの時間ユニットにおける異なる時間ドメインシンボルにわたって同一であると判断するステップ、
前記１つの信号のＱＣＬ参照信号が異なる時間ユニットにわたって異なり得ると判断するステップ、
前記１つの信号のＱＣＬ参照信号のＢ１個のセットとＡ個の時間ユニットとの間に対応関係が存在するステップ、
前記Ａ個の時間ユニットのうちの各時間ユニットに最も近い時間ユニットにおける予め定められた特徴を有する制御リソースセット（ＣＯＲＥＳＥＴ）のＱＣＬ参照信号に従い、前記１つの信号が位置する前記Ａ個の時間ユニットのうちの各時間ユニットにおける前記１つの信号のＱＣＬ参照信号を取得するステップ、または、
前記１つの信号が位置する前記Ａ個の時間ユニットのうちの各時間ユニットにおいて、前記１つの信号をスケジューリングする制御シグナリングと前記各時間ユニットにおける前記１つの信号との間の時間間隔と、予め定められたしきい値Ｘ１との間の関係に従い、前記各時間ユニットにおける前記１つの信号のＱＣＬ参照信号を決定するステップ、
のうちの少なくとも１つを含み、
Ｂ１はＡ以下の負でない整数であり、Ｘ１は負でない数である、または、Ｘ１は時間ドメインシンボルの数を示す負でない整数である、請求項２９に記載の方法。
【請求項３２】
前記１つの信号が占める前記時間ユニットの数Ａが１よりも多い場合、前記シグナリング情報または前記予め定められたルールのうちの少なくとも一方に従って前記１つの信号の前記ＱＣＬ参照信号を決定するステップは、
前記１つの信号の前記ＱＣＬ参照信号を、前記Ａ個の時間ユニットのうちの第１のユニットにおける前記１つの信号と、前記１つの信号をスケジューリングする制御シグナリングとの間の時間間隔と、予め定められたしきい値Ｘ１との間の関係に従って決定するステップであって、前記Ａ個の時間ユニットにおける前記１つの信号のＱＣＬ参照信号は変化しないままにされるステップ、
Ａ１個の時間ユニットのうちの各時間ユニットに最も近い時間ユニットにおける予め定められた特徴を有するＣＯＲＥＳＥＴのＱＣＬ参照信号に従い、前記１つの信号が位置する前記Ａ１個の時間ユニットのうちの前記各時間ユニットにおける前記１つの信号のＱＣＬ参照信号を取得するステップであって、前記１つの信号をスケジューリングする制御シグナリングと前記Ａ１個の時間ユニットのうちの最後の時間ユニットにおける前記１つの信号との間の間隔は、予め定められたしきい値Ｘ１未満であるステップ、
前記１つの信号が位置するＡ２個の時間ユニットにおける前記１つの信号のＱＣＬ参照信号を変化しないままにするステップ、
前記１つの信号のＱＣＬ参照信号のＢ２個のセットと、Ａ２個の時間ユニットとの間に対応関係が存在するステップ、または、
Ａ２個の時間ユニットにおける前記１つの信号のＱＣＬ参照信号を、第１の信号をスケジューリングする制御シグナリングにおいて通知された情報に従って決定するステップであって、前記制御シグナリングと、前記Ａ２個の時間ユニットのうちの第１のユニットにおける前記１つの信号との間の間隔は、予め定められたしきい値Ｘ１以上であるステップ、
のうちの少なくとも１つを含み、
Ａ１およびＡ２は、Ａ以下の負でない整数であり、Ｂ２は、Ａ２以下の負でない整数である、請求項２９に記載の方法。
【請求項３３】
前記１つの信号が占める前記時間ユニットの数Ａが１よりも多い場合、前記シグナリング情報または前記予め定められたルールのうちの少なくとも一方に従って前記１つの信号の前記ＱＣＬ参照信号を決定するステップは、
前記１つの信号と前記１つの信号をスケジューリングする制御シグナリングとの間の時間間隔が予め定められたしきい値Ｘ１未満である場合に、前記１つの信号に最も近い時間ユニットにおける予め定められた特徴を満たす制御チャネルリソースのＱＣＬ参照信号に従い、前記１つの信号の前記ＱＣＬ参照信号を取得するステップを含み、前記１つの信号と前記１つの信号をスケジューリングする前記制御シグナリングとの間の前記時間間隔は、
前記Ａ個の時間ユニットのうちの第１のユニットにおける前記１つの信号と、前記１つの信号をスケジューリングする前記制御シグナリングとの間の時間間隔、または、
前記１つの信号が位置する前記Ａ個の時間ユニットのうちの各時間ユニットにおける前記１つの信号と、前記１つの信号をスケジューリングする前記制御シグナリングとの間の時間間隔、
のうちの一方を含む、請求項２９に記載の方法。
【請求項３４】
前記１つの信号に最も近い前記時間ユニットにおける前記予め定められた特徴を満たす前記制御チャネルリソースの前記ＱＣＬ参照信号に従い、前記１つの信号の前記ＱＣＬ参照信号を取得するステップは、
Ａ１個の時間ユニットのうちの各時間ユニットにおける前記１つの信号に最も近い時間ユニットにおいて前記予め定められた特徴を有する制御チャネルリソースのＱＣＬ参照信号に従い、前記１つの信号が位置する前記Ａ１個の時間ユニットのうちの前記各時間ユニットにおける前記１つの信号の前記ＱＣＬ参照信号を取得するステップ、または、
前記Ａ個の時間ユニットの前記第１のユニットにおける前記１つの信号に最も近い時間ユニットにおいて前記予め定められた特徴を有する制御チャネルリソースのＱＣＬ参照信号に従い、前記１つの信号が位置するＡ１個の時間ユニットのうちの各時間ユニットにおける前記１つの信号の前記ＱＣＬ参照信号を取得するステップ、
のうちの一方を含み、
前記Ａ１個の時間ユニットは前記１つの信号が占める前記Ａ個の時間ユニットである、または、前記Ａ１個の時間ユニットのうちの各時間ユニットにおける前記１つの信号と、前記１つの信号をスケジューリングする前記制御シグナリングとの間の時間間隔は、前記予め定められたしきい値Ｘ１未満である、請求項３３に記載の方法。
【請求項３５】
前記１つの信号が占める前記時間ユニットの数Ａが１よりも多い場合、前記シグナリング情報または前記予め定められたルールのうちの少なくとも一方に従って前記１つの信号の前記ＱＣＬ参照信号を決定するステップは、
前記１つの信号のＱＣＬ参照信号のＢ２個のセットとＡ２個の時間ユニットとの間に対応関係が存在すること、
前記１つの信号のＱＣＬ参照信号のＢ２個のセットが、ポーリング方式でＡ２個の時間ユニットに対応すること、または
前記１つの信号をスケジューリングする制御シグナリングは、Ｂ３個の関係を含み、ある関係は、前記Ａ個の時間ユニットの時間ユニットセットに対応し、ある関係は、Ｚ個の復調参照信号（ＤＭＲＳ）グループとＺ個の参照信号（ＲＳ）セットとの間の関係を含み、Ｚは、１以上の正の整数であること、
のうちの少なくとも１つを含み、
ＱＣＬ参照信号の前記Ｂ２個のセットは、前記１つの信号をスケジューリングする前記制御シグナリングに含まれ、または、ＱＣＬ参照信号の前記Ｂ２個のセットのうちのＢ４個のセットは、前記１つの信号をスケジューリングする前記制御シグナリングに含まれ、ＱＣＬ参照信号の前記Ｂ２個のセットのうちのＢ５個のセットは、上位層シグナリングに含まれ、
Ｂ２およびＢ３は、Ａ２以下の負でない整数であり、
前記Ａ２個の時間ユニットのうちの各時間ユニットにおける前記１つの信号と、前記１つの信号をスケジューリングする前記制御シグナリングとの間の時間間隔は、予め定められたしきい値Ｘ１以上である、または、前記Ａ２個の時間ユニットは、前記１つの信号が占める前記Ａ個の時間ユニットである、請求項２９または３３に記載の方法。
【請求項３６】
制御シグナリングを送信する方法であって、前記方法は、
第１の情報に従って第２の情報を決定するステップを含み、
前記第２の情報は、
第１の送信パラメータを通知するために第１の制御シグナリングにおいて使用されるビットの数Ｎ、
第１の制御シグナリングにおいて第１の送信パラメータによって参照されるインデックス値と前記第１の送信パラメータの値との間の対応マッピングテーブル、
第１の制御シグナリングにおいて予め定められた指示フィールドによって通知される第１の送信パラメータのタイプ、または、
第１の送信パラメータを通知するために第１の制御シグナリングにおいて使用されるビットの位置情報、
のうちの少なくとも１つを含み、
前記第１の情報は、前記第１の制御シグナリングと第１の信号との間の送信時間間隔と、予め定められたしきい値Ｋとの間の関係を含み、ＮおよびＫは負でない整数であり、前記方法はさらに、
前記第１の制御シグナリングを送信するステップを含む、方法。
【請求項３７】
前記第１の制御シグナリングと前記第１の信号との間の前記送信時間間隔と、前記予め定められたしきい値Ｋとの間の前記関係が、第１の関係である場合、Ｎの値はＮ１を含み、
前記第１の制御シグナリングと前記第１の信号との間の前記送信時間間隔と、前記予め定められたしきい値Ｋとの間の前記関係が、第２の関係である場合、Ｎの値はＮ２を含み、
Ｎ１およびＮ２は整数である、請求項３６に記載の方法。
【請求項３８】
Ｎ１とＮ２との間の関係は、
Ｎ１はＮ２よりも大きい、
Ｎ１とＮ２の差は、送信設定指示（ＴＣＩ）フィールドが占有するビットの数以下である、または、
Ｎ１とＮ２の差は、第２の送信パラメータを通知するのに必要なビットの数以下である、
のうちの少なくとも１つを満たす、請求項３７に記載の方法。
【請求項３９】
前記第１の制御シグナリングと前記第１の信号との間の前記送信時間間隔と、前記予め定められたしきい値Ｋとの間の前記関係が、第１の関係である場合、前記対応マッピングテーブルは第１の対応マッピングテーブルであり、
前記第１の制御シグナリングと前記第１の信号との間の前記送信時間間隔と、前記予め定められたしきい値Ｋとの間の前記関係が、第２の関係である場合、前記対応マッピングテーブルは第２のマッピングテーブルである、請求項３６に記載の方法。
【請求項４０】
前記第１の対応マッピングテーブル、前記第２の対応マッピングテーブル、送信パラメータ値セット１、または送信パラメータ値セット２は、のうちの１つは、方式１または方式２のうちの少なくとも一方によって決定され、
前記方式１では、送信されるシグナリング情報に内容が含まれ、
前記方式２では、受信端との間でルールが予め合意されており、
前記送信パラメータ値セット１は、前記第１の対応マッピングテーブルに含まれる前記第１の送信パラメータの値セットに対応し、前記送信パラメータ値セット２は、前記第２の対応マッピングテーブルに含まれる前記第１の送信パラメータの値セットに対応し、前記受信端は、前記第１の制御シグナリングを受信するための通信ノードである、請求項３９に記載の方法。
【請求項４１】
前記方法は、
前記第１の送信パラメータのタイプがＴＣＩである場合、前記第１の対応マッピングテーブルにおける各状態の空間受信（Ｒｘ）パラメータに対応付けられたダウンリンク参照信号（ＤＬ−ＲＳ）によって形成されるダウンリンク参照信号（ＤＬ−ＲＳ）セットは、１つのＤＬ−ＲＳのみを含むこと、
前記第１の送信パラメータのタイプがＴＣＩである場合、前記第１の対応マッピングテーブルにおける各状態の空間Ｒｘパラメータに対応付けられたＤＬ−ＲＳによって形成されるＤＬ−ＲＳセットにおける各２つのＤＬ−ＲＳが、前記対応付けられた空間Ｒｘパラメータについて疑似コロケーション（ＱＣＬ）関係を満たすこと、
前記第１の送信パラメータのタイプがＴＣＩである場合、前記第１の対応マッピングテーブルにおける各状態の空間Ｒｘパラメータに対応付けられたＤＬ−ＲＳによって形成されるＤＬ−ＲＳセットのＤＬ−ＲＳは、第１の通信ノードによって同時に受信されることができること、または
前記第１の送信パラメータのタイプがＴＣＩである場合、前記第１の対応マッピングテーブルにおける各状態の空間Ｒｘパラメータに対応付けられたＤＬ−ＲＳによって形成されるＤＬ−ＲＳセットは、空のセットであること、
のうちの少なくとも１つを満たし、
前記第１の通信ノードは、前記第１の信号また前記第１の制御シグナリングのうちの少なくとも一方を受信するための通信ノードである、請求項３９に記載の方法。
【請求項４２】
前記第１の送信パラメータのタイプは、前記第１の制御シグナリングに含まれる、ＴＣＩの送信パラメータタイプを除く、少なくとも１つの送信パラメータタイプを含む、または、
前記第１の送信パラメータのタイプは、ＴＣＩの送信パラメータである、請求項３６に記載の方法。
【請求項４３】
前記第１の送信パラメータは、
前記第１の送信パラメータは前記第１の信号の送信パラメータであること、または、
前記第１の送信パラメータは第２の信号の送信パラメータであること、
のうちの少なくとも一方を満たす、請求項３６に記載の方法。
【請求項４４】
前記第１の信号または前記第２の信号は、復調参照信号、測定参照信号、制御チャネル信号、またはデータチャネル信号、のうちの少なくとも１つを含み、
前記第１の制御シグナリングは物理層制御シグナリングである、請求項４３に記載の方法。
【請求項４５】
前記第１の情報はさらに、
送信される第２の制御シグナリングに含まれる情報、
前記第１の制御シグナリングが位置する制御リソースセット（ＣＯＲＥＳＥＴ）に対応するダウンリンク制御情報に存在する送信設定指示（ＴＣＩ−ＰｒｅｓｅｎｔＩｎＤＣＩ）がイネーブルされるか否かに関する情報、
前記第１の信号または前記第２の信号が位置するキャリア周波数と、予め定められたしきい値Ｇとの間の関係の情報、
第１の通信ノードによってフィードバックされる、サポートされる周波数範囲能力の情報、
前記予め定められたしきい値Ｋが０であるか否かの情報、
空間Ｒｘパラメータで構成された少なくとも１つのＣＯＲＥＳＥＴが、前記第１の通信ノードによって検出される必要があるＣＯＲＥＳＥＴに存在するか否かの情報、
空間Ｒｘパラメータで構成された少なくとも１つのＣＯＲＥＳＥＴが、前記第１の通信ノードによって検出される必要がある専用サーチ空間に対応付けられたＣＯＲＥＳＥＴに存在するか否かの情報、
前記第１の信号または前記第２の信号のうちの一方に最も近い時間ユニットにおける最小制御リソースセットＩＤ（ＣＯＲＥＳＥＴ  ＩＤ）を有するＣＯＲＥＳＥＴが、空間Ｒｘパラメータで構成されているか否かの情報、
前記第１の信号または前記第２の信号のうちの一方に最も近い時間ドメインシンボルにおける最小ＣＯＲＥＳＥＴ  ＩＤを有するＣＯＲＥＳＥＴが、空間Ｒｘパラメータで構成されているか否かの情報、
前記第１の信号または前記第２の信号のうちの一方に対応付けられたＴＣＩ状態プールに少なくとも１つのＴＣＩ状態が存在するか否かの情報であり、前記少なくとも１つのＴＣＩ状態における参照信号（ＲＳ）セットに対応するＱＣＬパラメータは空間Ｒｘパラメータを含む、情報、または、
前記第１の信号または前記第２の信号のうちの一方に対応付けられたアクティベーションＴＣＩ状態プールに少なくとも１つのＴＣＩ状態が存在するか否かの情報であり、前記少なくとも１つのＴＣＩ状態におけるＲＳセットに対応するＱＣＬパラメータは空間Ｒｘパラメータを含む、情報、
のうちの、少なくとも１つの情報を含み、
前記第１の通信ノードは、前記第１の信号または前記第２の信号のうちの少なくとも一方を受信するための通信ノードである、請求項４３に記載の方法。
【請求項４６】
前記第１の制御シグナリングと前記第１の信号との間の前記送信時間間隔と、前記予め定められたしきい値Ｋとの間の前記関係が、第１の関係である場合、前記第１の制御シグナリングにおいて前記予め定められた指示フィールドによって通知される前記第１の送信パラメータのタイプは、送信パラメータの第１のタイプであり、
前記第１の制御シグナリングと前記第１の信号との間の前記送信時間間隔と、前記予め定められたしきい値Ｋとの間の前記関係が、第２の関係である場合、第２の制御シグナリングにおいて予め定められた指示フィールドによって通知される前記第１の送信パラメータのタイプは、送信パラメータの第２のタイプである、請求項３６に記載の方法。
【請求項４７】
前記第１の制御シグナリングと前記第１の信号との間の前記送信時間間隔が前記予め定められたしきい値Ｋ未満である場合、前記関係は、前記第１の関係であり、前記制御シグナリングと前記第１の信号との間の前記送信時間間隔が前記予め定められたしきい値Ｋ以上である場合、前記第１の制御シグナリングと前記第１の信号との間の前記送信時間間隔と、前記予め定められたしきい値Ｋとの間の関係は、前記第２の関係である、または、
前記制御シグナリングと前記第１の信号との間の前記送信時間間隔が前記予め定められたしきい値Ｋ以下である場合、前記第１の制御シグナリングと前記第１の信号との間の前記送信時間間隔と、前記予め定められたしきい値Ｋとの間の関係は、前記第１の関係であり、前記制御シグナリングと前記第１の信号との間の前記送信時間間隔が前記予め定められたしきい値Ｋよりも大きい場合、前記第１の制御シグナリングと前記第１の信号との間の前記送信時間間隔と、前記予め定められたしきい値Ｋとの間の関係は、前記第２の関係である、または
前記制御シグナリングと前記第１の信号との間の前記送信時間間隔が前記予め定められたしきい値Ｋ以上である場合、前記第１の制御シグナリングと前記第１の信号との間の前記送信時間間隔と、前記予め定められたしきい値Ｋとの間の関係は、前記第１の関係であり、前記制御シグナリングと前記第１の信号との間の前記送信時間間隔が前記予め定められたしきい値Ｋ未満である場合、前記第１の制御シグナリングと前記第１の信号との間の前記送信時間間隔と、前記予め定められたしきい値Ｋとの間の関係は、前記第２の関係である、請求項３７、３９または４６に記載の方法。
【請求項４８】
制御シグナリングを受信する方法であって、前記方法は、
第１の情報に従って第２の情報を決定するステップと、
前記第２の情報に従って第１の制御シグナリングを受信するステップとを含み、
前記第２の情報は、
第１の送信パラメータを通知するために前記第１の制御シグナリングにおいて使用されるビットの数Ｎ、
前記第１の制御シグナリングにおける第１の送信パラメータによって参照されるインデックス値と前記第１の送信パラメータの値との間の対応マッピングテーブル、
第１の制御シグナリングにおいて予め定められた指示フィールドによって通知される第１の送信パラメータのタイプ、または、
第１の送信パラメータを通知するために前記第１の制御シグナリングにおいて使用されるビットの位置情報、
のうちの少なくとも１つを含み、
前記第１の情報は、前記第１の制御シグナリングと第１の信号との間の送信時間間隔と、予め定められたしきい値Ｋとの間の関係を含み、
ＮおよびＫは負でない整数である、方法。
【請求項４９】
前記第１の制御シグナリングと前記第１の信号との間の前記送信時間間隔と、前記予め定められたしきい値Ｋとの間の前記関係が、第１の関係である場合、Ｎの値はＮ１を含み、
前記第１の制御シグナリングと前記第１の信号との間の前記送信時間間隔と、前記予め定められたしきい値Ｋとの間の前記関係が、第２の関係である場合、Ｎの値はＮ２を含み、
Ｎ１およびＮ２は整数である、請求項４８に記載の方法。
【請求項５０】
Ｎ１とＮ２との間の関係は、
Ｎ１はＮ２よりも大きい、
Ｎ１とＮ２の差は、送信設定指示（ＴＣＩ）フィールドが占有するビットの数以下である、または、
Ｎ１とＮ２の差は、第２の送信パラメータに関する情報を通知するのに必要なビットの数以下である、
のうちの少なくとも１つを満たす、請求項４９に記載の方法。
【請求項５１】
前記第１の制御シグナリングと前記第１の信号との間の前記送信時間間隔と、前記予め定められたしきい値Ｋとの間の前記関係が、第１の関係である場合、前記対応マッピングテーブルは第１の対応マッピングテーブルであり、
前記第１の制御シグナリングと前記第１の信号との間の前記送信時間間隔と、前記予め定められたしきい値Ｋとの間の前記関係が、第２の関係である場合、前記対応マッピングテーブルは第２のマッピングテーブルである、請求項４８に記載の方法。
【請求項５２】
前記第１の対応マッピングテーブル、前記第２の対応マッピングテーブル、送信パラメータ値セット１、または送信パラメータ値セット２、のうちの１つは、方式１または方式２のうちの少なくとも一方によって決定され、
前記方式１では、受信されるシグナリング情報に内容が含まれ、
前記方式２では、送信端との間でルールが予め合意されており、
前記送信パラメータ値セット１は、前記第１の対応マッピングテーブルに含まれる前記第１の送信パラメータの値セットに対応し、前記送信パラメータ値セット２は、前記第２の対応マッピングテーブルに含まれる前記第１の送信パラメータの値セットに対応し、前記送信端は、前記第１の制御シグナリングを送信するための通信ノードである、請求項５１に記載の方法。
【請求項５３】
前記方法は、
前記第１の送信パラメータのタイプがＴＣＩである場合、前記第１の対応マッピングテーブルにおける各状態の空間受信（Ｒｘ）パラメータに対応付けられたダウンリンク参照信号（ＤＬ−ＲＳ）によって形成されるダウンリンク参照信号（ＤＬ−ＲＳ）セットは、１つのＤＬ−ＲＳのみを含むこと、
前記第１の送信パラメータのタイプがＴＣＩである場合、前記第１の対応マッピングテーブルにおける各状態の空間Ｒｘパラメータに対応付けられたＤＬ−ＲＳによって形成されるＤＬ−ＲＳセットにおける各２つのＤＬ−ＲＳが、前記対応付けられた空間Ｒｘパラメータについて疑似コロケーション（ＱＣＬ）関係を満たすこと、
前記第１の送信パラメータのタイプがＴＣＩである場合、前記第１の対応マッピングテーブルにおける各状態の空間Ｒｘパラメータに対応付けられたＤＬ−ＲＳによって形成されるＤＬ−ＲＳセットのＤＬ−ＲＳは、第１の通信ノードによって同時に受信されることができること、または
前記第１の送信パラメータのタイプがＴＣＩである場合、前記第１の対応マッピングテーブルにおける各状態の空間Ｒｘパラメータに対応付けられたＤＬ−ＲＳによって形成されるＤＬ−ＲＳセットは、空のセットであること、
のうちの少なくとも１つを満たし、
前記第１の通信ノードは、前記第１の信号また前記第１の制御シグナリングのうちの少なくとも一方を受信するための通信ノードである、請求項５１に記載の方法。
【請求項５４】
前記第１の送信パラメータのタイプは、前記第１の制御シグナリングに含まれる、ＴＣＩの送信パラメータタイプを除く、少なくとも１つの送信パラメータタイプを含む、または、
前記第１の送信パラメータのタイプは、ＴＣＩの送信パラメータである、請求項４８に記載の方法。
【請求項５５】
前記第１の送信パラメータは、
前記第１の送信パラメータは前記第１の信号の送信パラメータであること、または、
前記第１の送信パラメータは第２の信号の送信パラメータであること、
のうちの少なくとも一方を満たす、請求項４８に記載の方法。
【請求項５６】
前記第１の信号または前記第２の信号は、復調参照信号、測定参照信号、制御チャネル信号、またはデータチャネル信号、のうちの少なくとも１つを含み、
前記第１の制御シグナリングは物理層制御シグナリングである、請求項５５に記載の方法。
【請求項５７】
前記第１の情報はさらに、
送信される第２の制御シグナリングに含まれる情報、
前記第１の制御シグナリングが位置する制御リソースセット（ＣＯＲＥＳＥＴ）に対応するダウンリンク制御情報に存在する送信設定指示（ＴＣＩ−ＰｒｅｓｅｎｔＩｎＤＣＩ）がイネーブルされるか否かに関する情報、
前記第１の信号または前記第２の信号が位置するキャリア周波数と、予め定められたしきい値Ｇとの間の関係の情報、
第１の通信ノードによってフィードバックされる、サポートされる周波数範囲能力の情報、
前記予め定められたしきい値Ｋが０であるか否かの情報、
空間Ｒｘパラメータで構成された少なくとも１つのＣＯＲＥＳＥＴが、前記第１の通信ノードによって検出される必要があるＣＯＲＥＳＥＴに存在するか否かの情報、
空間Ｒｘパラメータで構成された少なくとも１つのＣＯＲＥＳＥＴが、前記第１の通信ノードによって検出される必要がある専用サーチ空間に対応付けられたＣＯＲＥＳＥＴに存在するか否かの情報、
前記第１の信号または前記第２の信号のうちの一方に最も近い時間ユニットにおける最小制御リソースセットＩＤ（ＣＯＲＥＳＥＴ  ＩＤ）を有するＣＯＲＥＳＥＴが、空間Ｒｘパラメータで構成されているか否かの情報、
前記第１の信号または前記第２の信号のうちの一方に最も近い時間ドメインシンボルにおける最小ＣＯＲＥＳＥＴ  ＩＤを有するＣＯＲＥＳＥＴが、空間Ｒｘパラメータで構成されているか否かの情報、
前記第１の信号または前記第２の信号のうちの一方に対応付けられたＴＣＩ状態プールに少なくとも１つのＴＣＩ状態が存在するか否かの情報であり、前記少なくとも１つのＴＣＩ状態における参照信号（ＲＳ）セットに対応するＱＣＬパラメータは空間Ｒｘパラメータを含む、情報、または、
前記第１の信号または前記第２の信号のうちの一方に対応付けられたアクティベーションＴＣＩ状態プールに少なくとも１つのＴＣＩ状態が存在するか否かの情報であり、前記少なくとも１つのＴＣＩ状態におけるＲＳセットに対応するＱＣＬパラメータは空間Ｒｘパラメータを含む、情報、
のうちの、少なくとも１つの情報を含み、
前記第１の通信ノードは、前記第１の信号、前記第２の信号、または前記第１の制御シグナリング、のうちの少なくとも一方を受信するための通信ノードである、請求項５５に記載の方法。
【請求項５８】
前記第１の制御シグナリングと前記第１の信号との間の前記送信時間間隔と、前記予め定められたしきい値Ｋとの間の前記関係が、第１の関係である場合、前記第１の制御シグナリングにおいて前記予め定められた指示フィールドによって通知される前記第１の送信パラメータのタイプは、送信パラメータの第１のタイプであり、
前記第１の制御シグナリングと前記第１の信号との間の前記送信時間間隔と、前記予め定められたしきい値Ｋとの間の前記関係が、第２の関係である場合、第２の制御シグナリングにおいて予め定められた指示フィールドによって通知される前記第１の送信パラメータのタイプは、送信パラメータの第２のタイプである、請求項４８に記載の方法。
【請求項５９】
前記第１の制御シグナリングと前記第１の信号との間の前記送信時間間隔が前記予め定められたしきい値Ｋ未満である場合、前記関係は、前記第１の関係であり、前記制御シグナリングと前記第１の信号との間の前記送信時間間隔が前記予め定められたしきい値Ｋ以上である場合、前記第１の制御シグナリングと前記第１の信号との間の前記送信時間間隔と、前記予め定められたしきい値Ｋとの間の関係は、前記第２の関係である、または、
前記制御シグナリングと前記第１の信号との間の前記送信時間間隔が前記予め定められたしきい値Ｋ以下である場合、前記第１の制御シグナリングと前記第１の信号との間の前記送信時間間隔と、前記予め定められたしきい値Ｋとの間の関係は、前記第１の関係であり、前記制御シグナリングと前記第１の信号との間の前記送信時間間隔が前記予め定められたしきい値Ｋよりも大きい場合、前記第１の制御シグナリングと前記第１の信号との間の前記送信時間間隔と、前記予め定められたしきい値Ｋとの間の関係は、前記第２の関係である、または
前記制御シグナリングと前記第１の信号との間の前記送信時間間隔が前記予め定められたしきい値Ｋ以上である場合、前記第１の制御シグナリングと前記第１の信号との間の前記送信時間間隔と、前記予め定められたしきい値Ｋとの間の関係は、前記第１の関係であり、前記制御シグナリングと前記第１の信号との間の前記送信時間間隔が前記予め定められたしきい値Ｋ未満である場合、前記第１の制御シグナリングと前記第１の信号との間の前記送信時間間隔と、前記予め定められたしきい値Ｋとの間の関係は、前記第２の関係である、請求項４９、５１または５８に記載の方法。
【請求項６０】
第１の通信ノードに適用される、制御シグナリングを送信するための装置であって、前記装置は、
第１の情報に従って第２の情報を決定するように構成された第１の決定モジュールを備え、
前記第２の情報は、
第１の送信パラメータを通知するために第１の制御シグナリングにおいて使用されるビットの数Ｎ、
第１の制御シグナリングにおいて第１の送信パラメータによって参照されるインデックス値と前記第１の送信パラメータの値との間の対応マッピングテーブル、
第１の制御シグナリングにおいて予め定められた指示フィールドによって通知される第１の送信パラメータのタイプ、または、
第１の送信パラメータを通知するために第１の制御シグナリングにおいて使用されるビットの位置情報、
のうちの少なくとも１つを含み、
前記第１の情報は、前記第１の制御シグナリングと第１の信号との間の送信時間間隔と、予め定められたしきい値Ｋとの間の関係を含み、ＮおよびＫは負でない整数であり、前記装置はさらに、
前記第１の制御シグナリングを送信するように構成された第１の送信モジュールを備える、装置。
【請求項６１】
第１の通信ノードに適用される、情報を決定するための装置であって、前記装置は、
第１の情報に従って第２の情報を決定するように構成された第１の決定モジュールを備え、
前記第２の情報は、
第１の信号の疑似コロケーション（ＱＣＬ）パラメータ、
第１の信号を、第２の信号が位置する時間ドメイン位置で送信する方式、または、
第１の信号を、第２の信号が位置する時間ドメイン位置で受信する方式、
のうちの少なくとも１つを含み、
前記第１の情報は、
前記第２の信号が、指定された制御リソースセット（ＣＯＲＥＳＥＴ）の後の予め定められた時間ウィンドウに存在するか否か、
前記第１の信号と指定されたＣＯＲＥＳＥＴとの間の時間間隔と、予め定められたしきい値Ｘ１との間の関係、
前記第２の信号と指定されたＣＯＲＥＳＥＴとの間の時間間隔と、予め定められたしきい値Ｘ２との間の関係、
前記第１の信号と第１の制御シグナリングとの間の時間間隔と、予め定められたしきい値Ｘ１との間の関係、
前記第２の信号と第２の制御シグナリングとの間の時間間隔と、予め定められたしきい値Ｘ２との間の関係、または、
前記第１の信号に対応する第１の空間受信（Ｒｘ）パラメータと、前記第２の信号に対応する第２の空間Ｒｘパラメータとの間の関係、
という情報のうちの少なくとも１つを含み、Ｘ１およびＸ２は実数である、装置。
【請求項６２】
第２の通信ノードに適用される、制御シグナリングを受信するための装置であって、
第１の情報に従って第２の情報を決定するように構成された第１の決定モジュールと、
前記第２の情報に従って第１の制御シグナリングを受信するように構成された受信モジュールとを備え、
前記第２の情報は前記第１の情報に従って決定される情報であり、
前記第２の情報は、
第１の送信パラメータを通知するために前記第１の制御シグナリングにおいて使用されるビットの数Ｎ、
前記第１の制御シグナリングにおいて第１の送信パラメータによって参照されるインデックス値と前記第１の送信パラメータの値との間の対応マッピングテーブル、
前記第１の制御シグナリングにおいて予め定められた指示フィールドによって通知される第１の送信パラメータのタイプ、または、
第１の送信パラメータを通知するために前記第１の制御シグナリングにおいて使用されるビットの位置情報、
のうちの少なくとも１つを含み、
前記第１の情報は、前記第１の制御シグナリングと第１の信号との間の送信時間間隔と、予め定められたしきい値Ｋとの間の関係を含み、ＮおよびＫは負でない整数である、装置。
【請求項６３】
実行されると請求項１〜２８、２９〜３５、３６〜４７、および４８〜５９のいずれか１項に記載の方法を実行するように構成されたコンピュータプログラムを格納する記憶媒体。
【請求項６４】
電子装置であって、メモリとプロセッサとを備え、前記メモリはコンピュータプログラムを格納し、前記プロセッサは、前記コンピュータプログラムを実行することにより、請求項１〜２８、２９〜３５、３６〜４７、および４８〜５９のいずれか１項に記載の方法を実行するように構成される、電子装置。
【請求項６５】
基地局であって、
プロセッサと、前記プロセッサが実行可能な命令を格納するメモリとを備え、前記命令は、前記プロセッサによって実行されると、第１の情報に従って第２の情報を決定する動作を実行し、
前記第２の情報は、
第１の送信パラメータを通知するために第１の制御シグナリングにおいて使用されるビットの数Ｎ、
第１の制御シグナリングにおいて第１の送信パラメータによって参照されるインデックス値と前記第１の送信パラメータの値との間の対応マッピングテーブル、
第１の制御シグナリングにおいて予め定められた指示フィールドによって通知される第１の送信パラメータのタイプ、または、
第１の送信パラメータを通知するために第１の制御シグナリングにおいて使用されるビットの位置情報、
のうちの少なくとも１つを含み、
前記第１の情報は、前記第１の制御シグナリングと第１の信号との間の送信時間間隔と、予め定められたしきい値Ｋとの間の関係を含み、ＮおよびＫは負でない整数であり、前記命令はさらに、前記プロセッサによって実行されると、
前記第１の制御シグナリングを送信する動作を実行する、基地局。
【請求項６６】
基地局であって、
プロセッサと、前記プロセッサが実行可能な命令を格納するメモリとを備え、前記命令は、前記プロセッサによって実行されると、第１の情報に従って第２の情報を決定する動作を実行し、
前記第２の情報は、
第１の信号の疑似コロケーション（ＱＣＬ）パラメータ、
第１の信号を、第２の信号が位置する時間ドメイン位置で送信する方式、または、
第１の信号を、第２の信号が位置する時間ドメイン位置で受信する方式、
のうちの少なくとも１つを含み、
前記第１の情報は、
前記第２の信号が、指定された制御リソースセット（ＣＯＲＥＳＥＴ）の後の予め定められた時間ウィンドウに存在するか否か、
前記第１の信号と指定されたＣＯＲＥＳＥＴとの間の時間間隔と、予め定められたしきい値Ｘ１との間の関係、
前記第２の信号と指定されたＣＯＲＥＳＥＴとの間の時間間隔と、予め定められたしきい値Ｘ２との間の関係、
前記第１の信号と第１の制御シグナリングとの間の時間間隔と、予め定められたしきい値Ｘ１との間の関係、
前記第２の信号と第２の制御シグナリングとの間の時間間隔と、予め定められたしきい値Ｘ２との間の関係、または、
前記第１の信号に対応する第１の空間Ｒｘパラメータと、前記第２の信号に対応する第２の空間Ｒｘパラメータとの間の関係、
という情報のうちの少なくとも１つを含み、Ｘ１およびＸ２は実数である、基地局。
【請求項６７】
端末であって、
プロセッサと、前記プロセッサが実行可能な命令を格納するメモリとを備え、前記命令は、前記プロセッサによって実行されると、
第１の情報に従って第２の情報を決定する動作と、
前記第２の情報に従って第１の制御シグナリングを受信する動作とを実行し、
前記第２の情報は、
第１の送信パラメータを通知するために前記第１の制御シグナリングにおいて使用されるビットの数Ｎ、
前記第１の制御シグナリングにおいて第１の送信パラメータによって参照されるインデックス値と前記第１の送信パラメータの値との間の対応マッピングテーブル、
前記第１の制御シグナリングにおいて予め定められた指示フィールドによって通知される第１の送信パラメータのタイプ、または、
第１の送信パラメータを通知するために前記第１の制御シグナリングにおいて使用されるビットの位置情報、
のうちの少なくとも１つを含み、
前記第１の情報は、前記第１の制御シグナリングと第１の信号との間の送信時間間隔と、予め定められたしきい値Ｋとの間の関係を含み、ＮおよびＫは負でない整数である、端末。
【発明の詳細な説明】
【技術分野】
【０００１】
本願は、２０１８年２月２６日に中国特許庁（ＣＮＩＰＡ）に出願されその内容全体を本明細書に引用により援用する中国特許出願第２０１８１０１６０２４８．２号に基づく優先権を主張する。
【０００２】
技術分野
本願は、通信の分野に関し、たとえば、制御シグナリングを送受信するための方法および装置、ならびに情報を決定するための方法に関する。
【背景技術】
【０００３】
背景
第５世代ワイヤレスシステム（５Ｇ）の基本技術のうちの１つとして、高周波通信は、未来の通信の高速および広帯域幅を強力にサポートする。しかしながら、高周波通信の重要な問題は、経路損失が比較的大きいことである。一方、アンテナのサイズは比較的小さい。これに鑑みて、複数のアンテナを用いてビームを形成することで、経路損失を抑える場合がある。
【０００４】
システム効率を改善し、ビーム妨害シナリオに抵抗し、高速リンクを回復させるために、ダウンリンク信号のビームを、物理層動的制御シグナリングによって通知することができる。制御シグナリングとダウンリンク信号との間の間隔が予め定められたしきい値未満である場合、端末は、物理層動的制御シグナリングによって通知された情報を通じてダウンリンクの受信ビームを取得することができない。
【０００５】
関連する新無線（ＮＲ）プロトコルにおいては、物理層動的制御シグナリングとダウンリンク信号との間の間隔が予め定められたしきい値未満である場合、最も近いスロットにおける最小制御リソースセットＩＤ（control resource set identification：ＣＯＲＥＳＥＴ  ＩＤ）を有する制御リソースセット（ＣＯＲＥＳＥＴ）のビームが、データをキャッシュするために使用される。
【０００６】
以前の解決策には２つの状況がある。第１の状況は、物理層動的制御シグナリングとダウンリンク信号との間の間隔が予め定められたしきい値未満である場合、物理層動的制御シグナリングにおいてビームを通知するためのビットフィールドが十分に利用されない、という状況である。第２の状況は、物理層動的制御シグナリングを復号する前にダウンリンク信号をキャッシュする必要がある、という状況であるが、実際、ダウンリンク信号は基地局によってスケジューリングされない場合がある。端末が、最も近いＣＯＲＥＳＥＴ  ＩＤを有するＣＯＲＥＳＥＴに従い、かつ、ルールに従い、動的にスケジューリングされた潜在的ダウンリンク信号をキャッシュする必要があり、かつ、過去にスケジューリングされた信号が、上記潜在的ダウンリンク信号が位置する場所に存在する可能性があり、この過去にスケジューリングされたダウンリンク信号のビームと上記潜在的ダウンリンク信号のビームとを端末が同時に生成できないのであれば、基地局と端末とが挙動について合意することにより通信の有効性を保証する必要がある。
【０００７】
関連技術における以前の技術的課題に対する有効な解決策は未だに提案されていない。
【発明の概要】
【課題を解決するための手段】
【０００８】
概要
本願の実施形態は、関連技術における下記の欠陥を克服するために、制御シグナリングを送受信するため、および、情報を決定するための、方法および装置を提供する。上記欠陥は、物理層動的制御シグナリングとダウンリンク信号との間の間隔が予め定められたしきい値未満である場合、物理層動的制御シグナリングにおいてビームを通知するためのビットフィールドが十分に利用されず、リソース利用率が比較的低いこと、および、過去にスケジューリングされた信号が、潜在的ダウンリンク信号が位置する場所に存在する可能性があり、上記過去にスケジューリングされたダウンリンク信号のビームと上記潜在的ダウンリンク信号のビームとを端末が同時に生成できない場合、通信の有効性を保証できないこと、である。
【０００９】
本願のある実施形態に従い、制御シグナリングを送信する方法が提供される。この方法は、第１の情報に従って第２の情報を決定するステップを含み、第２の情報は、第１の送信パラメータを通知するために第１の制御シグナリングにおいて使用されるビットの数Ｎ、第１の制御シグナリングにおいて第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数であり、この方法はさらに、第１の制御シグナリングを送信するステップを含む。ある実施形態において、第１の制御シグナリングは、決定された第２の情報に従って送信される。
【００１０】
本願の別の実施形態に従い、情報を決定する方法が提供される。この方法は、第１の情報に従って第２の情報を決定するステップを含み、第２の情報は、第１の信号の疑似コロケーション（ＱＣＬ）パラメータ、第１の信号を、第２の信号が位置する時間ドメイン位置で送信する方式、または、第１の信号を、第２の信号が位置する時間ドメイン位置で受信する方式、のうちの少なくとも１つを含み、第１の情報は、第２の信号が、指定された制御リソースセット（ＣＯＲＥＳＥＴ）の後の予め定められた時間ウィンドウに存在するか否か、第１の信号と指定されたＣＯＲＥＳＥＴとの間の時間間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間受信（Ｒｘ）パラメータと、第２の信号に対応する第２の空間Ｒｘパラメータとの間の関係、という情報のうちの少なくとも１つを含み、Ｘ１およびＸ２は実数である、ある実施形態において、第１の信号は、決定された第２の情報に従って送信または受信される。
【００１１】
本願の別の実施形態に従い、制御シグナリングを受信する方法が提供される。この方法は、第１の情報に従って第２の情報を決定するステップと、第２の情報に従って第１の制御シグナリングを受信するステップとを含み、第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【００１２】
本願の別の実施形態に従い、ＱＣＬ参照信号を決定する方法が提供される。この方法は、少なくとも、１つの信号が占める時間ユニットの数Ａが１よりも多い場合、シグナリング情報または予め定められたルールのうちの少なくとも一方に従ってこの１つの信号のＱＣＬ参照信号を決定するステップ、または、空間ＲｘパラメータについてＱＣＬ関係をＮ個の信号が同時に満たすこと、
のうちの少なくとも１つを含み、Ｎは２以上の正の整数である。
【００１３】
本願の別の実施形態に従い、制御シグナリングを送信するための装置が提供される。この装置は、第１の通信ノードに適用され、第１の決定モジュールと第１の送信モジュールとを備える。第１の決定モジュールは、第１の情報に従って第２の情報を決定するように構成され、第２の情報は、第１の送信パラメータを通知するために第１の制御シグナリングにおいて使用されるビットの数Ｎ、第１の制御シグナリングにおいて第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。第１の送信モジュールは第１の制御シグナリングを送信するように構成される。ある実施形態において、第１の制御シグナリングは決定された第２の情報に従って送信される。
【００１４】
本願の別の実施形態に従い、情報を決定するための装置が提供される。この装置は、第１の通信ノードに適用され、第２の決定モジュールを含む。第２の決定モジュールは、第１の情報に従って第２の情報を決定するように構成され、第２の情報は、第１の信号の疑似コロケーション（ＱＣＬ）パラメータ、第１の信号を、第２の信号が位置する時間ドメイン位置で送信する方式、または、第１の信号を、第２の信号が位置する時間ドメイン位置で受信する方式、のうちの少なくとも１つを含み、第１の情報は、第２の信号が、指定されたＣＯＲＥＳＥＴの後の予め定められた時間ウィンドウに存在するか否か、第１の信号と指定されたＣＯＲＥＳＥＴとの間の時間間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間受信Ｒｘパラメータと、第２の信号に対応する第２の空間Ｒｘパラメータとの間の関係、という情報のうちの少なくとも１つを含み、Ｘ１およびＸ２は実数である。ある実施形態において、第１の信号は、決定された第２の信号に従って送信または受信される。
【００１５】
本願の別の実施形態に従い、制御シグナリングを受信するための装置が提供される。この装置は、第２の通信ノードに適用され、第３の決定モジュールと受信モジュールとを含む。第３の決定モジュールは、第１の情報に従って第２の情報を決定するように構成される。受信モジュールは、第２の情報に従って第１の制御シグナリングを受信するように構成される。第２の情報は、第１の送信パラメータを通知するために第１の制御シグナリングにおいて使用されるビットの数Ｎ、第１の制御シグナリングにおいて第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【００１６】
本願の別の実施形態に従い、記憶媒体がさらに提供される。この記憶媒体はコンピュータプログラムを格納する。このコンピュータプログラムは、実行されると上記方法の実施形態のうちのいずれか１つのステップを実行するように構成されている。
【００１７】
本願の別の実施形態に従い、電子装置がさらに提供される。この電子デバイスはメモリとプロセッサとを含む。メモリはコンピュータプログラムを格納し、プロセッサはこのコンピュータプログラムを実行することにより上記方法の実施形態のうちのいずれかのステップを実行するように構成されている。
【００１８】
本明細書に記載の図面は、本願の一層の理解を提供するために使用され本願の一部を形成している。本願において例示される実施形態およびその説明は、本願を説明するために使用されているのであって、本願を不適切に限定する訳ではない。
【図面の簡単な説明】
【００１９】
【図１】本願のある実施形態に係る、制御シグナリングを送信する方法のフローチャートの図である。
【図１ａ】本願のある実施形態に係る、物理ダウンリンク共有チャネル２（physical downlink share channel 2：ＰＤＳＣＨ２）の空間ＲｘパラメータがＰＤＳＣＨ１の空間Ｒｘパラメータに従い取得されることを示す概略図である。
【図１ｂ】本願のある実施形態に係る、ＰＤＳＣＨの空間Ｒｘパラメータがチャネル状態情報参照信号（channel-state information reference signal：ＣＳＩ−ＲＳ）の空間Ｒｘパラメータに従い取得されることを示す概略図である。
【図１ｃ】本願のある実施形態に係る、ＰＤＳＣＨに最も近い時間ドメインシンボルにおける最小ＣＯＲＥＳＥＴ ＩＤを有するＣＯＲＥＳＥＴの空間Ｒｘパラメータに従い、ＰＤＳＣＨの空間Ｒｘパラメータが取得されることを示す概略図である。
【図１ｄ】本願のある実施形態に係る、同一の時間ドメインシンボルにおける、ＰＤＳＣＨの空間Ｒｘパラメータに対応する受信ビームと、ＣＯＲＥＳＥＴの空間Ｒｘパラメータに対応する受信ビームとが異なることを示す概略図である。
【図１ｅ】本願のある実施形態に係る、同一の時間ドメインシンボルにおける、ＰＤＳＣＨの空間Ｒｘパラメータに対応する受信ビームと、ＣＯＲＥＳＥＴの空間Ｒｘパラメータに対応する受信ビームとが異なることを示す概略図である。
【図１ｆ】本願のある実施形態に係る、同一の時間ドメインシンボルにおける、ＰＤＳＣＨの空間Ｒｘパラメータに対応する受信ビームと、ＣＯＲＥＳＥＴの空間Ｒｘパラメータに対応する受信ビームとが異なることを示す概略図である。
【図２】本願のある実施形態に係る、少なくとも、周期的ＣＩＳ−ＲＳの空間Ｒｘパラメータが、周期的ＣＳＩ−ＲＳと、最小ＣＯＲＥＳＥＴ  ＩＤを有し周期的ＣＳＩ−ＲＳに最も近いＣＯＲＥＳＥＴとの間の距離と予め定められたしきい値との間の関係に従い決定されることを示す、概略図である。
【図３】本願のある実施形態に係る、少なくとも、周期的ＣＳＩ−ＲＳおよびＰＤＳＣＨの空間Ｒｘパラメータの優先度が、周期的ＣＳＩ−ＲＳと、最小ＣＯＲＥＳＥＴ ＩＤを有し周期的ＣＳＩ−ＲＳに最も近いＣＯＲＥＳＥＴとの間の距離と予め定められたしきい値との間の関係に従い決定されることを示す、概略図である。
【図４ａ】本願のある実施形態に係る、１つのＰＤＳＣＨが複数のスロットを占めている場合の各スロットにおけるＰＤＳＣＨの空間Ｒｘパラメータの取得方法を示す、概略図１である。
【図４ｂ】本願のある実施形態に係る、１つのＰＤＳＣＨが複数のスロットを占めている場合の各スロットにおけるＰＤＳＣＨの空間Ｒｘパラメータの取得方法を示す、概略図２である。
【図４ｃ】本願のある実施形態に係る、１つのＰＤＳＣＨが複数のスロットを占めている場合の各スロットにおけるＰＤＳＣＨの空間Ｒｘパラメータの取得方法を示す、概略図３である。
【図４ｄ】本願のある実施形態に係る、１つのＰＤＳＣＨが複数のスロットを占めている場合の各スロットにおけるＰＤＳＣＨの空間Ｒｘパラメータの取得方法を示す、概略図４である。
【図４ｅ】本願のある実施形態に係る、１つのＰＤＳＣＨが複数のスロットを占めている場合の各スロットにおけるＰＤＳＣＨの空間Ｒｘパラメータの取得方法を示す、概略図５である。
【図４ｆ】本願のある実施形態に係る、１つのＰＤＳＣＨが複数のスロットを占めている場合の各スロットにおけるＰＤＳＣＨの空間Ｒｘパラメータの取得方法を示す、概略図６である。
【図５】本願のある実施形態に係る、インデックス値および送信パラメータ値に対応する複数のテーブルが、異なる時間ドメイン位置に対応することを示す、概略図である。
【図６ａ】本願のある実施形態に係る、異なるコンポーネントキャリア（component carrier：ＣＣ）の２つのＰＤＳＣＨがＱＣＬであることを示す概略図である。
【図６ｂ】本願のある実施形態に係る、異なるＣＣのＰＤＳＣＨおよびＣＯＲＥＳＥＴがＱＣＬであることを示す概略図である。
【図６ｃ】本願のある実施形態に係る、異なるＣＣの２つのＣＯＲＥＳＥＴがＱＣＬであることを示す概略図である。
【図６ｄ】本願のある実施形態に係る、異なるＣＣのＰＤＳＣＨおよびＣＳＩ−ＲＳがＱＣＬであることを示す概略図である。
【図７ａ】本願のある実施形態に係る、同一のＣＣに属する２つのＰＤＳＣＨがＱＣＬであることを示す概略図である。
【図７ｂ】本願のある実施形態に係る、同一のＣＣに属するＰＤＳＣＨおよびＣＯＲＥＳＥＴがＱＣＬであることを示す概略図である。
【図７ｃ】本願のある実施形態に係る、同一のＣＣに属する２つのＣＯＲＥＳＥＴがＱＣＬであることを示す概略図である。
【図７ｄ】本願のある実施形態に係る、同一のＣＣに属するＰＤＳＣＨおよびＣＳＩ−ＲＳがＱＣＬであることを示す概略図である。
【図７ｅ】本願のある実施形態に係る、同一のＣＣに属する２つのＣＳＩ−ＲＳがＱＣＬであることを示す概略図である。
【図８ａ】本願のある実施形態に係る、ＣＯＲＥＳＥＴのＱＣＬパラメータは、端末がビームリカバリ要求信号を検出するか否かに関係することを示す、概略図である。
【図８ｂ】本願のある実施形態に係る、非周期的測定参照信号をスケジューリングするＤＣＩが当該非周期的測定参照信号の後に続くことを示す概略図１である。
【図８ｃ】本願のある実施形態に係る、非周期的測定参照信号をスケジューリングするＤＣＩが当該非周期的測定参照信号の後に続くことを示す概略図２である。
【図９】本願のある実施形態に係る、制御シグナリングを受信する方法のフローチャートである。
【図１０】本願のある実施形態に係る、情報を決定する方法のフローチャートである。
【図１１】本願のある実施形態に係る、制御シグナリングを送信するための装置の構造を示すブロック図である。
【図１２】本願のある実施形態に係る、制御シグナリングを受信するための装置の構造を示すブロック図である。
【図１３】本願のある実施形態に係る、情報を決定するための装置の構造を示すブロック図である。
【図１４】本願のある実施形態に係る、ＱＣＬ参照信号を決定する方法のフローチャートである。
【図１５】本願のある実施形態に係る、ＱＣＬを決定するための装置の構造を示すブロック図である。
【発明を実施するための形態】
【００２０】
詳細な説明
以下、本願を図面を参照しながら実施形態とともに説明する。
【００２１】
なお、本願の明細書、請求項および図面における「第１」および「第２」のような用語は、同様のものを区別するために使用されているのであって、必ずしも特定の順序またはシーケンスを記述するために使用されている訳ではない。
【００２２】
実施形態１
この実施形態は、制御シグナリングを送信する方法を提供する。図１は、本願のある実施形態に係る、制御シグナリングを送信する方法のフローチャートである。図１に示されるように、このプロセスは下記のステップＳ１０２およびステップＳ１０４を含む。
【００２３】
ステップＳ１０２において、第１の情報に従って第２の情報を決定する。
第２の情報は、第１の送信パラメータを通知するために第１の制御シグナリングにおいて使用されるビットの数Ｎ、第１の制御シグナリングにおいて第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【００２４】
ステップＳ１０４において、第１の制御シグナリングを送信する。
ある実施形態において、第１の制御シグナリングは、決定した第２の情報に従って送信される。
【００２５】
上記ステップにおいて、第１の情報に従って第２の情報が決定され、第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数であり、第１の制御シグナリングが送信される。すなわち、制御シグナリングのフォーマットは第２の情報に従って決定され、次に、新たな制御シグナリングが送信される。このようにして、関連技術における下記の欠陥が克服される。欠陥とは、物理層動的制御シグナリングとダウンリンク信号との間の間隔が予め定められたしきい値未満である場合、物理層動的制御シグナリングにおいてビームを通知するためのビットフィールドが十分に利用されず、リソース利用率が比較的低いという欠陥であるが、制御シグナリングのリソース利用率は改善される。
【００２６】
ある実施形態において、上記ステップは、限定される訳ではないが基地局によって実行されてもよい。
【００２７】
ある実施形態において、ステップＳ１０２およびステップＳ１０４は逆の順序で実行されてもよい。すなわち、ステップＳ１０２の前にステップＳ１０４が実行されてもよい。
【００２８】
ある実施形態において、第１の制御シグナリングと第１の信号との間の送信時間間隔と、予め定められたしきい値Ｋとの間の関係が、第１の関係である場合、Ｎの値はＮ１を含み、第１の制御シグナリングと第１の信号との間の送信時間間隔と、予め定められたしきい値Ｋとの間の関係が、第２の関係である場合、Ｎの値はＮ２を含み、Ｎ１およびＮ２は整数である。
【００２９】
Ｎ１とＮ２との間の関係は、Ｎ１はＮ２よりも大きい、Ｎ１とＮ２の差は、送信設定指示（transmission configuration indication：ＴＣＩ）フィールドが占有するビットの数以下である、または、Ｎ１とＮ２の差は、第２の送信パラメータに関する情報を通知するのに必要なビットの数以下である、のうちの少なくとも１つを満たす。
【００３０】
ある実施形態において、第１の制御シグナリングと第１の信号との間の送信時間間隔と、予め定められたしきい値Ｋとの間の関係が、第１の関係である場合、対応マッピングテーブルは第１の対応マッピングテーブルであり、第１の制御シグナリングと第１の信号との間の送信時間間隔と、予め定められたしきい値Ｋとの間の関係が、第２の関係である場合、対応マッピングテーブルは第２のマッピングテーブルである。
【００３１】
ある実施形態において、第１の対応マッピングテーブル、第２の対応マッピングテーブル、送信パラメータ値セット１および送信パラメータ値セット２のうちのいずれの１つも、以下の方式のうちの少なくとも１つの方式で決定され、方式１において、送信されるシグナリング情報に内容が含まれ、方式２において、送信端および受信端によりルールが予め合意されている。送信パラメータ値セット１は、第１の対応マッピングテーブルに含まれる第１の送信パラメータの値セットに対応し、送信パラメータ値セット２は、第２の対応マッピングテーブルに含まれる第１の送信パラメータの値セットに対応する。
【００３２】
ある実施形態において、第１の送信パラメータのタイプがＴＣＩである場合、第１の対応マッピングテーブルにおける各状態の空間Ｒｘパラメータに対応付けられたダウンリンク参照信号（downlink reference signals：ＤＬ−ＲＳ）によって形成されるダウンリンク参照信号（downlink reference signal：ＤＬ−ＲＳ）セットは、１つのＤＬ−ＲＳのみを含み、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットにおける各２つのＤＬ−ＲＳが、空間ＲｘパラメータについてＱＣＬ関係を満たす。
【００３３】
第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットのＤＬ−ＲＳは、第１の通信ノードによって同時に受信されることができ、第１の送信パラメータのタイプがＴＣＩである場合、第１の対応マッピングテーブルにおける各状態の空間Ｒｘパラメータに対応付けられたＤＬーＲＳによって形成されるＤＬ−ＲＳセットは、空のセットである。第１の通信ノードは、第１の信号または第１の制御シグナリングのうちの少なくとも一方を受信するための通信ノードである。
【００３４】
ある実施形態において、第１の送信パラメータのタイプは、第１の制御シグナリングに含まれる、ＴＣＩの送信パラメータタイプを除く、１つ以上の送信パラメータタイプを含む、または、第１の送信パラメータのタイプは、ＴＣＩの送信パラメータである。
【００３５】
ある実施形態において、第１の送信パラメータは、第１の送信パラメータは第１の信号の送信パラメータであること、または、第１の送信パラメータは第２の信号の送信パラメータであること、のうちの少なくとも１つを満たす。
【００３６】
ある実施形態において、第１の信号または第２の信号は、復調参照信号、測定参照信号、制御チャネル信号、またはデータチャネル信号、のうちの少なくとも１つを含み、第１の制御シグナリングは物理層制御シグナリングである。
【００３７】
ある実装形態において、第１の情報は、第２の制御シグナリングに含まれる情報、第１の制御シグナリングが位置するＣＯＲＥＳＥＴに対応するダウンリンク制御情報に存在する送信設定指示（transmission configuration indication present in downlink control information：ＴＣＩ−ＰｒｅｓｅｎｔＩｎＤＣＩ）がイネーブルされるか否かに関する情報、第１の信号または第２の信号が位置するキャリア周波数と、予め定められたしきい値Ｇとの間の関係の情報、第１の通信ノードによってフィードバックされる、サポートされる周波数範囲能力の情報、予め定められたしきい値Ｋが０であるか否かの情報、空間Ｒｘパラメータで構成された少なくとも１つのＣＯＲＥＳＥＴが、第１の通信ノードによって検出される必要があるＣＯＲＥＳＥＴに存在するか否かの情報、空間Ｒｘパラメータで構成された少なくとも１つのＣＯＲＥＳＥＴが、第１の通信ノードによって検出される必要がある専用サーチ空間に対応付けられたＣＯＲＥＳＥＴに存在するか否かの情報、第１の信号または第２の信号に最も近い時間ユニットにおける最小制御リソースセットＩＤ（ＣＯＲＥＳＥＴ  ＩＤ）を有するＣＯＲＥＳＥＴが、空間Ｒｘパラメータで構成されているか否かの情報、第１の信号または第２の信号に最も近い時間ドメインシンボルにおける最小ＣＯＲＥＳＥＴ  ＩＤを有するＣＯＲＥＳＥＴが、空間Ｒｘパラメータで構成されているか否かの情報、第１の信号または第２の信号に対応付けられたＴＣＩ状態プールに少なくとも１つのＴＣＩ状態が存在するか否かの情報であり、ＴＣＩ状態における参照信号（ＲＳ）セットに対応するＱＣＬパラメータは空間Ｒｘパラメータを含む、情報、または、第１の信号または第２の信号に対応付けられたアクティベーションＴＣＩ状態プールに少なくとも１つのＴＣＩ状態が存在するか否かの情報であり、ＴＣＩ状態におけるＲＳセットに対応するＱＣＬパラメータは空間Ｒｘパラメータを含む、情報、のうちの、少なくとも１つの情報をさらに含む。第１の通信ノードは、第１の信号または第２の信号のうちの少なくとも一方を受信するための通信ノードである。
【００３８】
ある実施形態において、第１の制御シグナリングは、物理層制御シグナリング、メディアアクセス制御（media access control：ＭＡＣ）制御要素（control element：ＣＥ）（ＭＡＣ−ＣＥ）制御シグナリング、または、無線リソース制御（radio resource control：ＲＲＣ）シグナリングのうちの少なくとも１つを含み、第２の制御シグナリングは、物理層制御シグナリング、ＭＡＣ−ＣＥ制御シグナリング、またはＲＲＣシグナリングのうちの少なくとも１つを含む。
【００３９】
ある実施形態において、第１の制御シグナリングと第１の信号との間の送信時間間隔と、予め定められたしきい値Ｋとの間の関係が、第１の関係である場合、第１の制御シグナリングにおいて予め定められた指示フィールドによって通知される第１の送信パラメータのタイプは、送信パラメータの第１のタイプであり、第１の制御シグナリングと第１の信号との間の送信時間間隔と、予め定められたしきい値Ｋとの間の関係が、第２の関係である場合、第２の制御シグナリングにおいて予め定められた指示フィールドによって通知される第１の送信パラメータのタイプは、送信パラメータの第２のタイプである。
【００４０】
ある実施形態において、第１の制御シグナリングと第１の信号との間の送信時間間隔が予め定められたしきい値Ｋ未満である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋ以上である場合、第１の制御シグナリングと第１の信号との間の送信時間間隔と、予め定められたしきい値Ｋとの間の関係は、第２の関係である。これに代わるものとして、制御シグナリングと第１の信号との間の送信時間間隔が予め定められたしきい値Ｋ以下である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋよりも大きい場合、第１の制御シグナリングと第１の信号との間の送信時間間隔と、予め定められたしきい値Ｋとの間の関係は、第２の関係である。これに代わるものとして、制御シグナリングと第１の信号との間の送信時間間隔が予め定められたしきい値Ｋ以上である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋ未満である場合、関係は第２の関係である。
【００４１】
以下、本実施形態を、例として、具体例としての実施形態とともに説明する。
具体例としての実施形態１
ビームベースの通信において、ＰＤＳＣＨのビームは、ダウンリンク制御情報（ＤＣＩ）によって通知することができる。ＤＣＩとＰＤＳＣＨとの間の間隔がＫ未満である場合、端末は、ＤＣＩを復号する前にＰＤＳＣＨを受信しキャッシュするために無線周波数を必要とし、よって、関連するＮＲでは、ＤＣＩとＰＤＳＣＨとの間の間隔が予め定められたしきい値Ｋ未満である場合は最も近いスロットにおける最小ＣＯＲＥＳＥＴ  ＩＤに対応するＱＣＬパラメータに従ってＰＤＳＣＨの復調参照信号（demodulation reference signal：ＤＭＲＳ）を取得し、ＤＣＩとＰＤＳＣＨとの間の間隔が予め定められたしきい値Ｋ以上である場合はＤＣＩに示されているＱＣＬ情報を用いることによってＰＤＳＣＨのＤＭＲＳのＱＣＬパラメータを得る、と規定されている。しかしながら、端末が物理ダウンリンク制御チャネル（ＰＤＣＣＨ）をブラインド検出する複雑さを低減するために、ＤＣＩとＰＤＳＣＨとの間の間隔がＫ未満である場合のＰＤＣＣＨの負荷は、ＤＣＩとＰＤＳＣＨとの間の間隔がＫ以上である場合のＰＤＣＣＨの負荷と同一である。このように、ＤＣＩとＰＤＳＣＨとの間の間隔がＫ未満である場合、３ビットのＴＣＩ通知フィールド（ＴＣＩ通知フィールドはＰＤＳＣＨのＤＭＲＳのＱＣＬパラメータを通知するのに使用される）はＤＣＩに存在するが使用しない。関連のＮＲ版では、ＴＣＩ通知フィールドは３ビットを占める。このため、以下の改善された解決策を提案する。
【００４２】
ＤＣＩとＰＤＳＣＨとの間の間隔がＫ未満である場合、ＤＣＩにおける３ビットのＴＣＩ通知フィールドは、ＤＣＩにおいて、ＴＣＩの送信パラメータを除く、１つ以上の送信パラメータ（すなわち第１の送信パラメータ）を通知することができ、関連するＮＲ  ＤＣＩフォーマット＿１の送信パラメータが表１において順に示されている。表１に示されるように、ＤＣＩとＰＤＳＣＨとの間の間隔は、送信パラメータインジケータ５に示される情報に従って決定することができる。
【００４３】
【表１】
2021515473.tif 000003
【００４４】
たとえば、第１の送信パラメータは、表１の番号１４の送信パラメータである。ＤＣＩとＰＤＳＣＨとの間の間隔がＫ未満である場合、ＰＵＣＣＨリソースインジケータは、表１の番号１４のビットフィールドと番号１７のビットフィールドとの合計５ビットを用いることで、最大３２のＰＵＣＣＨリソースから選択された１つのＰＵＣＣＨリソースを示すことができる。ある実施形態において、アップリンク制御情報（uplink control information：ＵＣＩ）負荷に従いＰＵＣＣＨセットがセット０であると判断された場合、セット０のＰＵＣＣＨリソースのインデックスを、２つのビットフィールドを用いて一緒に示すことができ、ＵＣＩ負荷に従いＰＵＣＣＨセットがセット０ではないと判断された場合、間隔はＫ未満であるが、ＰＵＣＣＨリソースを、表１の番号１４のビットフィールドおよび番号１７のビットフィールドを用いて一緒に示すのではなく、表１の番号１４のビットフィールドを用いるだけで通知することができる。その理由は、これらのセットに含まれるＰＵＣＣＨリソースの最大数が８であるからである。ＤＣＩとＰＤＳＣＨとの間の間隔がＫ以上である場合、表１の番号１４のインジケータを用いるだけで、最大４つのＰＵＣＣＨリソースから１つのＰＵＣＣＨリソースを選択するようにして、ＰＵＣＣＨリソースを示すことができる。ＤＣＩとＰＤＳＣＨとの間の間隔がＫ未満である場合、ＤＣＩにおけるインジケータのシーケンスは、表１のシーケンスに従っていてもよく、インジケータ１４およびインジケータ１７のみが共にＰＵＣＣＨリソースインジケータを形成する。これに代わるものとして、表２に示されるように送信パラメータインジケータのシーケンスを使用してもよい。表１と比較すると、表２において変更されている点は、送信パラメータインジケータ１７が削除され、送信パラメータインジケータ１４のビット数が５ビットになっている点にある。
【００４５】
【表２】
2021515473.tif 000004
【００４６】
このように、ＤＣＩとＰＤＳＣＨとの間の間隔が予め定められたしきい値Ｋ未満である場合、表３に示されるように、ＤＣＩの３２個のＰＵＣＣＨリソースに対して動的選択を実行することができ、ＤＣＩとＰＤＳＣＨとの送信間隔が予め定められたしきい値Ｋ以上の場合、表４に示されるように、ＤＣＩのわずか４つのＰＵＣＣＨリソースに対して動的選択を実行することができる。
【００４７】
【表３】
2021515473.tif 000005
【００４８】
【表４】
2021515473.tif 000006
【００４９】
表３および表４において、表４の４つのＰＵＣＣＨリソースは、表３の４つのＰＵＣＣＨリソースと同一である。このように、基地局が通知を実行するとき、通知する必要があるのは３２個のＰＵＣＣＨリソースのみである。当然ながら、本実施形態は、表３のＰＵＣＣＨリソースが表４のＰＵＣＣＨリソースと異なるケースを除外しない。このように、基地局が上位層シグナリングを用いて通知を実行するとき、表３および表４のＰＵＣＣＨリソースは別々に通知される。
【００５０】
本実施形態において、ＤＣＩとＰＤＳＣＨとの間の間隔は、ＤＣＩの終了時間ドメインシンボルと、ＰＤＳＣＨの開始時間ドメインシンボルとの間の間隔、ＤＣＩの開始時間ドメインシンボルと、ＰＤＳＣＨの開始時間ドメインシンボルとの間の間隔、ＤＣＩが位置するスロット内のＣＯＲＥＳＥＴの終了シンボルにおける最遅時間ドメインシンボルと、ＰＤＳＣＨの開始時間ドメインシンボルとの間の間隔、ＤＣＩが位置するスロット内のＣＯＲＥＳＥＴの最早時間ドメインシンボルと、ＰＤＳＣＨの開始時間ドメインシンボルとの間の間隔、ＤＣＩの終了時間ドメインシンボルと、ＰＤＳＣＨによって占有される複数のスロットの各々における開始時間ドメインシンボルとの間の間隔、または、ＤＣＩの開始時間ドメインシンボルと、ＰＤＳＣＨによって占有される複数のスロットの各々における開始時間ドメインシンボルとの間の間隔、のうちの少なくとも１つであってもよい。
【００５１】
上の説明において、ＤＣＩとＰＤＳＣＨとの間の間隔が予め定められたしきい値Ｋ未満である場合、ＰＵＣＣＨリソースを示すためにＴＣＩフィールドを使用する。同様に、ＤＣＩとＰＤＳＣＨとの間の間隔が予め定められたしきい値未満である場合、レートマッチングインジケータのためにＴＣＩフィールドを使用することも可能である。同様に、レートマッチング情報を、上位層シグナリングを通じて設定する場合、２セットのレートマッチングパラメータを設定する必要があり、たとえば、表３と同様の表を構築するために使用される１セットのパラメータと、表４と同様の表を構築するために使用される他の１セットのパラメータとである。これに代わるものとして、１セットのパラメータを使用し、このパラメータのセットのすべてのエントリを、表３と同様の表を構築するために使用し、エントリの合意部分（たとえば最初のＭのエントリまたは最後のＭのエントリ）を、表４と同様の表を構築するために使用する。この場合、表３および表４は、インデックス値とレートマッチング情報との間の対応を示し、表３の状態の数および表４の状態の数は変化する。たとえば、上位層設定レートマッチングＰＤＳＣＨリソースセットは２つのリソースを含み、ＤＣＩとＰＤＳＣＨとの間の間隔が予め定められたしきい値未満である場合、表５を参照してレートマッチング情報を取得し、表５には合計２（１＋３）＝１６のインデックス値があり、インデックス値は、表１の送信パラメータインジケータ８および送信パラメータインジケータ１７によって一緒に示され、ＤＣＩとＰＤＳＣＨとの間の送信間隔が予め定められたしきい値以上である場合、レートマッチング情報を表６を参照して取得し、表６には２（１）＝２の状態があり、これらの状態は、表１の送信パラメータインジケータ８によって示される。
【００５２】
【表５】
2021515473.tif 000007
【００５３】
【表６】
2021515473.tif 000008
【００５４】
同様に、ＤＣＩとＰＤＳＣＨとの間の間隔が予め定められたしきい値Ｋ未満である場合、表１のＴＣＩの送信パラメータを除く２０個のパラメータのうちの１つ以上の送信パラメータに対してＴＣＩフィールドを使用することができる。たとえば、ＤＣＩとＰＤＳＣＨとの間の間隔が予め定められたしきい値Ｋ未満である場合、ＴＣＩフィールドの３ビットのうちの最初のビットをレートメイティング（rate mating）情報の通知に使用し、最後の２ビットをゼロパワーチャネル状態情報参照信号（zero power channel state information reference signal：ＺＰ−ＣＳＩ−ＲＳ）情報に使用する。これに代わるものとして、ＤＣＩとＰＤＳＣＨとの間の間隔が予め定められたしきい値未満である場合、ＴＣＩフィールドによって示される送信パラメータのタイプ、または、ＴＣＩフィールドの各ビットによって示される送信パラメータのタイプは、合意されたルールまたはシグナリング情報に従って決定される。たとえば、基地局は、シグナリングを通じて、ＤＣＩとＰＤＳＣＨとの間の間隔が予め定められたしきい値Ｋ未満である場合はＴＣＩフィールドの最初のビットをレートメイティング情報の通知に使用しＴＣＩフィールドの最後の２ビットをＺＰ−ＣＳＩ−ＲＳ情報の通知に使用することを、示す。これに代わるものとして、基地局は、シグナリングを通じて、ＤＣＩとＰＤＳＣＨとの間の間隔が予め定められたしきい値Ｋ未満である場合はＴＣＩフィールドの３ビットすべてをレートメイティング情報の通知に使用することを、示す。これに代わるものとして、基地局は、シグナリングを通じて、ＤＣＩとＰＤＳＣＨとの間の間隔が予め定められたしきい値Ｋ未満である場合はＴＣＩフィールドの最初の２ビットをＰＤＳＣＨ周波数ドメインリソースの通知に使用しＴＣＩフィールドの最後の１ビットをＺＰ−ＣＳＩ−ＲＳ情報の通知に使用することを、示す。
【００５５】
上記実施形態において、ＤＣＩとＰＤＳＣＨとの間の間隔がＫ未満である場合、ＴＣＩフィールドは、表１におけるＴＣＩの送信パラメータ以外の他のタイプの送信パラメータを示すために使用され、表１には存在しない送信パラメータタイプを示すために使用されてもよい。たとえば、ＴＣＩフィールドはＣＳＩ情報を示すために使用される（ＣＳＩ情報は、非周期的ＣＳＩ−ＲＳまたは非周期的ＣＳＩのうちの少なくとも一方の報告をトリガするために使用される）。このように、ＤＣＩとＰＤＳＣＨとの間の間隔がＫ未満である場合、ＤＣＩにおけるＴＣＩフィールドは、ＣＳＩトリガ情報を示すために使用され、ＤＣＩとＰＤＳＣＨとの間の間隔がＫよりも大きい場合、ＴＣＩフィールドは、ＴＣＩ情報を示すために使用され、この場合、ＣＳＩ情報はＤＣＩにおいて示すことができない。
【００５６】
具体例としての実施形態２
この実施形態では、物理層動的制御シグナリングと第１の信号との間の送信間隔と、予め定められたしきい値との間の関係に従い、物理層動的制御シグナリングの指定されたインジケータが示す送信パラメータタイプの情報、または、物理層動的制御シグナリングが、指定された送信パラメータタイプを示す指示情報を含むか否かの情報、のうちの少なくとも１つを決定する。
【００５７】
ある実施形態において、第１の制御シグナリングと第１の信号との間の送信時間間隔と、予め定められたしきい値Ｋとの間の関係が、関係１である場合、物理層動的制御シグナリングの指定されたインジケータは、第１のタイプの送信パラメータを示すために使用され、第１の制御シグナリングと第１の信号との間の送信時間間隔と、予め定められたしきい値Ｋとの間の関係が、関係２である場合、物理層動的制御シグナリングの指定されたインジケータは、第２のタイプの送信パラメータを示すために使用される。
【００５８】
ある実施形態において、第１の制御シグナリングと第１の信号との間の送信時間間隔と、予め定められたしきい値Ｋとの間の関係が、関係１である場合、物理層動的制御シグナリングは、指定された送信パラメータタイプを示す指示情報を含み、第１の制御シグナリングと第１の信号との間の送信時間間隔と、予め定められたしきい値Ｋとの間の関係が、関係２である場合、物理層動的制御シグナリングは、指定された送信パラメータタイプを示す指示情報を含まない。
【００５９】
ある実施形態において、関係１は、物理層動的制御シグナリングと第１の信号との間の送信間隔が予め定められたしきい値未満であるという関係であり、関係２は、物理層動的制御シグナリングと第１の信号との間の送信間隔が予め定められたしきい値以上であるという関係である。これに代わるものとして、関係１は、物理層動的制御シグナリングと第１の信号との間の送信間隔が予め定められたしきい値以下であるという関係であり、関係２は、物理層動的制御シグナリングと第１の信号との間の送信間隔が予め定められたしきい値よりも大きいという関係である。
【００６０】
ある実施形態において、送信パラメータは、第１の信号の送信パラメータであってもよく、または第２の信号の送信パラメータであってもよい。
【００６１】
ある実施形態において、ＤＣＩとＰＤＳＣＨ（第１の信号）との間の送信時間間隔がＫ未満である場合、表１におけるＤＣＩの番号１７のインジケータは、レートメイティング指示情報を示すために使用され、ＤＣＩとＰＤＳＣＨとの間の送信時間間隔がＫ以上である場合、表１におけるＤＣＩの番号１７のインジケータは、ＴＣＩ情報を示すために使用される。
【００６２】
これに代わるものとして、ＤＣＩとＰＤＳＣＨ（第１の信号）との間の送信時間間隔がＫ未満である場合、表１におけるＤＣＩの番号１７のインジケータは、ＣＳＩ要求情報を示すために使用され、ＤＣＩとＰＤＳＣＨとの間の送信時間間隔がＫ以上である場合、表１におけるＤＣＩの番号１７のインジケータは、ＴＣＩ情報（すなわち、ＰＤＳＣＨのＤＭＲＳのＱＣＬパラメータに関する情報）を示すために使用される。すなわち、ＤＣＩとＰＤＳＣＨとの間の間隔がＫ未満である場合、ＤＬグラントのＤＣＩはＣＳＩ要求指示情報を含み、ＤＣＩとＰＤＳＣＨとの間の間隔がＫ以上である場合、ＤＬグラントのＤＣＩはＣＳＩ要求指示情報を含まない。
【００６３】
具体例としての実施形態３
上記具体例としての実施形態１および具体例としての実施形態２において、第１の送信パラメータの値セットに含まれる候補パラメータ値の数は、第１の関係に従って変化する。たとえば、ＤＣＩとＰＤＳＣＨとの間の間隔がＫ未満である場合、第１の送信パラメータの値セットはＸ１値を含み、ＤＣＩとＰＤＳＣＨとの間の間隔がＫよりも大きい場合、第１の送信パラメータの値セットはＸ２値を含む。これに代わるものとして、ＤＣＩとおＰＤＳＣＨとの間の間隔がＫ未満である場合、ＤＣＩにおいて制御シグナリングによって示される第１の送信パラメータのインデックス値によって参照されるインデックス値と、第１の送信値との間の対応マッピングテーブルは、（表３のような）テーブル１であり、ＤＣＩとＰＤＳＣＨとの間の間隔がＫよりも大きい場合、ＤＣＩにおいて制御シグナリングによって示される第１の送信パラメータのインデックス値によって参照されるインデックス値と、第１の送信値との間の対応マッピングテーブルは、（表４のような）テーブル２である。
【００６４】
ある実施形態において、ＴＣＩフィールドがＤＣＩに存在するか否かも、ＣＯＲＥＳＥＴごとに設定される。ＣＯＲＥＳＥＴ１におけるＤＣＩにはＴＣＩフィールドが存在しないと設定される、すなわち、ＣＯＲＥＳＥＴ１におけるＤＣＩは、表１における番号１７の送信パラメータインジケータを含まない。ＣＯＲＥＳＥＴ２におけるＤＣＩにはＴＣＩフィールドが存在すると設定される、すなわち、ＣＯＲＥＳＥＴ２におけるＤＣＩは、表１における番号１７の送信パラメータインジケータを含む。加えて、ＤＣＩとＰＤＳＣＨとの間の送信間隔が合意されたしきい値（Ｋなど）未満であることが同意された場合、ＤＣＩにおけるＴＣＩフィールドは、レートメイティング情報を示すために使用されることが、合意される。したがって、ＣＯＲＥＳＥＴ２において送信されるＤＣＩにおいて示されるレートメイティング情報によって参照されるインデックス値およびレートメイティング情報は、２つのテーブル、すなわち表５および表６に示される。ＤＣＩとＰＤＳＣＨとの間の間隔が予め定められたしきい値未満である場合、表５が参照され、ＤＣＩとＰＤＳＣＨとの間の間隔が予め定められたしきい値以上である場合、表６が参照され、ＣＯＲＥＳＥＴ１におけるＤＣＩにおいて示されるレートメイティング情報によって参照されるインデックス値およびレイティング情報も、表６を参照する。これに代わるものとして、ＣＯＲＥＳＥＴ１におけるＤＣＩにおいて示されるレートメイティング情報によって参照されるインデックス値およびレートメイティング情報は、表６−２等の、表６と異なるテーブルを参照する、すなわち、この場合、レートメイティング情報によって参照されるテーブルは３つある。このように、基地局が上位層シグナリングを通じてレートメイティング情報を通知するとき、基地局は、テーブルごとにレートメイティング情報を通知する必要がある、または、上位層が、表６および表５の情報を１つのシグナリングを通じて通知し、表６−２の情報を別の１つのシグナリングを通じて通知する。
【００６５】
すなわち、ＤＣＩとＰＤＳＣＨとの間の送信間隔がＫ未満である場合、ＤＣＩにおいて示されるレートメイティング情報のインデックス情報によって参照されるテーブルは、表５である。その他の場合において、ＤＣＩにおいて示されるレートメイティング情報のインデックス情報によって参照されるテーブルは、表６である。ＴＣＩフィールドがＤＣＩに存在しない場合、ＤＣＩにおいて示されるレートメイティング情報のインデックス情報によって参照されるテーブルは、表６である、または、ＤＣＩにおいて示されるレートメイティング情報のインデックス情報によって参照されるテーブルは、表６−２である。
【００６６】
上記実装形態において、ＤＣＩにおいて示されるレートメイティング情報によって参照されるＹ個のテーブルがある。同様に、ＤＣＩにおいて示されるその他の送信パラメータタイプによって参照されるＹ個のテーブルがあってもよい。上記実装形態において、Ｙは、Ｙ＝２またはＹ＝３等の、１よりも大きい数である。
【００６７】
具体例としての実施形態４
上記実施形態において、第１の情報に従って第２の情報が決定される。第２の情報は、以下の情報、すなわち、第１の送信パラメータを通知するために制御シグナリングにおいて使用されるビットの数Ｎ、第１の送信パラメータの値と、制御シグナリングにおける第１の送信パラメータに関する情報を通知するための参照されるインデックス値との間の対応テーブル、制御シグナリングにおいて予め定められた指示フィールドによって通知される第１の送信パラメータのタイプ、または、第１の送信パラメータを通知するために制御シグナリングにおいて使用されるビットの位置情報、のうちの少なくとも１つの情報を含む。第１の情報は、予め定められたしきい値と、制御シグナリングと第１の信号との間の送信時間間隔との間の関係を含む。
【００６８】
この実施形態において、第１の情報は、下記の情報１から情報１０までの情報のうちの少なくとも１つの情報をさらに含む。
【００６９】
情報１：第２の制御シグナリングに含まれる情報。たとえば、基地局はシグナリング情報を端末に送信し、シグナリング情報において、以下の情報、すなわち、他の送信パラメータタイプの通知のためにＴＣＩフィールドを使用し得るか否か、通知のためにＴＣＩフィールドを使用できる送信パラメータタイプ、または、通知のためにＴＣＩフィールドのビットを使用できる送信パラメータタイプ、のうちの少なくとも１つの情報が、通知される。第２の制御シグナリングにおいて通知される情報は、第２の情報を決定するために使用される。
【００７０】
情報２：第１の制御シグナリングが位置するＣＯＲＥＳＥＴに対応付けられたＴＣＩ−ＰｒｅｓｅｎｔＩｎＤＣＩパラメータ。ＴＣＩ−ＰｒｅｓｅｎｔＩｎＤＣＩは、ＣＯＲＥＳＥＴにおいて送信されるＤＬグラントのＤＣＩにＴＣＩフィールドが存在するか否か、すなわち、表１における番号１７のインジケータが存在するか否かを設定するために使用される。たとえば、ＣＯＲＥＳＥＴに対応付けられたＴＣＩ−ＰｒｅｓｅｎｔＩｎＤＣＩがイネーブルされない場合、ＣＯＲＥＳＥＴにおけるＤＣＩにＴＣＩフィールドは存在せず、第１の送信パラメータによって使用されるビットの数は、ＤＣＩとＰＤＳＣＨとの間の送信時間間隔が予め定められたしきい値Ｋ未満であるか否かに関係なく、変わらない。
【００７１】
情報３：信号が位置するキャリア周波数が予め定められたしきい値Ｋ未満であるか否か。たとえば、ＰＤＳＣＨが６ＧＨｚを下回る場合、第１の情報に従って第２の情報を決定するメカニズムは開始されない。これに代わるものとして、情報３は、端末が、処理できる周波数ドメイン範囲を送信することに関する情報であり、周波数ドメインを処理する端末の能力がＦＲ１である（すなわち、端末が処理できる周波数ドメイン範囲が予め定められたしきい値未満、たとえば６ＧＨｚ未満である）場合、第１の情報に従って第２の情報を決定するメカニズムは開始されない。
【００７２】
情報４：空間Ｒｘパラメータで構成された少なくとも１つのＣＯＲＥＳＥＴが、第１の通信ノードによって検出される必要があるＣＯＲＥＳＥＴセットに存在するか否か。たとえば、空間Ｒｘパラメータで構成されたＣＯＲＥＳＥＴが、端末によって検出される必要があるＣＯＲＥＳＥＴセットに存在しない場合、第１の情報に従って第２の情報を決定するメカニズムは開始されない。
【００７３】
情報５：空間Ｒｘパラメータで構成された少なくとも１つのＣＯＲＥＳＥＴが、第１の通信ノードによって検出される必要がある専用サーチ空間に対応付けられたＣＯＲＥＳＥＴに存在するか否か。たとえば、空間Ｒｘパラメータで構成されたＣＯＲＥＳＥＴが、端末によって検出される必要がある専用サーチ空間に対応付けられたＣＯＲＥＳＥＴに存在しない場合、第１の情報に従って第２の情報を決定するメカニズムは開始されない。
【００７４】
情報６：信号に最も近い時間ユニットにおける最小ＣＯＲＥＳＥＴ  ＩＤを有するＣＯＲＥＳＥＴが、空間Ｒｘパラメータで構成されているか否か。たとえば、ＰＤＳＣＨ／非周期的ＣＳＩ−ＲＳ（ＡＰ−ＣＳＩ−ＲＳ）に最も近い時間ユニットにおける最小ＣＯＲＥＳＥＴ  ＩＤを有するＣＯＲＥＳＥＴが、空間Ｒｘパラメータで構成されていない場合、第１の情報に従って第２の情報を決定するメカニズムは開始されない。
【００７５】
情報７：信号に最も近い時間ドメインシンボルにおける最小ＣＯＲＥＳＥＴ  ＩＤを有するＣＯＲＥＳＥＴが、空間Ｒｘパラメータで構成されているか否か。たとえば、ＰＤＳＣＨ／ＡＰ−ＣＳＩ−ＲＳに最も近い時間ドメインシンボルにおける最小ＣＯＲＥＳＥＴ  ＩＤを有するＣＯＲＥＳＥＴが、空間Ｒｘパラメータで構成されていない場合、第１の情報に従って第２の情報を決定するメカニズムは開始されない。
【００７６】
情報８：信号に対応付けられたＴＣＩ状態プールに少なくとも１つのＴＣＩ状態が存在するか否か。ＴＣＩ状態のＲＳセットに対応するＱＣＬパラメータは、空間Ｒｘパラメータを含む。たとえば、ＰＤＳＣＨに対応付けられたＲＲＣによって構成されるＴＣＩ状態プール１にＴＣＩ状態が存在せず、かつ、ＴＣＩ状態の１つのＤＬ−ＲＳに対応するＱＣＬパラメータが空間Ｒｘパラメータを含む場合、第１の情報に従って第２の情報を決定するメカニズムは開始されない。
【００７７】
情報９：信号に対応付けられたアクティベーションＴＣＩ状態プールに少なくとも１つのＴＣＩ状態が存在するか否か。ＴＣＩ状態のＲＳセットに対応するＱＣＬパラメータは、空間Ｒｘパラメータを含む。たとえば、ＴＣＩ状態が、ＰＤＳＣＨに対応付けられたＭＡＣ−ＣＥアクティベーションＴＣＩ状態プールに、または、ＤＣＩのＴＣＩフィールドが示すことができるＴＣＩ状態によって形成されたＴＣＩ状態プールに存在せず、かつ、ＴＣＩ状態の１つのＤＬ−ＲＳに対応するＱＣＬパラメータが空間Ｒｘパラメータを含む場合、第１の情報に従って第２の情報を決定するメカニズムは開始されない。
【００７８】
情報１０：第１の通信ノードによって報告される、周波数ドメイン範囲を処理する能力に関する情報。たとえば、端末によって報告される、端末が処理できる周波数ドメイン範囲がＦＲ１である（すなわち、処理できる周波数ドメイン範囲が６ＧＨｚ未満である）場合、第１の情報に従って第２の情報を決定するメカニズムは開始されない。端末によって報告される、端末が処理できる周波数ドメイン範囲がＦＲ２である（すなわち、処理できる周波数ドメイン範囲が６ＧＨｚ以上である）場合、第１の情報に従って第２の情報を決定するメカニズムは開始されない。
【００７９】
具体例としての実施形態５
この実施形態において、ＤＣＩにおいて通知されるＴＣＩフィールドによって参照されるテーブルは、ＤＣＩとＰＤＳＣＨとの間の間隔と、予め定められたしきい値Ｋとの間の関係に従って決定される。
【００８０】
ある実施形態において、ＤＣＩとＰＤＳＣＨとの間の間隔が予め定められたしきい値Ｋ未満である場合、ＤＣＩにおけるＴＣＩによって参照されるテーブルは、表７であり、ＤＣＩとＰＤＳＣＨとの間の間隔が予め定められたしきい値Ｋ以上である場合、ＤＣＩにおけるＴＣＩによって参照されるテーブルは、表８である。ＴＣＩ状態１０〜ＴＣＩ状態１７およびＴＣＩ状態２０〜ＴＣＩ状態２７は、異なる上位層制御シグナリングによって構成される。上位層制御シグナリングは、ＲＲＣシグナリングまたはＭＡＣ−ＣＥシグナリングのうちの少なくとも一方を含む。
【００８１】
ある実施形態において、ＤＣＩとＰＤＳＣＨとの間の間隔がＫ未満である場合、ＰＤＳＣＨのＤＭＲＳの空間Ｒｘパラメータは、合意されたルールに従って取得され（たとえば、ＰＤＳＣＨのＤＭＲＳの空間Ｒｘパラメータは、最も近いスロットにおける最小ＣＯＲＥＳＥＴ  ＩＤを有するＣＯＲＥＳＥＴの空間Ｒｘパラメータの構成に従って取得される）、ＰＤＳＣＨのＤＭＲＳのその他のＱＣＬパラメータ情報は、ＤＣＩにおけるＴＣＩフィールドに従い、かつ、表７を参照して取得される。これに代わるものとして、ＰＤＳＣＨのＤＭＲＳのすべてのＱＣＬパラメータは、ＤＣＩにおけるＴＣＩフィールドによって示される情報に従い、かつ表７を参照して取得され、表７の構成は制限される。ＤＣＩとＰＤＳＣＨとの間の間隔がＫ以上である場合、ＰＤＳＣＨのＤＭＲＳのすべてのＱＣＬパラメータが、ＤＣＩにおけるＴＣＩフィールドによって示される情報に従い、かつ表８を参照して取得される。
【００８２】
【表７】
2021515473.tif 000009
【００８３】
【表８】
2021515473.tif 000010
【００８４】
ＰＤＳＣＨのＱ個のＤＭＲＳグループと、Ｑ個のＤＬ−ＲＳセットとの間の対応関係を確立するために、１つの状態を使用し、Ｑは１以上の整数である。表９に示されるように、対応関係（ＤＭＲＳグループ１，ＤＬ−ＲＳセット１）および（ＤＭＲＳグループ２，ＤＬ−ＲＳセット２）は、ＴＣＩ状態ｎにおいて確立され、ＤＬ−ＲＳセット１は｛ＤＬ−ＲＳ１，ＤＬ−ＲＳ２｝を含み、ＤＬ−ＲＳセット２はＤＬ−ＲＳ３を含む。ＤＭＲＳグループ１において、ＱＣＬ関係は、ＱＣＬタイプ１のＱＣＬパラメータおよびＤＬ−ＲＳ１について存在し、各ＱＣＬタイプは、ドップラーシフト、ドップラースプレッド、平均遅延、遅延スプレッド、平均利得、または空間Ｒｘパラメータ、というパラメータのうちの少なくとも１つを含む。ＤＬ−ＲＳは、ＣＳＩ−ＲＳ／同期信号および物理ブロードキャストチャネル（physical broadcast channel：ＰＢＣＨ）ブロック（ＳＳＢ）／ＰＢＣＨのＤＭＲＳであってもよく、ＤＭＲＳグループを、ＱＣＬターゲット参照信号と呼んでもよく、ＤＬ−ＲＳも、ＱＣＬ参照信号と呼んでもよい。
【００８５】
【表９】
2021515473.tif 000011
【００８６】
ある実施形態において、表７の各ＴＣＩ状態に対応付けられるＱＣＬタイプは空間Ｒｘパラメータを含み、このＱＣＬパラメータによって形成されたＤＬ−ＲＳセットは予め定められた制限条件を有する。制限条件は、このＤＬ−ＲＳセットがＤＬ−ＲＳを１つだけ含むこと、このセットにおける各２つのＤＬ−ＲＳは空間Ｒｘパラメータに対してＱＣＬであること、このセットにおけるＤＬ−ＲＳを端末が同時に受信し得ること、このＤＬ−ＲＳセットは空のセットであること、または、このセットにおけるＤＬ−ＲＳは１つのグループに属すること、のうちの少なくとも１つを含み、グループは、基地局によって割り当てられてもよく、または、端末によって報告されてもよい。ある実施形態において、たとえば、表７の８つの状態の対応するＱＣＬ−タイプは、空間ＲｘパラメータのＤＬ−ＲＳを含み、これは、｛ＤＬ−ＲＳ１００，ＤＬ−ＲＳ１０１，ＤＬ−ＲＳ１０２，ＤＬ−ＲＳ１０３，ＤＬ−ＲＳ１０４，ＤＬ−ＲＳ１０５，ＤＬ−ＲＳ１０６，ＤＬ−ＲＳ１０７｝を含む（すなわち、状態ｉのＤＭＲＳグループおよびＤＬ−ＲＳ１０ｉは、少なくとも空間ＲｘパラメータについてＱＣＬ関係を満たし、ｉ＝０，１，…，７である）。このセットにおける各２つのＤＬ−ＲＳは空間Ｒｘパラメータに対してＱＣＬである、または、これらのＤＬ−ＲＳは端末によって同時に受信されてもよい、または、表７の８つの状態の対応するＱＣＬタイプに含まれる空間ＲｘパラメータのＤＬ−ＲＳはすべてＤＬ−Ｒ１００である、または、表７の８つの状態のＤＬ−ＲＳに対応付けられたすべてのＱＣＬタイプは空間Ｒｘパラメータを含まない。この場合、ＰＤＳＣＨのＤＭＲＳの空間Ｒｘパラメータが合意されたルールに従って取得されることが合意され、たとえば、この場合ＰＤＳＣＨのＤＭＲＳおよび最小ＣＯＲＥＳＥＴ  ＩＤのＤＭＲＳは、空間Ｒｘパラメータに対してＱＣＬである。
【００８７】
ある実施形態において、ＤＣＩとＰＤＳＣＨとの間の間隔が予め定められたしきい値Ｋ未満である場合、ＤＣＩに含まれるＴＣＩフィールドによって参照されるテーブルは表７であり、ＤＣＩとＰＤＳＣＨとの間隔が予め定められたしきい値Ｋ以上である場合、ＤＣＩにおけるＴＣＩフィールドによって参照されるテーブルは表８である。表７のＴＣＩ状態の空間Ｒｘパラメータに対応付けられたＤＬ−ＲＳの構成は限定される、すなわち、これらのＴＣＩ状態に対応付けられた１つまたは有限数のビームが存在し、よって、この場合、端末はＤＣＩを復号しておらず、端末はＤＣＩが復号される前にＰＤＳＣＨの空間Ｒｘパラメータを知っている必要がある。しかしながら、表８において、このような限定は存在しない。このため表７も表８も必要である。
【００８８】
表７の構成は上位層シグナリングを通じて設定される。ＤＣＩとＰＤＳＣＨとの間の送信時間間隔がＫ未満であっても、異なる時間に異なるビームを使用できるようにするために、複数の表７を構成してもよい。各表７の有効時間ドメインパターンが構成される。たとえば、表７−１の周期および周期オフセットが設定され、表７−２の周期および周期オフセットが設定される。これに代わるものとして、２つの表７、すなわち表７−１および表７−２が存在する。表７−１の周期および周期オフセットが設定される。他のスロットについて、表７−２が参照される。すなわち、ＤＣＩが表７−１に示されるスロットに含まれる場合、ＤＣＩにおいて通知されるＴＣＩフィールドは表７−１を参照し、ＤＣＩが他のスロットに含まれる場合、ＤＣＩにおいて通知されるＴＣＩフィールドは表７−２を参照する。これに代わるものとして、表７−１、表７−２、および表７−３のような３つの表７が構成されてもよく、表７−１の周期および周期オフセットが設定され、表７−２の周期および周期オフセットも設定されもよく、表７−３の周期および周期オフセットは設定されない。表７−１が位置するスロットにＤＣＩが含まれる場合、ＤＣＩにおけるＴＣＩフィールドは表７−１を参照し、表７−２が位置するスロットにＤＣＩが含まれる場合、ＤＣＩにおけるＴＣＩフィールドは表７−２を参照し、ＤＣＩが他のスロットに含まれる場合、ＤＣＩにおけるＴＣＩフィールドは表７−３を参照する。要約すると、ＤＣＩとＰＤＳＣＨとの間の間隔が予め定められたしきい値未満である場合、ＰＤＳＣＨのＱＣＬ情報は、ＤＣＩに示されるＴＣＩ指示情報に従い、かつ、ＰＤＳＣＨが位置するスロットにおける対応するＴＣＩによって参照されるテーブルを参照して、取得される。図５は、表７−１〜表７−３に対応する時間ドメインパターンを示す。ＰＤＳＣＨがスロットｎに含まれＰＤＳＣＨとＤＣＩとの間の間隔が予め定められたしきい値Ｋ未満である場合、ＰＤＳＣＨのＤＭＲＳのＱＣＬパラメータは、ＤＣＩに示されるＴＣＩ情報に従い、かつ、表７−１を参照して取得され、ＰＤＳＣＨがスロットｎ＋１に含まれＰＤＳＣＨとＤＣＩとの間の間隔が予め定められたしきい値Ｋ未満である場合、ＰＤＳＣＨのＤＭＲＳのＱＣＬパラメータは、ＤＣＩに示されるＴＣＩ情報に従いかつ表７−２を参照して取得され、ＰＤＳＣＨがスロットｎに含まれＰＤＳＣＨとＤＣＩとの間の間隔が予め定められたしきい値Ｋ以上である場合、ＰＤＳＣＨのＤＭＲＳのＱＣＬパラメータは、ＤＣＩに示されるＴＣＩ情報に従いかつ表８を参照して取得される。
【００８９】
同様に、ＡＰ−ＣＳＩ−ＲＳのＴＣＩパラメータに対応するテーブルは、ＤＣＩとＡＰ−ＣＳＩ−ＲＳとの間の間隔と、予め定められたしきい値との間の関係に従って決定される。
【００９０】
ある具体例としての実施形態において、ＴＣＩ指示情報が、ＤＭＲＳグループ／ＣＳＩ−ＲＳポートグループとＤＬ−ＲＳセットとの間のＱＣＬ関係を示すために使用される、すなわち、１つのＴＣＩインデックス情報は１つの状態に対応し、１つの状態はＱ個のＤＭＲＳグループとＱ個のＤＬ−ＲＳセットとの間の対応関係を含み、１つのＤＬ−ＲＳセットは１つ以上のＤＬ−ＲＳを含み、各ＤＬ−ＲＳはＱＣＬパラメータセットに対応付けられ、ＤＭＲＳグループ／ＣＳＩ−ＲＳポートグループにおける参照信号と、ＤＭＲＳグループ／ＣＳＩ−ＲＳポートグループに対応付けられたＤＬ−ＲＳセットにおけるＤＬ−ＲＳとが、ＱＣＬパラメータセットについてＱＣＬ関係を満たすことを示す。２つの参照信号が１つのＱＣＬパラメータについてＱＣＬ関係を満たし、１つの参照信号のＱＣＬパラメータは２つの参照信号のＱＣＬパラメータを通じて取得し得ることを示す。ＱＣＬパラメータは、ドップラーシフト、ドップラースプレッド、平均遅延、遅延スプレッド、平均利得、または空間Ｒｘパラメータ、というパラメータのうちの少なくとも１つを含む。
【００９１】
この具体例としての実施形態において、２つの参照信号がＱＣＬであり、これら２つの参照信号が少なくとも空間Ｒｘパラメータに対してＱＣＬであることを示し、２つの参照信号がその他のＱＣＬパラメータに対してＱＣＬであるか否かは限定されない。
【００９２】
ある具体例としての実施形態において、チャネルは信号であってもよい、すなわち、シグナルはチャネルで送信される。たとえば、データ信号はデータチャネルで送信される。
【００９３】
ある具体例としての実施形態において、異なるＣＣが異なるサービングセル（serving cell）ＩＤを通じて対応付けられてもよい。
【００９４】
この実施形態において、制御シグナリングを受信する方法がさらに提供される。図９は、本願のある実施形態に係る、制御シグナリングを送信する方法のフローチャートである。図９に示されるように、このプロセスは以下で述べるステップＳ９０２およびステップＳ９０４を含む。
【００９５】
ステップＳ９０２において、第１の情報に従って第２の情報を決定する。
ステップＳ９０４において、第２の情報に従って第１の制御シグナリングを受信する。
【００９６】
第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、送信時間間隔は、第１の制御シグナリングと第１の信号との間の間隔であり、ＮおよびＫは負でない整数である。
【００９７】
ある実施形態において、第１の制御シグナリングと第１の信号との間の送信時間間隔と、予め定められたしきい値Ｋとの間の関係が、第１の関係である場合、Ｎの値はＮ１を含み、第１の制御シグナリングと第１の信号との間の送信時間間隔と、予め定められたしきい値Ｋとの間の関係が、第２の関係である場合、Ｎの値はＮ２を含み、Ｎ１およびＮ２は整数である。
【００９８】
Ｎ１とＮ２との間の関係は、Ｎ１はＮ２よりも大きい、Ｎ１とＮ２の差が、送信設定指示（ＴＣＩ）フィールドが占めるビットの数以下である、または、Ｎ１とＮ２の差が、第２の送信パラメータに関する情報を通知するのに必要なビットの数以下である、のうちの少なくとも１つを満たす。
【００９９】
ある実施形態において、第１の制御シグナリングと第１の信号との間の送信時間間隔と、予め定められたしきい値Ｋとの間の関係が、第１の関係である場合、対応マッピングテーブルは第１の対応マッピングテーブルであり、第１の制御シグナリングと第１の信号との間の送信時間間隔と、予め定められたしきい値Ｋとの間の関係が、第２の関係である場合、対応マッピングテーブルは第２のマッピングテーブルである。
【０１００】
ある実施形態において、第１の対応マッピングテーブル、第２の対応マッピングテーブル、送信パラメータ値セット１および送信パラメータ値セット２のうちのいずれの１つも、以下の方法のうちの少なくとも１つの方法で決定され、方式１において、送信されるシグナリング情報に内容が含まれ、方式２において、送信端および受信端によりルールが予め合意されている。送信パラメータ値セット１は、第１の対応マッピングテーブルに含まれる第１の送信パラメータの値セットに対応し、送信パラメータ値セット２は、第２の対応マッピングテーブルに含まれる第１の送信パラメータの値セットに対応する。
【０１０１】
ある実装形態において、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットは、１つのＤＬ−ＲＳのみを含み、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットにおける２つのＤＬ−ＲＳごとに、空間ＲｘパラメータについてＱＣＬ関係を満たす。
【０１０２】
第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットのＤＬ−ＲＳは、第１の通信ノードによって同時に受信されることができ、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットは、空のセットである。第１の通信ノードは、第１の信号または第１の制御シグナリングのうちの少なくとも一方を受信するための通信ノードである。
【０１０３】
ある実施形態において、第１の送信パラメータのタイプは、第１の制御シグナリングに含まれる、ＴＣＩの送信パラメータタイプを除く、１つ以上の送信パラメータタイプを含む、または、第１の送信パラメータのタイプは、ＴＣＩの送信パラメータである。
【０１０４】
ある実施形態において、第１の送信パラメータは、第１の送信パラメータは第１の信号の送信パラメータであること、または、第１の送信パラメータは第２の信号の送信パラメータであること、のうちの少なくとも１つを満たす。
【０１０５】
ある実施形態において、第１の信号または第２の信号は、復調参照信号、測定参照信号、制御チャネル信号、またはデータチャネル信号、のうちの少なくとも１つを含み、第１の制御シグナリングは物理層制御シグナリングである。
【０１０６】
ある実装形態において、第１の情報は、第２の制御シグナリングに含まれる情報、第１の制御シグナリングが位置するＣＯＲＥＳＥＴに対応するＴＣＩ−ＰｒｅｓｅｎｔＩｎＤＣＩがイネーブルされるか否かに関する情報、第１の信号または第２の信号が位置するキャリア周波数と、予め定められたしきい値Ｇとの間の関係の情報、第１の通信ノードによってフィードバックされる、サポートされる周波数範囲能力の情報、予め定められたしきい値Ｋが０であるか否かの情報、空間Ｒｘパラメータで構成された少なくとも１つのＣＯＲＥＳＥＴが、第１の通信ノードによって検出される必要があるＣＯＲＥＳＥＴに存在するか否かの情報、空間Ｒｘパラメータで構成された少なくとも１つのＣＯＲＥＳＥＴが、第１の通信ノードによって検出される必要がある専用サーチ空間に対応付けられたＣＯＲＥＳＥＴに存在するか否かの情報、第１の信号または第２の信号に最も近い時間ユニットにおける最小ＣＯＲＥＳＥＴ  ＩＤを有するＣＯＲＥＳＥＴが、空間Ｒｘパラメータで構成されているか否かの情報、第１の信号または第２の信号に最も近い時間ドメインシンボルにおける最小ＣＯＲＥＳＥＴ  ＩＤを有するＣＯＲＥＳＥＴが、空間Ｒｘパラメータで構成されているか否かの情報、第１の信号または第２の信号に対応付けられたＴＣＩ状態プールに少なくとも１つのＴＣＩ状態が存在するか否かの情報であり、ＴＣＩ状態におけるＲＳセットに対応するＱＣＬパラメータは空間Ｒｘパラメータを含む、情報、または、第１の信号または第２の信号に対応付けられたアクティベーションＴＣＩ状態プールに少なくとも１つのＴＣＩ状態が存在するか否かの情報であり、ＴＣＩ状態におけるＲＳセットに対応するＱＣＬパラメータは空間Ｒｘパラメータを含む、情報、のうちの、少なくとも１つの情報をさらに含む。第１の通信ノードは、第１の信号または第２の信号のうちの少なくとも一方を受信するための通信ノードである。
【０１０７】
ある実施形態において、第１の制御シグナリングと第１の信号との間の送信時間間隔と、予め定められたしきい値Ｋとの間の関係が、第１の関係である場合、第１の制御シグナリングにおいて予め定められた指示フィールドによって通知される第１の送信パラメータのタイプは、送信パラメータの第１のタイプであり、第１の制御シグナリングと第１の信号との間の送信時間間隔と、予め定められたしきい値Ｋとの間の関係が、第２の関係である場合、第２の制御シグナリングにおいて予め定められた指示フィールドによって通知される第１の送信パラメータのタイプは、送信パラメータの第２のタイプである。
【０１０８】
ある実施形態において、第１の制御シグナリングと第１の信号との間の送信時間間隔が予め定められたしきい値Ｋ未満である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋ以上である場合、第１の制御シグナリングと第１の信号との間の送信時間間隔と、予め定められたしきい値Ｋとの間の関係は、第２の関係である。これに代わるものとして、制御シグナリングと第１の信号との間の送信時間間隔が予め定められたしきい値Ｋ以下である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋよりも大きい場合、第１の制御シグナリングと第１の信号との間の送信時間間隔と、予め定められたしきい値Ｋとの間の関係は、第２の関係である。これに代わるものとして、制御シグナリングと第１の信号との間の送信時間間隔が予め定められたしきい値Ｋ以上である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋ未満である場合、関係は第２の関係である。
【０１０９】
上記実装形態の説明に従うと、上記実施形態における方法は、ソフトウェアとそれに加えて必要な汎用ハードウェアプラットフォームとによって実現し得る、または、当然ハードウェアによって実現し得ることは、当業者には明らかである。しかしながら、多くの場合は前者が好ましい実装形態である。この理解に基づくと、実質的にまたは部分的に関連技術に寄与する本願の技術的解決策は、ソフトウェア製品の形態で実施し得るものである。コンピュータソフトウェア製品は、記憶媒体（読出専用メモリ（ＲＯＭ）／ランダムアクセスメモリ（ＲＡＭ）、磁気ディスクまたは光ディスク等）に格納され、本願の実施形態における方法を端末装置（携帯電話、コンピュータ、サーバまたはネットワークデバイスであってもよい）が実行できるようにするためのいくつかの命令を含む。
【０１１０】
実施形態２
この実施形態では情報を決定する方法が提供される。図１０は、本願のある実施形態に係る、情報を決定するための方法のフローチャートである。図１０に示されるように、このプロセスは下記のステップＳ１００２を含む。
【０１１１】
ステップＳ１００２において、第１の情報に従って第２の情報を決定する。
第２の情報は、第１の信号のＱＣＬパラメータ、第２の信号が位置する時間ドメイン位置で第１の信号を送信する方法、または第２の信号が位置する時間ドメイン位置で第１の信号を受信する方法、のうちの少なくとも１つを含み、第１の情報は、指定されたＣＯＲＥＳＥＴの後の予め定められた時間ウィンドウに第２の信号が存在するか否か、第１の信号と指定されたＣＯＲＥＳＥＴとの間の間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間Ｒｘパラメータと第２の信号に対応する第２の空間Ｒｘパラメータとの間の関係、のうちの少なくとも１つの情報を含み、Ｘ１およびＸ２は実数である。
【０１１２】
指定されたＣＯＲＥＳＥＴは予め定められたＣＯＲＥＥＴを意味する、すなわち、指定されたＣＯＲＥＳＥＴは、予め定められたルールに従って得られたＣＯＲＥＳＥＴを意味する。
【０１１３】
上記ステップＳ１００２において、第１の情報に従って第２の情報が決定され、第２の情報は、第１の信号のＱＣＬパラメータ、第２の信号が位置する時間ドメイン位置で第１の信号を送信する方法、または第２の信号が位置する時間ドメイン位置で第１の信号を受信する方法、のうちの少なくとも１つを含み、第１の情報は、指定されたＣＯＲＥＳＥＴの後の予め定められた時間ウィンドウに第２の信号が存在するか否か、第１の信号と指定されたＣＯＲＥＳＥＴとの間の間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間Ｒｘパラメータと第２の信号に対応する第２の空間Ｒｘパラメータとの間の関係、のうちの少なくとも１つの情報を含み、Ｘ１およびＸ２は実数である。ある実施形態において、第１の信号は決定された第２の情報に従って送信または受信される。すなわち、２つの信号間の多重化という問題または２つの信号を受信するという問題が、信号および制御チャネルリソースによって、または、信号と、この信号をスケジューリングする制御シグナリングとの間の時間間隔と、予め定められたしきい値との間の関係によって判断される。このように、関連技術では、端末が制御シグナリングを検出するときに遅延があり、同時に生成される無線周波数ビームが限られていることが原因で信号を正しく受信できないという欠陥は、克服される。
【０１１４】
ある実施形態において、上記ステップは基地局によって実行されてもよいが、これに限定される訳ではない。
【０１１５】
ある実施形態において、第１の制御シグナリングのフォーマットまたは第２の制御シグナリングのフォーマットのうちの少なくとも一方が、上記実施形態１で説明した方法に従って決定されてもよい。
【０１１６】
ある実施形態において、第１の制御シグナリングは、第１の信号をスケジューリングする物理層動的制御シグナリングであり、第２の制御シグナリングは、第２の信号をスケジューリングする物理層動的制御シグナリングである。
【０１１７】
ある実装形態において、指定されたＣＯＲＥＳＥＴは、ＣＯＲＥＳＥＴは第１の信号に最も近い時間ドメインシンボルにおける最小ＣＯＲＥＳＥＴ  ＩＤを有するＣＯＲＥＳＥＴであるという特徴、ＣＯＲＥＳＥＴは第１の信号に最も近い時間ユニットにおける最小ＣＯＲＥＳＥＴ  ＩＤを有するＣＯＲＥＳＥＴであるという特徴、ＣＯＲＥＳＥＴにおいて、端末が、ダウンリンク信号またはチャネルをスケジューリングする少なくとも１つのＤＣＩを検出する必要があるという特徴、ＣＯＲＥＳＥＴは第１の信号をスケジューリングする制御シグナリングに関する情報を含まないという特徴、ＣＯＲＥＳＥＴは第２の信号をスケジューリングする制御シグナリングに関する情報を含むという特徴、ＣＯＲＥＳＥＴは少なくとも１つの専用サーチ空間に対応付けられているという特徴、ＣＯＲＥＳＥＴは、第１の信号または第２の信号の少なくとも一方に最も近い時間ユニットにおけるすべてのＣＣの最小ＣＯＲＥＳＥＴ  ＩＤを有するＣＯＲＥＳＥＴであるという特徴、ＣＯＲＥＳＥＴは、第１の信号または第２の信号のうちの少なくとも一方に最も近い時間ユニットにおける予め定められたＣＣの最小ＣＯＲＥＳＥＴ  ＩＤを有するＣＯＲＥＳＥＴであるという特徴、ＣＯＲＥＳＥＴは、第１または第２の信号のうちの少なくとも一方に最も近い時間ユニットにおける予め定められたＣＣグループの最小ＣＯＲＥＳＥＴ  ＩＤを有するＣＯＲＥＳＥＴであるという特徴、または、ＣＯＲＥＳＥＴは、時間ユニットにおけるＭ個の予め定められた時間ドメインシンボルにおけるＣＯＲＥＳＥＴであるという特徴、のうちの少なくとも１つを満たし、Ｍは、時間ユニットに含まれる時間ドメインシンボルの数以下である。
【０１１８】
ある実施形態において、第１の信号とＣＯＲＥＳＥＴとの間の時間間隔が予め定められたしきい値Ｘ１未満である場合、第１の信号のＱＣＬパラメータは、ＣＯＲＥＳＥＴのＱＣＬパラメータに従って取得され、第１の信号とＣＯＲＥＳＥＴとの間の時間間隔が予め定められたしきい値Ｘ１以上である場合、第１の信号のＱＣＬパラメータは、第１の信号の設定情報において設定されたＱＣＬパラメータに従って取得される。
【０１１９】
ある実施形態において、第１の信号とＣＯＲＥＳＥＴとの間の間隔が予め定められたしきい値Ｘ１未満である場合、第１の信号のＱＣＬパラメータの優先度は、第２の信号のＱＣＬパラメータの優先度よりも高く、第１の信号とＣＯＲＥＳＥＴとの間の間隔が予め定められたしきい値Ｘ１以上である場合、第１の信号のＱＣＬパラメータの優先度は、第２の信号のＱＣＬパラメータの優先度よりも低い。
【０１２０】
ある実施形態において、第１の信号とＣＯＲＥＳＥＴとの間の間隔が予め定められたしきい値Ｘ１未満である場合、周波数分割多重化の方式を、第１の信号と第２の信号の間に適用することはできず、第１の信号とＣＯＲＥＳＥＴとの間の間隔が予め定められたしきい値Ｘ１以上である場合、周波数分割多重化の方法を第１の信号と第２の信号の間に適用することができる。
【０１２１】
ある実施形態において、第１の信号または第２の信号のうちの少なくとも一方は、ダウンリンク測定参照信号、ダウンリンク同期信号、ダウンリンク復調参照信号、ダウンリンクデータチャネル信号、またはダウンリンク制御チャネル信号、のうちの少なくとも１つを含む。
【０１２２】
ある実施形態において、予め定められたしきい値Ｘ１は予め定められたしきい値Ｘ２に等しく、および／または第２の信号のＱＣＬパラメータは、第２の信号をスケジューリングする制御情報と第２の信号との間の間隔と、予め定められたしきい値Ｘ２との間の関係に従って決定される。
【０１２３】
ある実施形態において、第１の信号は、第１の信号は物理層動的制御シグナリングによってスケジューリングされるダウンリンク信号であるという特徴、第１の信号はダウンリンク物理制御チャネル信号であるという特徴、または、第１の信号をスケジューリングする制御シグナリングと第１の信号との間の間隔は予め定められたしきい値Ｘ１未満であるという特徴、のうちの少なくとも１つを満たす。
【０１２４】
ある実施形態において、第２の信号は、第２の信号をスケジューリングする制御シグナリングは第１の信号が位置する時間ドメインシンボルの前であるという特徴、第２の信号をスケジューリングする制御シグナリングと第１の信号が位置する時間ドメインシンボルとの間の間隔は予め定められたしきい値Ｘ３以上であるという特徴、第２の信号をスケジューリングする制御シグナリングと第２の信号が位置する開始時間ドメインシンボルとの間の間隔は予め定められたしきい値Ｘ３以上であるという特徴、第２の信号は物理層動的制御シグナリングによってスケジューリングされるダウンリンク信号であるという特徴、または、第２の信号は周期的ダウンリンク測定参照信号であるという特徴、のうちの少なくとも１つを満たし、Ｘ３は実数である。
【０１２５】
ある実施形態において、制御シグナリングは、物理層制御シグナリング、ＭＡＣ−ＣＥ制御シグナリング、またはＲＲＣシグナリングのうちの少なくとも１つを含む。
【０１２６】
ある実施形態において、第２の信号が、ＣＯＲＥＳＥＴの後の予め定められた時間ウィンドウに存在する場合、第１の信号のＱＣＬパラメータは、第２の信号のＱＣＬパラメータに従って決定され、第２の信号が、ＣＯＲＥＳＥＴの後の予め定められた時間ウィンドウに存在しない場合、第１の信号のＱＣＬパラメータは、第２の信号のＱＣＬパラメータに従って決定されず、および／または第２の信号がＣＯＲＥＳＥＴの後の予め定められた時間ウィンドウに存在しかつ第１の信号と第１の信号をスケジューリングする制御シグナリングとの間の間隔が予め定められたしきい値Ｘ１未満である場合、第１の信号のＱＣＬパラメータはＣＯＲＥＳＥＴのＱＣＬパラメータに従って取得されず、第２の信号がＣＯＲＥＳＥＴの後の予め定められた時間ウィンドウに存在せずかつ第１の信号と第１の信号をスケジューリングする制御シグナリングとの間の間隔が予め定められたしきい値Ｘ１未満である場合、第１の信号のＱＣＬパラメータはＣＯＲＥＳＥＴのＱＣＬパラメータに従って取得される。
【０１２７】
ある実施形態において、第１の信号および第２の信号は、第２の信号の空間Ｒｘパラメータは第１の信号の空間Ｒｘパラメータと異なるという特徴、第２の信号の空間Ｒｘパラメータに対応する空間フィルタおよび第１の信号の空間Ｒｘパラメータに対応する空間フィルタは第１の通信ノードによって同時に生成できないという特徴、第２の信号および第１の信号は異なるＣＣに属するという特徴、第１の信号が位置する時間ドメイン位置と第２の信号が位置する時間ドメイン位置との交差部が、空ではないセットであるという特徴、第１の信号および第２の信号が同一の時間ドメイン位置にあるという特徴、または、第２の信号の優先度が第１の信号の優先度よりも高いという特徴、のうちの少なくとも１つを満たす。
【０１２８】
ある実施形態において、第２の情報が第１の信号のＱＣＬパラメータである場合、第１の情報に従って第２の情報を決定するステップは、第１の信号のＱＣＬパラメータと第２の信号のＱＣＬパラメータとの間の優先度の情報、第１の信号の設定情報において設定されたＱＣＬパラメータと指定されたＣＯＲＥＳＥＴのＱＣＬパラメータとの間の優先度の情報、または、第１の信号と第１の信号をスケジューリングする制御シグナリングとの間の間隔が予め定められたしきい値Ｘ１未満である場合に第１の信号のＱＣＬパラメータが指定されたＣＯＲＥＳＥＴのＱＣＬパラメータに従って取得されるか否かの情報、のうちの少なくとも１つを、第１の情報に従って決定するステップを含む。
【０１２９】
ある実施形態において、第２の情報が、第２の信号が位置する時間ドメイン位置において第１の信号を受信する方法である場合、第１の情報に従って第２の情報を決定するステップは、第２の信号が位置する時間ドメイン位置において第１の信号が受信されるか否かの情報、第２の信号が位置する時間ドメイン位置において制御チャネルが検出されるか否かの情報、第２の信号が位置する時間ドメイン位置における、第１の信号のＱＣＬパラメータと第２の信号のＱＣＬパラメータとの間の優先度の情報、第１の信号と第２の信号との間に周波数分割多重化を適用可能か否かの情報、または、第１の信号が位置することができる時間ドメイン位置が第２の信号が位置する時間ドメイン位置を含むか否かの情報、のうちの少なくとも１つを、第１の情報に従って決定するステップを含む。
【０１３０】
ある実施形態において、第２の情報が、第２の信号が位置する時間ドメイン位置において第１の信号を送信する方法である場合、第１の情報に従って第２の情報を決定するステップは、第２の信号が位置する時間ドメイン位置において第１の信号が送信されるか否かの情報、第２の信号が位置する時間ドメイン位置において制御チャネルが送信されるか否かの情報、第２の信号が位置する時間ドメイン位置における、第１の信号のＱＣＬパラメータと第２の信号のＱＣＬパラメータとの間の優先度の情報、第１の信号と第２の信号との間に周波数分割多重化を適用可能か否かの情報、または、第１の信号が位置することができる時間ドメイン位置が第２の信号が位置する時間ドメイン位置を含むか否かの情報、のうちの少なくとも１つを、第１の情報に従って決定するステップを含む。
【０１３１】
ある実施形態において、第２の信号が位置する時間ドメイン位置は、第２の信号が位置する時間ドメインシンボル、または、第２の信号が位置する時間ユニット、という時間ドメイン位置のうちの少なくとも１つを含む。
【０１３２】
ある実施形態において、この方法は以下のステップをさらに含む。すなわち、第１の信号をスケジューリングする第１の制御シグナリングと第１の信号との間の間隔が予め定められたしきい値Ｘ１以上でありかつ第２の信号をスケジューリングする第２の制御シグナリングと第２の信号との間の間隔が予め定められたしきい値Ｘ２以上である場合、第１の信号および第２の信号は空間ＲｘパラメータについてＱＣＬ関係を満たさないという特徴、第１の信号をスケジューリングする第１の制御シグナリングと第１の信号との間の間隔が予め定められたしきい値Ｘ１未満でありかつ第２の信号をスケジューリングする第２の制御シグナリングと第２の信号との間の間隔が予め定められたしきい値Ｘ２以上である場合、第１の信号のＱＣＬパラメータが第２の信号のＱＣＬパラメータに従って決定されるという特徴、または、第１の信号をスケジューリングする第１の制御シグナリングと第１の信号との間の間隔が予め定められたしきい値Ｘ１未満でありかつ第２の信号をスケジューリングする第２の制御シグナリングと第２の信号との間の間隔が予め定められたしきい値Ｘ２未満である場合、第１の信号のＱＣＬパラメータの優先度および第２の信号のＱＣＬパラメータの優先度は、合意されたルールまたはシグナリング情報に従って取得されるという特徴、を満たす設定は受信されない、というステップを、さらに含む。
【０１３３】
ある実施形態において、第１の情報は、指定されたＣＯＲＥＳＥＴに含まれる制御シグナリングはＴＣＩフィールドを含むか否かの情報、第１の信号または第２の信号のうちの少なくとも一方が位置するキャリア周波数と予め定められたしきい値Ｇとの間の関係の情報、予め定められたしきい値Ｘ１または予め定められたしきい値Ｘ２のうちの少なくとも一方が０であるか否かの情報、空間Ｒｘパラメータで構成された少なくとも１つのＣＯＲＥＳＥＴが指定されたＣＯＲＥＳＥＴに存在するか否かの情報、空間Ｒｘパラメータで構成された少なくとも１つのＣＯＲＥＳＥＴが第１の通信ノードによって検出される必要があるＣＯＲＥＳＥＴセットに存在するか否かの情報、第１の信号または第２の信号に対応付けられたＴＣＩ状態プールに少なくとも１つのＴＣＩ状態が存在するか否かの情報であってＴＣＩ状態のＲＳセットに対応するＱＣＬパラメータは空間Ｒｘパラメータを含むという情報、または、第１の信号または第２の信号に対応付けられたアクティベーションＴＣＩ状態プールに少なくとも１つのＴＣＩ状態が存在するか否かの情報であってＴＣＩ状態のＲＳセットに対応するＱＣＬパラメータは空間Ｒｘパラメータを含むという情報、のうちの少なくとも１つをさらに含む。第１の通信ノードは第１の信号を受信するための通信ノードである。
【０１３４】
ある実施形態において、第１の情報が、第１の信号に対応する第１の空間Ｒｘパラメータと第２の信号に対応する第２の空間Ｒｘパラメータとの間の関係である場合、第１の情報に従って第２の情報を決定するステップは、第１の信号および第２の信号が空間ＲｘパラメータについてＱＣＬ関係を満たす場合、第１の信号が位置することができる時間ドメインシンボルは第２の信号が位置する時間ドメインシンボルを含むこと、第１の信号および第２の信号が空間ＲｘパラメータについてＱＣＬ関係を満たさない場合、第１の信号が位置することができる時間ドメインシンボルは第２の信号が位置する時間ドメインシンボルを含まないこと、第１の空間Ｒｘパラメータに対応する空間フィルタおよび第２の空間Ｒｘパラメータに対応する空間フィルタが第１の通信ノードによって同時に生成されることができる場合、第１の信号が位置することができる時間ドメインシンボルは第２の信号が位置する時間ドメインシンボルを含むこと、または、第１の空間Ｒｘパラメータに対応する空間フィルタおよび第２の空間Ｒｘパラメータに対応する空間フィルタが第１の通信ノードによって同時に生成されることができない場合、第１の信号が位置することができる時間ドメインシンボルは第２の信号が位置する時間ドメインシンボルを含まないこと、のうちの少なくとも１つを含む。
【０１３５】
第１の信号が位置することができる時間ドメインシンボルが、第２の信号が位置する時間ドメインシンボルを含まないというケースは、第２の信号が位置する時間ドメインシンボルにおいて第１の信号はレートマッチングのために送信および／または受信されないということであってもよい。
【０１３６】
ある実施形態において、第１の情報が、第１の信号と第１の制御シグナリングとの間の時間間隔と予め定められたしきい値Ｘ１との間の関係であり、第２の情報が、第１の信号のＱＣＬパラメータである場合、第１の情報に従って第２の情報を決定するステップは、第１の信号のＱＣＬパラメータは１つの時間ユニットにおける異なる時間ドメインシンボルにわたって同一であると判断されること、第１の信号のＱＣＬパラメータは異なる時間ユニットにわたって異なり得ると判断されること、第１の信号のＢ１個のセットのＱＣＬパラメータとＡ個の時間ユニットとの間に対応関係が存在すること、第１の信号が位置するＡ個の時間ユニットのうちの各時間ユニットにおける第１の信号のＱＣＬパラメータは、上記各時間ユニットに最も近い時間ユニットにおける予め定められた特徴を有するＣＯＲＥＳＥＴのＱＣＬパラメータに従って取得されること、または、第１の信号が位置するＡ個の時間ユニットにおいて、各時間ユニットにおける第１の信号のＱＣＬパラメータは、上記各時間ユニットにおける第１の信号と第１の制御シグナリングとの間の時間間隔と、予め定められたしきい値Ｘ１との間の関係に従って決定されること、のうちの少なくとも１つを含み、第１の信号はＡ個の時間ユニットにあり、Ａは１よりも大きい自然数であり、Ｂ１はＡ以下の負でない整数である。
【０１３７】
なお、上記時間ユニットは、スロットであってもよく、または、サブフレームまたは別の時間ユニットであってもよい。
【０１３８】
ある実施形態において、第１の情報が、第１の信号と第１の制御シグナリングとの間の時間間隔と予め定められたしきい値Ｘ１との間の関係であり、第２の情報が、第１の信号のＱＣＬパラメータである場合、第１の情報に従って第２の情報を決定するステップは、
第１の信号のＱＣＬパラメータは、Ａ個の時間ユニットのうちの第１のユニットにおける第１の信号と第１の制御シグナリングとの間の時間間隔と、予め定められたしきい値Ｘ１との間の関係に従って決定されることであって、Ａ個の時間ユニットにおける第１の信号のＱＣＬパラメータは変化しないままにされること、
第１の信号が位置するＡ１個の時間ユニットのうちの各時間ユニットにおける第１の信号のＱＣＬパラメータは、上記各時間ユニットに最も近い時間ユニットにおける予め定められた特徴を有するＣＯＲＥＳＥＴのＱＣＬパラメータに従って取得されることであって、第１の制御シグナリングと、Ａ１個の時間ユニットのうちの最後の時間ユニットにおける第１の信号との間の間隔は、予め定められたしきい値Ｘ１未満であること、
第１の信号が位置するＡ２個の時間ユニットにおける第１の信号のＱＣＬパラメータは、変化しないままにされること、
Ｂ２個のセットの第１の信号のＱＣＬパラメータとＡ２個の時間ユニットとの間に対応関係が存在すること、または、
第１の信号が位置するＡ２個の時間ユニットにおいて、第１の信号のＱＣＬパラメータは変化しないままにされ、Ａ２個の時間ユニットにおける第１の信号のＱＣＬパラメータは、第１の制御シグナリングにおいて通知された情報に従って決定されること、
のうちの少なくとも１つを含み、第１の制御シグナリングと、Ａ２個の時間ユニットのうちの第１のユニットにおける第１の信号との間の間隔は、予め定められたしきい値Ｘ１以上であり、第１の信号はＡ個の時間ユニットにあり、Ａは１よりも大きい自然数であり、Ａ１およびＡ２は、Ａの値以下の負でない整数であり、Ｂ２はＡ２以下の負でない整数である。
【０１３９】
以下、本実施形態を、例として具体例としての実施形態とともに説明する。
具体例としての実施形態６
本実施形態において、基地局および端末は、同一の時間ドメインシンボルにおける複数のダウンリンク信号がＱＣＬ関係を満たすことに合意する、すなわち、端末は、基地局によって同一の時間ドメインシンボルにおいて設定された複数のダウンリンク信号がＱＣＬ関係を満たさないことを望まない、または、基地局および端末は、同一の時間ドメインシンボルにおける複数のダウンリンク信号のうちの各２つがＱＣＬ関係を満たすことに合意する。
【０１４０】
複数のダウンリンク信号は、ＰＤＳＣＨデータ信号、ＣＯＲＥＳＥＴ、ダウンリンク測定参照信号、または、ＣＣの複数のダウンリンク信号、のうちの少なくとも２つの信号を含む。たとえば、端末は、複数のダウンリンク信号がＱＣＬ関係を満たさないという構成、または、同一の時間ドメインシンボルにおける複数のダウンリンク信号と最小ＣＯＲＥＳＥＴ  ＩＤのＤＭＲＳとがＱＣＬ関係を満たさないという構成を満たしていないダウンリンク信号が、同一の時間ドメインシンボル内にあることを受け入れることを望まない。
【０１４１】
図６ａに示されるように、端末は、異なるＣＣに属し同時に構成された２つのＰＤＳＣＨのＤＭＲＳがＱＣＬ関係を満たす必要があることを望む。図６ｂに示されるように、端末は、同時に構成されたＣＣ１のＰＤＳＣＨ／ＤＭＲＳとＣＣ２のＣＯＲＥＳＥＴのＤＭＲＳとがＱＣＬ関係を満たすことを望む。図６ｃに示されるように、端末は、同時に構成された異なるＣＣに属する２つのＣＯＲＥＳＥＴのＤＭＲＳがＱＣＬ関係を満たす必要があることを望む。図６ｄに示されるように、端末は、同時に構成されたＣＣ１のＰＤＳＣＨ／ＤＭＲＳとＣＣ２のＣＯＲＥＳＥＴのＤＭＲＳとがＱＣＬ関係を満たすことを望む。
【０１４２】
図６ａ〜６ｄは、異なるＣＣに属する複数のダウンリンク信号がＱＣＬ関係を満たす必要があることを示す。図７ａ〜７ｄは、同一のＣＣに属する複数のダウンリンク信号がＱＣＬ関係を満たす必要があることを示す。図７ｅは、１つのＣＣの２つのＣＳＩ−ＲＳがＱＣＬ関係を満たす必要があることを示す。同様に、同一の時間ドメインシンボルにおける異なるＣＣからのＣＳＩ−ＲＳは、少なくとも空間Ｒｘパラメータに関してＱＣＬである必要がある。
【０１４３】
ある実施形態において、最小ＣＯＲＥＳＥＴ  ＩＤは、最小ＣＯＲＥＳＥＴ  ＩＤが時間ドメインシンボルに最も近い時間ドメインシンボルにおける最小ＣＯＲＥＳＥＴ  ＩＤであるという特徴、最小ＣＯＲＥＳＥＴ  ＩＤが時間ドメインシンボルに最も近いスロットにおける最小ＣＯＲＥＳＥＴ  ＩＤであるという特徴、または、ＣＯＲＥＳＥＴと時間ドメインシンボルとの間の間隔が予め定められたしきい値Ｋ未満であるという特徴、のうちの少なくとも１つを満たす。
この実施形態において、異なるＣＣは異なるサービングセルＩＤに対応し得る。
【０１４４】
具体例としての実施形態７
この具体例としての実施形態において、第１の信号と指定されたＣＯＲＥＳＥＴとの間の間隔と予め定められたしきい値との間の関係に従い、第１の信号のＱＣＬパラメータ、第１の信号のＱＣＬパラメータと第２の信号のＱＣＬパラメータとの間の優先度（第１の信号および第２の信号は同一の時間ドメインシンボルにある）、第１の信号のＱＣＬパラメータと指定されたＣＯＲＥＳＥＴのＱＣＬパラメータとの間の優先度、または、同一の時間ドメインシンボルにおける第１の信号と第２の信号との間に周波数分割多重方式を適用可能か否か、という情報のうちの、少なくとも１つを決定する。
【０１４５】
ある実施形態において、指定されたＣＯＲＥＳＥＴは、ＣＯＲＥＳＥＴは、ダウンリンク信号に最も近い時間ドメインシンボルにおける最小ＣＯＲＥＳＥＴ  ＩＤを有するＣＯＲＥＳＥＴであるという特徴、ＣＯＲＥＳＥＴは、ダウンリンク信号に最も近いスロットにおける最小ＣＯＲＥＳＥＴ  ＩＤを有するＣＯＲＥＳＥＴであるという特徴、ＣＯＲＥＳＥＴでは、端末は、ダウンリンク信号またはチャネルをスケジューリングする少なくとも１つのＤＣＩを検出する必要があるという特徴、ＣＯＲＥＳＥＴは、第１の信号をスケジューリングする制御シグナリングに関する情報を含まないという特徴、ＣＯＲＥＳＥＴは、第２の信号をスケジューリングする制御シグナリングに関する情報を含むという特徴、または、ＣＯＲＥＳＥＴは、少なくとも１つの専用のサーチ空間に対応付けられるという特徴のうちの、少なくとも１つを満たす。
【０１４６】
ある実施形態において、第１の信号とＣＯＲＥＳＥＴとの間の間隔が予め定められたしきい値未満である場合、第１の信号のＱＣＬパラメータは、ＣＯＲＥＳＥＴのＱＣＬパラメータに従って取得され、第１の信号と最小ＣＯＲＥＳＥＴ  ＩＤとの間の間隔が予め定められたしきい値以上である場合、第１の信号のＱＣＬパラメータは、ダウンリンク信号の設定情報において設定されたＱＣＬパラメータに従って取得される。
【０１４７】
ある実施形態において、第１の信号とＣＯＲＥＳＥＴとの間の間隔が予め定められたしきい値未満である場合、第１の信号のＱＣＬパラメータの優先度は、第２の信号のＱＣＬパラメータの優先度よりも高く、第１の信号とＣＯＲＥＳＥＴとの間の間隔が予め定められたしきい値以上である場合、第１の信号のＱＣＬパラメータの優先度は、第２の信号のＱＣＬパラメータの優先度よりも低い。
【０１４８】
ある実施形態において、第１の信号とＣＯＲＥＳＥＴとの間の間隔が予め定められたしきい値未満である場合、第１の信号と第２の信号との間に周波数分割多重方式は適用できず、第１の信号とＣＯＲＥＳＥＴとの間の間隔が予め定められたしきい値以上である場合、第１の信号と第２の信号との間に周波数分割多重方式を適用できる。
【０１４９】
ＱＣＬパラメータは、ドップラーシフト、ドップラースプレッド、平均遅延、遅延スプレッド、平均利得、または空間Ｒｘパラメータ、というパラメータのうちの少なくとも１つを含む。
【０１５０】
ある実施形態において、第１の信号は、ダウンリンク測定参照信号、ダウンリンク同期信号、ダウンリンク復調参照信号、ダウンリンクデータチャネル信号、またはダウンリンク制御チャネル信号、のうちの少なくとも１つを含む。
【０１５１】
ある実施形態において、第２の信号は、ダウンリンク測定参照信号、ダウンリンク同期信号、ダウンリンク復調参照信号、ダウンリンクデータチャネル信号、またはダウンリンク制御チャネル信号、のうちの少なくとも１つを含む。
【０１５２】
ある実施形態において、予め定められたしきい値は、第２の予め定められたしきい値に等しく、第２の信号のＱＣＬパラメータは、第２の信号と第２の信号をスケジューリングする制御情報との間の間隔と、第２の予め定められたしきい値との間の関係に従い、決定される。
【０１５３】
ある実施形態において、関連のＮＲでは、ＤＣＩとＰＤＳＣＨとの間の間隔が予め定められたしきい値Ｋ未満である場合、最も近いスロットにおける最小ＣＯＲＥＳＥＴ  ＩＤの空間Ｒｘパラメータを用いてＰＤＳＣＨを受信することが規定されている。端末がＰＤＳＣＨをキャッシュする場合、ＤＣＩは復号されず、よって、既知のビームを用いてＰＤＳＣＨをキャッシュする必要がある。ＰＤＳＣＨは、ＤＣＩの後のＫ個の時間ドメインシンボルの時間ウィンドウ内の任意の位置に格納することができる。この場合、端末は、最小ＣＯＲＥＳＥＴ  ＩＤのビームを用いて、ＤＣＩの後のＫ個の時間ドメインシンボルの時間ウィンドウ内にＰＤＳＣＨをキャッシュする必要がある。しかしながら、これらの潜在的なＰＤＳＣＨは実際には存在せず、端末は依然としてこれらのＰＤＳＣＨをキャッシュする必要がある可能性がある。問題は、この時間ウィンドウに周期的ＣＳＩ−ＲＳが存在し、周期的ＣＳＩ−ＲＳの空間Ｒｘパラメータが、端末がキャッシュする必要があるＰＤＳＣＨの空間Ｒｘパラメータと異なる場合に、周期的ＣＳＩ−ＲＳの空間Ｒｘパラメータと端末がキャッシュする必要があるＰＤＳＣＨの空間Ｒｘパラメータとの間の優先度を決定する必要がある、ということである。
【０１５４】
方式１において、基地局および端末は、ダウンリンク信号の空間Ｒｘパラメータ、またはこの時間ウィンドウにおけるダウンリンクチャネルの空間Ｒｘパラメータのうちの少なくとも１つが、最小ＣＯＲＥＳＥＴ  ＩＤを有するＣＯＲＥＳＥＴの空間Ｒｘパラメータに基づいて決定され、ダウンリンク信号またはチャネルのうちの少なくとも１つの、他のＱＣＬパラメータもまた、最小ＣＯＲＥＳＥＴ  ＩＤに基づいて決定されること、または、ダウンリンク信号またはチャネルの設定情報に従って他のＱＣＬパラメータが取得されること、たとえば周期的ＣＳＩ−ＲＳの設定情報におけるＱＣＬパラメータの設定情報に従って他のＱＣＬパラメータが取得されることに、合意する。
【０１５５】
方式２において、基地局および端末は、周期的ＣＳＩ−ＲＳと最も近いスロットにおける最小ＣＯＲＥＳＥＴ  ＩＤを有するＣＯＲＥＳＥＴとの間の間隔が予め定められたしきい値Ｋ未満である場合、周期的ＣＳＩ−ＲＳの少なくとも空間ＲｘパラメータであるＱＣＬパラメータの優先度は、同一の時間ドメインシンボルにおける潜在的ＰＤＳＣＨの空間Ｒｘパラメータの優先度よりも高く、周期的ＣＳＩ−ＲＳと最も近いスロットにおける最小ＣＯＲＥＳＥＴ  ＩＤを有するＣＯＲＥＳＥＴとの間の間隔が予め定められたしきい値Ｋ以上である場合、同一の時間ドメインシンボルにおけるＰＤＳＣＨの空間Ｒｘパラメータの優先度は、同一の時間ドメインシンボルにおけるＣＳＩ−ＲＳの空間Ｒｘパラメータの優先度よりも高いことに、合意する。
【０１５６】
図２に示されるように、スロットｎにおける周期的ＣＳＩ−ＲＳに最も近いスロットにおける最小ＣＯＲＥＳＥＴ  ＩＤを有するＣＯＲＥＳＥＴは、スロットｎにおけるＣＯＲＥＳＥＴ０である。スロットｎにおけるＰＤＳＣＨとＣＳＩ−ＲＳが同一の時間ドメインシンボルにある場合、ＣＳＩ−ＲＳのビームを用いてＣＳＩ−ＲＳとＰＤＳＣＨとを受信する、すなわち、この場合、ＰＤＳＣＨの空間Ｒｘパラメータの優先度は、周期的ＣＳＩ−ＲＳの空間Ｒｘパラメータの優先度よりも低くなる。この場合、スロットｎに周期的ＣＳＩ−ＲＳのシンボルが存在しない場合、ある方式では、周期的ＣＳＩ−ＲＳの空間Ｒｘパラメータを用いてＰＤＳＣＨを受信することで、スロットｎにおける端末によるビーム切り替え回数を低減する、または、端末および基地局は、スロットｎにＣＳＩ−ＲＳの時間ドメインシンボルが存在しない場合、図３に示されるように、ＰＤＳＣＨに最も近いＣＯＲＥＳＥＴのビームを用いてＰＤＳＣＨを受信することに、合意する。
【０１５７】
スロットｎ＋２における周期的ＣＳＩ−ＲＳに最も近いスロットにおける最小ＣＯＲＥＳＥＴ  ＩＤは、依然として、スロットｎにおけるＣＯＲＥＳＥＴ０である（スロットｎ＋１およびスロットｎ＋２において、端末はＣＯＲＥＳＥＴを検出する必要はない）。この場合、スロットｎ＋２における周期的ＣＳＩ−ＲＳとＣＯＲＥＳＥＴ０との間の間隔は、予め定められたしきい値より大きく、スロットｎ＋２において、ＰＤＳＣＨとＣＳＩ−ＲＳとが同一の時間ドメインシンボルにある場合、ＰＤＳＣＨのビームを用いてＰＤＳＣＨとＣＳＩ−ＲＳとを受信する。すなわち、この場合、ＰＤＳＣＨの空間Ｒｘパラメータの優先度は、周期的ＣＳＩ−ＲＳの空間Ｒｘパラメータの優先度よりも高い。これに代わるものとして、スロットｎ＋２において、ＰＤＳＣＨの受信ビームとＣＳＩ−ＲＳの受信ビームとが競合する場合（ＰＤＳＣＨとＣＳＩ−ＲＳとは同一の時間ドメインシンボルにある）、ＣＳＩ−ＲＳの測定は断念される。スロットｎにおいて、端末が、ＣＯＲＥＳＥＴ０によってスケジューリングされたＰＤＳＣＨをキャッシュする必要がある場合、ＤＣＩは復号されないため、ＰＤＳＣＨは存在しない可能性があり、この場合、周期的ＣＳＩ−ＲＳを優先して受信する必要がある。スロットｎ＋２において、端末は、端末がキャッシュする必要があるＰＤＳＣＨに対応するＤＣＩを既に復号しており、この場合、端末は、ＰＤＳＣＨが基地局によって既にスケジューリングされていると判断する。
【０１５８】
具体例としての実施形態８
この実施形態において、第１の情報に従って第２の情報が決定され、第２の情報は、第１の信号のＱＣＬパラメータ、第１の信号において制御チャネルが検出されるか否か、第１の信号が受信されるか否か、または、第１の信号が位置し得る時間ドメインシンボル位置、という情報のうちの、少なくとも１つを含み、第１の情報は、指定されたＣＯＲＥＳＥＴの後の予め定められた時間ウィンドウに第２の信号が存在するか否かという情報を含む。
【０１５９】
ある実施形態において、指定されたＣＯＲＥＳＥＴは、ＣＯＲＥＳＥＴは第２の信号に最も近い時間ドメインシンボルにおける最小ＣＯＲＥＳＥＴ  ＩＤを有するＣＯＲＥＳＥＴであるという特徴、指定されたＣＯＲＥＳＥＴは第２の信号に最も近いスロットにおける最小ＣＯＲＥＳＥＴ  ＩＤを有するＣＯＲＥＳＥＴであるという特徴、ＣＯＲＥＳＥＴにおいて、端末が、ダウンリンク信号またはチャネルをスケジューリングする少なくとも１つのＤＣＩを検出する必要があるという特徴、ＣＯＲＥＳＥＴは第１の信号に最も近い時間ドメインシンボルにおいて最小ＣＯＲＥＳＥＴ  ＩＤを有するＣＯＲＥＳＥＴであるという特徴、または、指定されたＣＯＲＥＳＥＴは第１の信号に最も近いスロットにおける最小ＣＯＲＥＳＥＴ  ＩＤを有するＣＯＲＥＳＥＴであるという特徴、のうちの少なくとも１つを満たす。
【０１６０】
ある実施形態において、第１の信号は、非周期的ダウンリンク測定参照信号、物理層動的制御シグナリングによってスケジューリングされたダウンリンクデータチャネル信号、物理層動的制御シグナリングによってスケジューリングされたダウンリンク信号、またはダウンリンク物理制御チャネル信号、という信号のうちの少なくとも１つを含む。
【０１６１】
ある実施形態において、第２の信号は、第２の信号は以前にスケジューリングされた信号であるという特徴、第２の信号は周期的ダウンリンク測定参照信号であるという特徴、第２の信号は非周期的ダウンリンク測定参照信号であり非周期的測定参照信号をスケジューリングするＤＣＩと非周期的測定参照信号との間の間隔は予め定められたしきい値以上であるという特徴、第２の信号は半連続的ＰＤＳＣＨであり半永続スケジューリングＰＤＳＣＨ（ＳＰＳ−ＰＤＳＣＨ）を活性化するためのＤＣＩとＳＰＳ−ＰＤＳＣＨとの間の間隔は予め定められたしきい値以上であるという特徴、または、第２の信号は動的にスケジューリングされたＰＤＳＣＨでありＰＤＳＣＨを動的にスケジューリングするＤＣＩとＰＤＳＣＨとの間の間隔は予め定められたしきい値以上であるという特徴、のうちの少なくとも１つを満たす。
【０１６２】
ある実施形態において、指定されたＣＯＲＥＳＥＴの後の予め定められた時間ウィンドウに第２の信号が存在する場合、第１の信号のＱＣＬパラメータは、第２の信号のＱＣＬパラメータに従って取得され、指定されたＣＯＲＥＳＥＴの後の予め定められた時間ウィンドウに第２の信号が存在しない場合、第２の信号のＱＣＬパラメータに従い第１の信号のＱＣＬパラメータは取得されない。
【０１６３】
ある実施形態において、第２の信号が位置する時間ドメインシンボルにおいて、第１の信号が存在しないことを第２の通信ノードと合意する。
【０１６４】
ある実施形態において、第２の信号が位置する時間ドメインシンボルにおいて、第１の信号において制御チャネルが検出されないことを第２の通信ノードと合意する。
【０１６５】
ある実施形態において、第２の信号の空間Ｒｘパラメータおよび第１の信号の空間Ｒｘパラメータは異なる、または、第２の信号の空間Ｒｘパラメータに対応する空間フィルタおよび第１の信号の空間Ｒｘパラメータに対応する空間フィルタは、第１の通信ノードによって同時に生成できない。
【０１６６】
ある実施形態において、第２の信号および第１の信号は異なるＣＣに属する。
ある実施形態において、図１ａに示されるように、スロットｎにおいて、基地局は端末のためにＰＤＳＣＨ１をスケジューリングし、ＰＤＳＣＨ１をスケジューリングするＤＣＩ（図１ａではＤＣＩはＣＯＲＥＳＥＴ１にある）とＰＤＳＣＨ１との間の間隔は、予め定められたしきい値Ｋよりも大きいので、スロットｎにおいて、端末は、スロットｎにおいて基地局がＰＤＳＣＨ１をスケジューリングしたことを確かに知っており、よって、ＰＤＳＣＨ１のＱＣＬパラメータは、ＰＤＳＣＨ１をスケジューリングしたＤＣＩに示される情報を通じて取得することができる。スロットｎにおいて、端末はさらに、ＣＯＲＥＳＥＴ０またはＣＯＲＥＳＥＴ２のうちの少なくとも一方を検出し続ける必要がある。ＣＯＲＥＳＥＴ０またはＣＯＲＥＳＥＴ２におけるＤＣＩは、端末のためにＰＤＳＣＨ２をスケジューリングするために使用することができる。たとえば、ＰＤＳＣＨ２とＰＤＳＣＨ１とは異なるＣＣにあってもよい。なぜなら、潜在的ＰＤＳＣＨ２が受信される間、端末は、ＰＤＳＣＨ２をスケジューリングするＤＣＩを復号していないからであり、ルールに従い、潜在的ＰＤＳＣＨ２は、スロットｎのすべてのＣＣにおける最小ＣＯＲＥＳＥＴ  ＩＤのビームを用いて受信する必要があり、たとえば、ＰＤＳＣＨ２を、ＣＯＲＥＳＥＴ０のビームを用いて受信する。ＰＤＳＣＨ１の（ＤＣＩに示される空間Ｒｘパラメータを通じて）動的に示される受信ビームと、ＣＯＲＥＳＥＴ０のビームとが異なる場合、ＰＤＳＣＨ１の空間ＲｘパラメータとＰＤＳＣＨ２の空間Ｒｘパラメータとの間の優先度を決定する必要がある。ＰＤＳＣＨ１はスケジューリングされていると判断されＰＤＳＣＨ２は存在しない可能性があるため、ＰＤＳＣＨ１のビームは、潜在的ＰＤＳＣＨ１およびＰＤＳＣＨ２の受信のために優先して使用される。
【０１６７】
図１ｂに示されるように、スロットｎにおいて、基地局は、端末のために非周期的測定参照信号（ＣＳＩ−ＲＳ）をスケジューリングし、非周期的ＣＳＩ−ＲＳをスケジューリングするＤＣＩと非周期的測定参照信号との間の間隔は、予め定められたしきい値Ｋよりも大きい。スロットｎにおいて、端末はさらにＣＯＲＥＳＥＴ０を検出する必要がある。ＣＯＲＥＳＥＴ０は、スロットｎにおいて端末のためにＰＤＳＣＨをスケジューリングするために使用することができ、よって、スロットｎにおけるＰＤＳＣＨとＣＳＩ−ＲＳとが同一の時間ドメインシンボルにある場合、ＰＤＳＣＨのＱＣＬパラメータとＣＳＩ−ＲＳのＱＣＬパラメータとの間の優先度を決定する必要がある。同様に、非周期的測定参照信号がスケジューリングされると判断されるため、端末は、少なくともＣＳＩ−ＲＳが位置する時間ドメインシンボルにおいて、非周期的測定参照信号を用いてＣＳＩ−ＲＳおよび潜在的ＰＤＳＣＨを受信する。非周期的測定参照信号の時間ドメインシンボルがスロットｎに存在しない場合、潜在的ＰＤＳＣＨのＱＣＬパラメータを、スロットｎにおいて最小ＣＯＲＥＳＥＴ  ＩＤを有するＣＯＲＥＳＥＴのＱＣＬパラメータを用いて取得することができる、または、スロットｎで、潜在的ＰＤＳＣＨが位置する時間ドメインシンボルにおいて、非周期的ＣＳＩ−ＲＳの受信ビームを用いてＰＤＳＣＨを受信すると規定される。
【０１６８】
図１ａおよび図１ｂから、ＰＤＳＣＨとＰＤＳＣＨをスケジューリングするＤＣＩとの間の間隔が予め定められたしきい値Ｋ未満であっても、ＰＤＳＣＨに最も近い最小ＣＯＲＥＳＥＴ  ＩＤを有するＣＯＲＥＳＥＴのＱＣＬパラメータを用いてＰＤＳＣＨのＱＣＬパラメータを取得する必要は必ずしもないことがわかり、また、ＰＤＳＣＨが位置する時間ドメインシンボルに第２の信号が存在するか否かを考慮する必要もある。ＰＤＳＣＨが位置する時間ドメインシンボルに第２の信号が存在する場合、第１の信号の少なくとも空間Ｒｘパラメータは、第２の信号の空間Ｒｘパラメータに従って決定され、ＰＤＳＣＨが位置する時間ドメインシンボルに第２の信号が存在しない場合、ＰＤＳＣＨに最も近い最小ＣＯＲＥＳＥＴ  ＩＤを有するＣＯＲＥＳＥＴのＱＣＬパラメータに従って取得され、ＱＣＬパラメータは少なくとも空間Ｒｘパラメータを含む。
【０１６９】
図１ｃに示されるように、ＰＤＳＣＨとＰＤＳＣＨをスケジューリングするＤＣＩとの間の間隔が予め定められたしきい値Ｋ未満である場合、ＰＤＳＣＨの少なくとも空間Ｒｘパラメータは、ＰＤＳＣＨに最も近いスロットにおける最小ＣＯＲＥＳＥＴ  ＩＤを有するＣＯＲＥＳＥＴの空間Ｒｘパラメータに従うのではなく、ＰＤＳＣＨに最も近い時間ドメインシンボルにおける最小ＣＯＲＥＳＥＴ  ＩＤの空間Ｒｘパラメータに従って取得される（すなわち、ＰＤＳＣＨの空間Ｒｘパラメータは、ＣＯＲＥＳＥＴ１の空間Ｒｘパラメータに従って取得される）。すなわち、ＰＤＳＣＨの空間Ｒｘパラメータは、ＣＯＲＥＳＥＴ０の空間Ｒｘパラメータに従って取得されるのではない。
【０１７０】
図１ｄに示されるように、ＰＤＳＣＨとＰＤＳＣＨをスケジューリングするＤＣＩとの間の間隔が予め定められたしきい値Ｋ未満である場合、ＰＤＳＣＨに最も近いスロットにおけるＣＯＲＥＳＥＴの受信ビームを用いてＰＤＳＣＨを受信する必要があり、スロット内の任意の時間ドメインシンボルに潜在的ＰＤＳＣＨを格納することができる。このように、ＣＯＲＥＳＥＴ１が位置する時間ドメインシンボルにおいて、潜在的ＰＤＳＣＨとＣＯＲＥＳＥＴ１とを同時に受信する必要がある。ＣＯＲＥＳＥＴ１の受信ビームとＣＯＲＥＳＥＴ０の受信ビームが異なる場合、または、端末がこれら２つの受信ビームを同時に生成できない場合は、これら２つの受信ビーム間の優先度を決定する必要がある。ある方式では、少なくとも空間Ｒｘパラメータについて、ＣＯＲＥＳＥＴ１における潜在的ＰＤＳＣＨと、ＣＯＲＥＳＥＴ１とは、ＱＣＬであると規定される。他の方式では、ＰＤＳＣＨとＰＤＳＣＨをスケジューリングするＤＣＩとの間の間隔が予め定められたしきい値Ｋ未満である場合、ＣＯＲＥＳＥＴ１にはＰＤＳＣＨが存在しないと規定される。
【０１７１】
図１ｅに示されるように、この場合、スロットにおいて、端末が複数の時間ドメインシンボルにおけるＣＯＲＥＳＥＴを検出し、潜在的ＰＤＳＣＨをキャッシュする必要があり、潜在的ＰＤＳＣＨは、ＰＤＳＣＨとＰＤＳＣＨをスケジューリングするＤＣＩとの間の間隔が予め定められたしきい値Ｋ未満であることを意味する。この場合、ＰＤＳＣＨのＱＣＬパラメータは、ＰＤＳＣＨに最も近いスロットにおける最小ＣＯＲＥＳＥＴ  ＩＤを有するＣＯＲＥＳＥＴのＱＣＬパラメータに従って取得されるのではなく（図１ｅに示されるように、ＰＤＳＣＨのＱＣＬパラメータは、ＣＯＲＥＳＥＴ０のＱＣＬパラメータに従って取得されるのではない）、ＰＤＳＣＨに最も近いスロットにおける最初の３つの時間ドメインシンボルの最小ＣＯＲＥＳＥＴ  ＩＤを有するＣＯＲＥＳＥＴのＱＣＬパラメータに従って取得される（図１ｅに示されるように、ＰＤＳＣＨのＱＣＬパラメータは、ＣＯＲＥＳＥＴ１のＱＣＬパラメータに従って取得される）。
【０１７２】
図１ｆに示されるように、この場合、スロットｎにおいて、基地局が端末のためにＰＤＳＣＨをスケジューリングすると判断され、すなわち、この場合、ＰＤＳＣＨをスケジューリングするＤＣＩとＰＤＳＣＨとの間の間隔は予め定められたしきい値Ｋよりも大きく、スロットｎにおいて、基地局はさらに、端末のために検出する必要があるＣＯＲＥＳＥＴを幾分スタティックに設定する。この場合、ある方式では、ＰＤＳＣＨが位置する時間ドメインシンボルにおいて、ＣＯＲＥＳＥＴの空間ＲｘパラメータとＰＤＳＣＨの空間Ｒｘパラメータとが異なる場合には、端末は、この時間ドメインシンボルにおいてＣＯＲＥＳＥＴを受信し検出する必要はない、または、端末および基地局は、この場合、ＰＤＳＣＨのＰＤＳＣＨと、ＰＤＳＣＨと同じ時間ドメインシンボルにおけるＣＯＲＥＳＥＴとは、少なくとも空間ＲｘパラメータについてＱＣＬであると規定される。これに代わるものとして、端末および基地局は、ＰＤＳＣＨとＣＯＲＥＳＥＴが同一の時間ドメインシンボルにありＰＤＳＣＨの空間Ｒｘパラメータに対応する受信ビームとＣＯＲＥＳＥＴの空間Ｒｘパラメータに対応する受信ビームとが異なる場合に、ＣＯＲＥＳＥＴの空間Ｒｘパラメータに対応する受信ビームを介してＰＤＳＣＨとＣＯＲＥＳＥＴとを受信することに合意する。
【０１７３】
具体例としての実施形態９
本実施形態では、ＰＤＳＣＨが複数のスロットを占めている場合のＰＤＳＣＨのＱＣＬパラメータの取得方法について説明する。
【０１７４】
まず、１つの問題は、ＰＤＳＣＨとＰＤＳＣＨをスケジューリングするＤＣＩとの間の間隔を如何にして取得するかという問題であり、これは、以下の２つの取得方式を含む。
【０１７５】
時間間隔取得方式１において、ＰＤＳＣＨのＱＣＬパラメータの取得方式は、ＰＤＳＣＨが占有するＡ個のスロットのうちの第１のスロットにおけるＰＤＳＣＨの開始シンボル位置とＤＣＩとの間の１つの時間間隔と、予め定められたしきい値Ｘ１（Ｋ等であり、当然ながら、本願はＸ１とＫが異なる場合を排除しない）とに従い得られる。たとえば、この時間間隔が予め定められたしきい値Ｘ１未満である場合、ＰＤＳＣＨのＱＣＬパラメータを、ＰＤＳＣＨに最も近いスロットにおける指定されたＣＯＲＥＳＥＴ（スロットにおける最小ＣＯＲＥＳＥＴ  ＩＤを有するＣＯＲＥＳＥＴ等）のＱＣＬパラメータに従って取得し、この時間間隔が予め定められたしきい値Ｘ１以上である場合、図４ｂに示されるように、ＤＣＩが示す情報に従ってＰＤＳＣＨのＱＣＬパラメータを取得する。
【０１７６】
時間間隔取得方式２において、各スロットにおけるＰＤＳＣＨのＱＣＬパラメータの取得方式は、ＰＤＳＣＨが占有するＡ個のスロットのうちの各スロットにおけるＰＤＳＣＨの開始シンボル位置とＤＣＩとの間のＡ個の時間間隔と、予め定められたしきい値Ｘ１（Ｋ等であり、当然ながら、本願はＸ１とＫが異なる場合を排除しない）とに従い得られる。たとえば、最初のＡ１個のスロットのうちの各々におけるＰＤＳＣＨとＤＣＩとの間の間隔が予め定められたしきい値Ｘ１未満である場合、ＰＤＳＣＨに最も近いスロットにおける指定されたＣＯＲＥＳＥＴ（スロットにおける最小ＣＯＲＥＳＥＴ  ＩＤを有するＣＯＲＥＳＥＴ等）のＱＣＬパラメータに従い、Ａ１個のスロットにおけるＰＤＳＣＨのＱＣＬパラメータを取得し、最後のＡ２個のスロットのうちの各々におけるＰＤＳＣＨとＤＣＩとの間の間隔が予め定められたしきい値Ｘ１以上である場合、図４ａに示されるように、ＤＣＩに示される情報に従ってＰＤＳＣＨのＱＣＬパラメータを取得する。
【０１７７】
他の問題は、ＰＤＳＣＨに最も近いスロットにおける予め定められた特徴を有するＣＯＲＥＳＥＴのＱＣＬパラメータに従って行われる取得には２つの方式があると理解されることである。
【０１７８】
ＱＣＬパラメータ取得方式１では、ＰＤＳＣＨが占有するＡ個のスロットのうちの第１のスロットに最も近いスロットにおける最小ＣＯＲＥＳＥＴ  ＩＤを有するＣＯＲＥＳＥＴのＱＣＬパラメータに従い、Ａ個のスロットにおけるＰＤＳＣＨのＱＣＬパラメータを取得する。Ａ個のスロットにおけるＰＤＳＣＨのＱＣＬパラメータの取得方法は変化しない、または、Ａ個のスロットにおけるＰＤＳＣＨのＱＣＬパラメータは変化しないままにされる。
【０１７９】
ＱＣＬパラメータ取得方式２において、各スロットにおけるＰＤＳＣＨのＱＣＬパラメータを、ＰＤＳＣＨが占有するＡ個のスロットのうちの各スロットに最も近いそれぞれのスロットにおける最小ＣＯＲＥＳＥＴ  ＩＤを有するＣＯＲＥＳＥＴのＱＣＬパラメータに従って取得する。Ａ個のスロットにおけるＰＤＳＣＨのＱＣＬパラメータの取得方式は、同一でなくてもよく、Ａ個のスロットにおけるＰＤＳＣＨのＱＣＬパラメータは変化し得る。
【０１８０】
時間間隔取得方式１および２は、任意でＱＣＬパラメータ取得方式１および２と協働してもよい。
【０１８１】
ある実施形態において、時間間隔取得方式１とＱＣＬパラメータ取得方式１とを採用した場合、図４ｃに示されるように、ＰＤＳＣＨが占有する３個のスロットのうちの第１のスロットとＤＣＩとの間の時間間隔が予め定められたしきい値Ｋ未満であるときは、３個のスロットにおけるＰＤＳＣＨのＱＣＬパラメータを、第１のスロットに最も近いスロットにおける最小ＣＯＲＥＳＥＴ  ＩＤを有するＣＯＲＥＳＥＴのＱＣＬパラメータに従って取得し（すなわち、スロットｎにおけるＣＯＲＥＳＥＴ０のＱＣＬパラメータ）、３個のスロットにおけるＰＤＳＣＨのＱＣＬパラメータは変化しないままにされる。
【０１８２】
時間間隔取得方式１とＱＣＬパラメータ取得方式２とを採用した場合、図４ｂに示されるように、ＰＤＳＣＨが占有する３個のスロットのうちの第１のスロットとＤＣＩとの間の時間間隔が予め定められたしきい値Ｋ未満であるときは、３個のスロットにおけるＰＤＳＣＨのＱＣＬパラメータを、各スロットに最も近いスロットにおける最小ＣＯＲＥＳＥＴ  ＩＤを有するＣＯＲＥＳＥＴのＱＣＬパラメータに従って取得し、３個のスロットにおけるＰＤＳＣＨのＱＣＬパラメータは異なっていてもよいし同一であってもよい。
【０１８３】
時間間隔取得方式２とＱＣＬパラメータ取得方式１とを採用した場合、図４ｄに示されるように、ＰＤＳＣＨが占有する３個のスロットのうちの各スロットとＤＣＩとの間の時間間隔と予め定められたしきい値Ｋとの間の関係に応じて、３個のスロットのうちの各スロットのＱＣＬパラメータを、ＣＯＲＥＳＥＴに従って取得するのか、ＤＣＩに示される情報に従って取得するのかを判断する。ＰＤＳＣＨの複数のスロットのうちの各々のスロットとＤＣＩとの間の間隔がしきい値Ｋ未満である場合、複数のスロット（すなわち図４ｄのスロットｎおよびスロットｎ＋１）におけるＰＤＳＣＨのＱＣＬパラメータは変化しないままであり、ＰＤＳＣＨのＱＣＬパラメータを、複数のスロットのうちの第１のスロットに最も近いスロットにおける最小ＣＯＲＥＳＥＴ  ＩＤを有するＣＯＲＥＳＥＴのＱＣＬパラメータに従って取得し、スロットｎ＋２におけるＰＤＳＣＨとＤＣＩとの間の間隔がＫよりも大きい場合、スロットｎ＋２におけるＰＤＳＣＨのＱＣＬパラメータを、ＤＣＩに示される情報に従って取得する。
【０１８４】
時間間隔取得方式２とＱＣＬパラメータ取得方式２とを採用した場合、図４ａに示されるように、ＰＤＳＣＨが占有する３個のスロットのうちの各スロットとＤＣＩとの間の時間間隔と予め定められたしきい値Ｋとの間の関係に従い、３個のスロットのうちの各スロットのＱＣＬパラメータを、ＣＯＲＥＳＥＴに従って取得するのか、ＤＣＩが示す情報に従って取得するのかを判断する。ＰＤＳＣＨの複数のスロットのうちの各々とＤＣＩとの間の間隔がしきい値Ｋ未満である場合、複数のスロット（すなわち図４ｄのスロットｎおよびスロットｎ＋１）のうちの各スロットにおけるＰＤＳＣＨのＱＣＬパラメータは、各スロットに最も近いそれぞれのスロットにおける最小ＣＯＲＥＳＥＴ  ＩＤを有するＣＯＲＥＳＥＴのＱＣＬパラメータに従って取得され、スロットｎ＋２におけるＰＤＳＣＨとＤＣＩとの間の間隔がＫよりも大きい場合、スロットｎ＋２におけるＰＤＳＣＨのＱＣＬパラメータは、ＤＣＩに示される情報に従って取得される。３個のスロットのうちの各スロットにおけるＰＤＳＣＨとＣＯＲＥＳＥＴ０スケジューリングとの間の間隔を決定する。間隔がＫ未満である場合、ＰＤＳＣＨのＱＣＬパラメータは、各スロットに最も近いそれぞれのスロットにおける最小ＣＯＲＥＳＥＴ  ＩＤを有するＣＯＲＥＳＥＴのＱＣＬパラメータを用いて取得される。間隔がＫよりも大きい場合、ＤＣＩに示されるＱＣＬパラメータを用いてＰＤＳＣＨのＱＣＬパラメータを取得する。図４ａに示されるように、スロットｎでは、スロットｎのＣＯＲＥＳＥＴ０のビームを用いてＰＤＳＣＨを受信し、スロットｎ＋１では、スロットｎ＋１のＣＯＲＥＳＥＴ１のビームを用いてＰＤＳＣＨを受信し、スロットｎ＋２では、スロットｎにおけるＣＯＲＥＳＥＴ０で送信されるＤＣＩに示されるＱＣＬパラメータを用いて、スロットｎ＋２の受信ビームを決定する。その理由は、Ｋ個の時間ドメインシンボルにおいて、端末はＤＣＩを復号せずＰＤＳＣＨをキャッシュする必要があることにあり、スロットｎにおけるＣＯＲＥＳＥＴ０およびスロットｎ＋１もおけるＣＯＲＥＳＥＴ１で端末のためにデータをスケジューリングすることが可能である。端末がＤＣＩを検出しない前に、スロットｎ＋１では、端末がスケジューリングしたＰＤＳＣＨのＣＯＲＥＳＥＴ０とＣＯＲＥＳＥＴ１の少なくとも一方をキャッシュする必要がある。端末の受信能力が制限される場合、たとえば、端末は受信ビームを１つだけ生成してもよく、各スロットにおけるＰＤＳＣＨに最も近いスロットの最小ＣＯＲＥＳＥＴ  ＩＤを有するＣＯＲＥＳＥＴを用いることで、ＤＣＩとＰＤＳＣＨとの間の間隔が予め定められたしきい値Ｋ未満である範囲の各スロットのＰＤＳＣＨのＱＣＬパラメータを取得する。
【０１８５】
特に、ＰＤＳＣＨとＤＣＩとの間の間隔が１よりも大きい場合、（図４ｅに示されるように）Ａ２個のスロットがＱＣＬパラメータの１つのセットに対応するか否か、または、（図４ｆに示されるように）Ａ２個のスロットのうちの各スロットがＱＣＬパラメータのそれぞれのセットに対応するか否かは、さらに基地局および端末によって合意される、またはシグナリング情報を介して基地局によって通知される。
【０１８６】
特定の時間間隔取得方式と特定のＱＣＬパラメータ取得方式のいずれの組み合わせを採用するかは、端末と基地局とで合意してもよいし、基地局からシグナリング情報を通じて通知してもよい。
【０１８７】
図４ａ〜図４ｄに示されるように、Ｋは２６個の時間ドメインシンボルを示し、スロットｎでは、ＣＯＲＥＳＥＴ０によってスケジューリングされたＰＤＳＣＨは｛スロットｎ，スロットｎ＋１，スロットｎ＋２｝の３個のスロットにまたがる。
【０１８８】
図４ｆにおいて、ＰＤＳＣＨとＤＣＩとの間の間隔が予め定められたしきい値Ｋの２個のスロットよりも大きい場合、ＤＣＩは異なるスロットについて異なるＱＣＬパラメータを通知するため、ＤＣＩでは、各スロットに対応するＱＣＬパラメータを設定する必要がある。当然ながら、本実施形態は、基地局が、ＤＣＩの複数のスロットに対して複数のスロットのうちの１つのスロットのＱＣＬパラメータを設定し（たとえば、スロットｎ＋２のＱＣＬパラメータを設定、すなわち第１のスロットのＱＣＬパラメータを設定）、他のスロットのＱＣＬパラメータを、上位層シグナリングによって設定する、または他のスロットのＱＣＬパラメータを、ＤＣＩによって設定されたＱＣＬパラメータに従って取得することを、排除しない。たとえば、複数のスロットでポーリング方式を採用する。たとえば、ＤＣＩまたは上位層シグナリングのうちの少なくとも１つによって通知されるＱＣＬパラメータの２つのセットだけがあり、ＰＤＳＣＨは４個のスロットを占有し、４個のスロットにおいて２セットのＱＣＬパラメータがポーリングする。図４ａ〜図４ｆにおいて、異なるＱＣＬパラメータは異なるビームに対応する。上位層シグナリングは、ＲＲＣシグナリングであってもよく、またはＭＡＣ−ＣＥコマンドであってもよい。上位層シグナリングは、ＤＣＩにおける候補ＴＣＩ状態を通知するために使用される上位層シグナリングであってもよい。たとえば、ＤＣＩによって通知されたスロットｎ＋２のＴＣＩがＴＣＩ状態２である場合（ＤＣＩにおいて通知されるＴＣＩフィールドは、３ビットを含み、８つのアクティブなＴＣＩ状態に対応する）、スロットｎ＋３のＰＤＳＣＨのＴＣＩ状態はＴＣＩ状態３に対応する。
【０１８９】
この具体例としての実施形態において、１つのＰＤＳＣＨによって占有される複数のスロットで繰り返しデータを送信してもよいし、複数のスロットで異なるデータを送信してもよい。
【０１９０】
具体例としての実施形態１０
この実施形態では、ＤＣＩにおいて通知されるＴＣＩフィールドにおける１つの状態が複数の関係に対応し、異なる関係は、ＰＤＳＣＨによって占有される異なる時間ユニットまたは異なる時間ユニットセットに対応し、各関係は、ＰＤＳＣＨによって占有される時間ユニットのうちの１つまたは１つの時間ユニットセットに対応し、１つの関係は、Ｚ個のＤＭＲＳグループとＺ個のＲＳセットとの間の関係を含み、Ｚ個のＤＭＲＳグループは、Ｚ個のＲＳセットと１対１の対応関係にあり、ＤＭＲＳグループおよび対応するＲＳセットは、対応する時間ユニットまたは時間ユニットセットにおいて、ＱＣＬパラメータについてＱＣＬ関係を満たす。
【０１９１】
具体例としての実施形態１１
この実施形態において、ＰＤＳＣＨ／ＡＰ−ＣＳＩ−ＲＳに最も近いスロットにおいて最小ＣＯＲＥＳＥＴ  ＩＤを有するＣＯＲＥＳＥＴのＱＣＬパラメータに従ってＰＤＳＣＨ／ＡＰ−ＣＳＩ−ＲＳのＱＣＬパラメータを取得した場合、ＣＯＲＥＳＥＴが下記の特徴のうちの少なくとも１つを満たすことがさらに明らかになる。
【０１９２】
最小ＣＯＲＥＳＥＴ  ＩＤを有するＣＯＲＥＳＥＴは、時間ユニットのすべてのＣＣに含まれる端末が検出する必要があるすべてのＣＯＲＥＳＥＴのうち、最小ＣＯＲＥＳＥＴ  ＩＤを有するＣＯＲＥＳＥＴである。
【０１９３】
最小ＣＯＲＥＳＥＴ  ＩＤを有するＣＯＲＥＳＥＴは、時間ユニットの対応するプライマリセル（ＰＣｅｌｌ）に含まれる端末が検出する必要があるすべてのＣＯＲＥＳＥＴのうち、最小ＣＯＲＥＳＥＴ  ＩＤを有するＣＯＲＥＳＥＴである。
【０１９４】
最小ＣＯＲＥＳＥＴ  ＩＤを有するＣＯＲＥＳＥＴは、対応するＰＤＳＣＨが時間ユニットに位置するサービングセルに含まれる端末が検出する必要があるすべてのＣＯＲＥＳＥＴのうち、最小ＣＯＲＥＳＥＴ  ＩＤを有するＣＯＲＥＳＥＴである。
【０１９５】
最小ＣＯＲＥＳＥＴ  ＩＤを有するＣＯＲＥＳＥＴは、ＰＤＳＣＨをスケジューリングする対応するＤＣＩが時間ユニットに位置するサービングセルに含まれる端末が検出する必要があるすべてのＣＯＲＥＳＥＴのうち、最小ＣＯＲＥＳＥＴ  ＩＤを有するＣＯＲＥＳＥＴである。
【０１９６】
最小ＣＯＲＥＳＥＴ  ＩＤを有するＣＯＲＥＳＥＴは、予め定められたＣＣ（最小ＣＣ  ＩＤを有するＣＣ等）が時間ユニットに位置するサービングセルに含まれる端末が検出する必要があるすべてのＣＯＲＥＳＥＴのうち、最小のＣＯＲＥＳＥＴ  ＩＤを有するＣＯＲＥＳＥＴである。
【０１９７】
最小ＣＯＲＥＳＥＴ  ＩＤを有するＣＯＲＥＳＥＴは、時間ユニットの予め定められたＣＣグループに含まれる端末が検出する必要があるすべてのＣＯＲＥＳＥＴのうち、最小ＣＯＲＥＳＥＴ  ＩＤを有するＣＯＲＥＳＥＴである。
【０１９８】
具体例としての実施形態１２
この実施形態では、１つのＣＯＲＥＳＥＴのＱＣＬパラメータを、第１の通信ノードがビーム回復応答信号を検出するか否かに対応付ける。
【０１９９】
ある実施形態において、基地局は、端末のために１つのＣＯＲＥＳＥＴを設定する。端末がビーム回復応答信号を検出しない場合、基地局は、ＣＯＲＥＳＥＴのＱＣＬパラメータをシグナリングによって端末に通知する。端末がビーム回復応答信号を検出する必要がある場合（たとえば、端末が基地局にビーム回復要求信号を送信してから４スロットで、端末は基地局のビーム回復応答信号をＣＯＲＥＳＥＴにおいて検出し、予め定められた時間ウィンドウが超過し、基地局から送信されたビーム回復応答信号を端末が検出できなかった場合、端末は、ＣＯＲＥＳＥＴにおけるビーム回復要求信号の検出を停止する）、ＣＯＲＥＳＥＴのＱＣＬパラメータは、端末が送信するビーム回復要求信号において端末が発見したビームに従って取得される。図８ａに示されるように、Ｔ１期間では、基地局から通知されたシグナリング情報に従って、ＣＯＲＥＳＥＴ１のＱＣＬパラメータを取得する。Ｔ２期間において、端末は、基地局が送信したビーム回復要求応答信号をＣＯＲＥＳＥＴ１において検出し始める。ＣＯＲＥＳＥＴ１のＱＣＬパラメータは、端末が送信するビーム回復要求信号に含まれる参照信号指示情報「ｑｎｅｗ」に従って取得され、「ｑｎｅｗ」は、ＲＳセットにおいて端末が選択した参照信号指示情報を示す（すなわち端末が新たに選択したビームを示す）。Ｔ３期間では、基地局が送信するシグナリング情報に従ってＣＯＲＥＳＥＴ１のＱＣＬパラメータを取得し、Ｔ１期間とＴ３期間では、基地局が端末に送信するＣＯＲＥＳＥＴ１についてのＱＣＬパラメータのシグナリング情報は、異なるシグナリング情報であってもよい、すなわち、基地局がシグナリング情報によってＴ２期間のＣＯＲＥＳＥＴ１のＱＣＬパラメータを更新してもよい。端末が送信するビーム回復要求信号において端末が発見した新たなビームは、端末が送信する参照信号指示情報を通じて取得され、参照信号指示情報は、ＲＳセットにおいて端末が選択した参照信号を示す。参照信号は、測定参照信号または同期参照信号のうちの少なくとも１つを含む。
【０２００】
具体例としての実施形態１３
この実施形態では、非周期的測定参照信号をスケジューリングする物理層動的制御シグナリングは、非周期的測定参照信号の後であってもよい。
【０２０１】
ある実施形態において、非周期的測定参照信号および物理層動的制御シグナリングは、同一の時間ユニットにある。
【０２０２】
図８ｂに示されるように、非周期的測定参照信号をスケジューリングするＤＣＩが位置する開始時間ドメインシンボルは、非周期的測定参照信号の後にある。図８ｃに示されるように、非周期的測定参照信号をスケジューリングするＤＣＩが位置する時間ドメインシンボルの一部は、非周期的測定参照信号の後にある、すなわち、たとえば、ＤＣＩは、３つの時間ドメインシンボルにあり、ＣＳＩ−ＲＳは、ＤＣＩが位置する時間ドメインシンボルのうちの第１のシンボルにある。
【０２０３】
ある具体例としての実施形態において、ＴＣＩ指示情報は、ＤＭＲＳグループ／ＣＳＩ−ＲＳポートグループとＤＬ−ＲＳセットとの間のＱＣＬ関係を示すために使用される、すなわち、１つのＴＣＩインデックス情報が１つの状態に対応し、１つの状態は、Ｑ個のＤＭＲＳグループとＱ個のＤＬ−ＲＳセットとの間の対応関係を含み、１つのＤＬ−ＲＳセットは、１つ以上のＤＬ−ＲＳを含み、各ＤＬ−ＲＳは１つのＱＣＬパラメータセットに関連付けられ、ＤＭＲＳグループ／ＣＳＩ−ＲＳポートグループ内の参照信号と、ＤＭＲＳグループ／ＣＳＩ−ＲＳポートグループに関連付けられたＤＬ−ＲＳセット内の１つのＤＬ−ＲＳとが、ＱＣＬパラメータセットについてＱＣＬ関係を満たすことを示す。２つの参照信号が１つのＱＣＬパラメータについてＱＣＬ関係を満たし、１つの参照信号のＱＣＬパラメータは、２つの参照信号のＱＣＬパラメータを通じて取得できることを示す。ＱＣＬパラメータは、ドップラーシフト、ドップラースプレッド、平均遅延、遅延スプレッド、平均利得、または空間Ｒｘパラメータ、というパラメータのうちの少なくとも１つを含む。
【０２０４】
この具体例としての実施形態では、２つの参照信号がＱＣＬであり、これら２つの参照信号が少なくとも空間Ｒｘパラメータに関してＱＣＬであることを示し、これら２つの参照信号が他のＱＣＬパラメータに関してＱＣＬであるか否かについては限定されない。
【０２０５】
ある具体例としての実施形態において、チャネルは信号であってもよい、すなわち、信号はチャネルにおいて送信される。たとえば、データ信号はデータチャネルにおいて送信される。
【０２０６】
ある具体例としての実施形態において、異なるサービングセルＩＤを通じて異なるＣＣを関連付けることができる。
【０２０７】
具体例としての実施形態１４
この具体例としての実施形態において、端末は、同一の時間シンボルにおけるＰＤＳＣＨおよびＣＳＩ−ＲＳが空間ＲｘパラメータについてＱＣＬ関係を満たさないという特徴を満たす設定を受信することを望まない。
【０２０８】
ある実施形態において、ＰＤＳＣＨとＰＤＳＣＨをスケジューリングする制御シグナリングとの間の間隔は、予め定められたしきい値Ｋ未満である。
【０２０９】
上記実装形態の記載から、上記実施形態の方法は、ソフトウェアと、必要な汎用ハードウェアプラットフォームとによって実装されてもよいし、当然ハードウェアによって実装されてもよいことは、当業者には明らかであろう。しかしながら、多くの場合、前者は好ましい実装形態である。この理解に基づいて、本出願における技術的解決策、または関連技術に寄与する部分は、ソフトウェア製品の形態で実施することができる。コンピュータソフトウェア製品は、記憶媒体（ＲＯＭ／ＲＡＭ、磁気ディスク、または光ディスク等）に格納され、端末装置（携帯電話、コンピュータ、サーバ、またはネットワークデバイスであってもよい）が本願の各実施形態の方法を実行することを可能にするいくつかの命令を含む。
【０２１０】
実施形態３
この実施形態では、制御シグナリングを送信するための装置がさらに提供される。この装置は、上記実施形態および好ましい実装形態を実現するように構成されている。既に説明した内容については説明を繰り返さない。以下で使用される「モジュール」という用語は、予め定められた機能を実現することができるソフトウェア、ハードウェア、またはそれらの組み合わせであってもよい。以下に説明する実施の形態の装置は、好ましくはソフトウェアによって実現されるが、ハードウェアによって実現されてもよく、ソフトウェアとハードウェアとの組み合わせによる実現も可能であり考えられる。
【０２１１】
図１１は、本願のある実施形態に係る制御シグナリングを送信するための装置の構造を示すブロック図である。この装置は、第１の通信ノードに適用される。図１１に示されるように、この装置は、第１の決定モジュール１１２と第１の送信モジュール１１４とを含む。
【０２１２】
１）第１の決定モジュール１１２は、第１の情報に従って第２の情報を決定するように構成される。
【０２１３】
第２の情報は、第１の制御シグナリングにおいて第１の送信パラメータを通知するために使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の制御シグナリングにおいて第１の送信パラメータを通知するために使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【０２１４】
２）第１の送信モジュール１１４は、第１の制御シグナリングを送信するように構成される。
【０２１５】
図１１に示される装置により、第１の情報に従って第２の情報が決定され、第２の情報は、第１の制御シグナリングにおいて第１の送信パラメータを通知するために使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の制御シグナリングにおいて第１の送信パラメータを通知するために使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数であり、第１の制御シグナリングが送信される。すなわち、制御シグナリングのフォーマットは第２の情報を用いて決定され、その後新たな制御シグナリングが送信される。このようにして、関連技術では関連する制御シグナリングにおけるリソースの一部がアイドルであるためリソース利用率が比較的低い、という欠陥が克服され、制御シグナリングのリソース利用率が改善されるという技術的効果が得られる。
【０２１６】
ある実施形態において、第１の制御シグナリングと第１の信号との間の送信時間間隔と予め定められたしきい値Ｋとの間の関係が、第１の関係である場合、Ｎの値はＮ１を含み、第１の制御シグナリングと第１の信号との間の送信時間間隔と予め定められたしきい値Ｋとの間の関係が、第２の関係である場合、Ｎの値はＮ２を含み、Ｎ１およびＮ２は整数である。
【０２１７】
Ｎ１とＮ２との間の関係は、Ｎ１はＮ２よりも大きい、Ｎ１とＮ２の差はＴＣＩフィールドが占有するビットの数以下である、または、Ｎ１とＮ２の差は第２の送信パラメータに関する情報を通知するのに必要なビットの数以下である、のうちの少なくとも１つを満たす。
【０２１８】
ある実施形態において、第１の制御シグナリングと第１の信号との間の送信時間間隔と、予め定められたしきい値Ｋとの間の関係が、第１の関係である場合、対応マッピングテーブルは第１の対応マッピングテーブルであり、第１の制御シグナリングと第１の信号との間の送信時間間隔と、予め定められたしきい値Ｋとの間の関係が、第２の関係である場合、対応マッピングテーブルは第２の対応マッピングテーブルである。
【０２１９】
ある実施形態において、第１の対応マッピングテーブル、第２の対応マッピングテーブル、送信パラメータ値セット１および送信パラメータ値セット２のうちのいずれの１つも、以下の方法のうちの少なくとも１つの方法で決定され、方式１において、送信されるシグナリング情報に内容が含まれ、方式２において、送信端および受信端によりルールが予め合意されている。送信パラメータ値セット１は、第１の対応マッピングテーブルに含まれる第１の送信パラメータの値セットに対応し、送信パラメータ値セット２は、第２の対応マッピングテーブルに含まれる第１の送信パラメータの値セットに対応する。
【０２２０】
ある実装形態において、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットは、１つのＤＬ−ＲＳのみを含み、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットにおける２つのＤＬ−ＲＳごとに、空間ＲｘパラメータについてＱＣＬ関係を満たす。
【０２２１】
第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットのＤＬ−ＲＳは、第１の通信ノードによって同時に受信されることができ、第１の送信パラメータのタイプがＴＣＩである場合、第１の対応マッピングテーブルにおける各状態の空間Ｒｘパラメータに対応付けられたＤＬ−ＲＳによって形成されるＤＬ−ＲＳセットは、空のセットである。第１の通信ノードは、第１の信号または第１の制御シグナリングのうちの少なくとも一方を受信するための通信ノードである。
【０２２２】
ある実施形態において、第１の送信パラメータのタイプは、第１の制御シグナリングに含まれる、ＴＣＩの送信パラメータタイプを除く、１つ以上の送信パラメータタイプを含む、または、第１の送信パラメータのタイプは、ＴＣＩの送信パラメータである。
【０２２３】
ある実施形態において、第１の送信パラメータは、第１の送信パラメータは第１の信号の送信パラメータであること、または、第１の送信パラメータは第２の信号の送信パラメータであること、のうちの少なくとも１つを満たす。
【０２２４】
ある実施形態において、第１の信号または第２の信号は、復調参照信号、測定参照信号、制御チャネル信号、またはデータチャネル信号、のうちの少なくとも１つを含み、第１の制御シグナリングは物理層制御シグナリングである。
【０２２５】
ある実装形態において、第１の情報は、第２の制御シグナリングに含まれる情報、第１の制御シグナリングが位置するＣＯＲＥＳＥＴに対応するＴＣＩ−ＰｒｅｓｅｎｔＩｎＤＣＩがイネーブルされるか否かに関する情報、第１の信号または第２の信号が位置するキャリア周波数と、予め定められたしきい値Ｇとの間の関係の情報、第１の通信ノードによってフィードバックされる、サポートされる周波数範囲能力の情報、予め定められたしきい値Ｋが０であるか否かの情報、空間Ｒｘパラメータで構成された少なくとも１つのＣＯＲＥＳＥＴが、第１の通信ノードによって検出される必要があるＣＯＲＥＳＥＴに存在するか否かの情報、空間Ｒｘパラメータで構成された少なくとも１つのＣＯＲＥＳＥＴが、第１の通信ノードによって検出される必要がある専用サーチ空間に対応付けられたＣＯＲＥＳＥＴに存在するか否かの情報、第１の信号または第２の信号に最も近い時間ユニットにおける最小ＣＯＲＥＳＥＴ  ＩＤを有するＣＯＲＥＳＥＴが、空間Ｒｘパラメータで構成されているか否かの情報、第１の信号または第２の信号に最も近い時間ドメインシンボルにおける最小ＣＯＲＥＳＥＴ  ＩＤを有するＣＯＲＥＳＥＴが、空間Ｒｘパラメータで構成されているか否かの情報、第１の信号または第２の信号に対応付けられたＴＣＩ状態プールに少なくとも１つのＴＣＩ状態が存在するか否かの情報であり、ＴＣＩ状態におけるＲＳセットに対応するＱＣＬパラメータは空間Ｒｘパラメータを含む、情報、または、第１の信号または第２の信号に対応付けられたアクティベーションＴＣＩ状態プールに少なくとも１つのＴＣＩ状態が存在するか否かの情報であり、ＴＣＩ状態におけるＲＳセットに対応するＱＣＬパラメータは空間Ｒｘパラメータを含むという情報、のうちの、少なくとも１つの情報をさらに含む。第１の通信ノードは、第１の信号または第２の信号のうちの少なくとも一方を受信するための通信ノードである。
【０２２６】
ある実施形態において、第１の制御シグナリングと第１の信号との間の送信時間間隔と、予め定められたしきい値Ｋとの間の関係が、第１の関係である場合、第１の制御シグナリングにおいて予め定められた指示フィールドによって通知される第１の送信パラメータのタイプは、送信パラメータの第１のタイプであり、第１の制御シグナリングと第１の信号との間の送信時間間隔と、予め定められたしきい値Ｋとの間の関係が、第２の関係である場合、第２の制御シグナリングにおいて予め定められた指示フィールドによって通知される第１の送信パラメータのタイプは、送信パラメータの第２のタイプである。
【０２２７】
ある実施形態において、第１の制御シグナリングと第１の信号との間の送信時間間隔が予め定められたしきい値Ｋ未満である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋ以上である場合、第１の制御シグナリングと第１の信号との間の送信時間間隔と、予め定められたしきい値Ｋとの間の関係は、第２の関係である。これに代わるものとして、制御シグナリングと第１の信号との間の送信時間間隔が予め定められたしきい値Ｋ以下である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋよりも大きい場合、第１の制御シグナリングと第１の信号との間の送信時間間隔と、予め定められたしきい値Ｋとの間の関係は、第２の関係である。これに代わるものとして、制御シグナリングと第１の信号との間の送信時間間隔が予め定められたしきい値Ｋ以上である場合、第１の制御シグナリングと第１の信号との間の送信時間間隔と、予め定められたしきい値Ｋとの間の関係は、第１の関係であり、制御シグナリングと第１の信号との間の送信時間間隔が予め定められたしきい値Ｋ未満である場合、関係は第２の関係である。
【０２２８】
この実施形態では、制御シグナリングを受信するための装置がさらに提供される。図１２は、本願のある実施形態に係る制御シグナリングを受信するための装置の構造を示すブロック図である。この装置は第２の通信ノードに適用される。図１２に示されるように、この装置は、第２の決定モジュール１２２と受信モジュール１２４とを含む。
【０２２９】
１）第２の決定モジュール１２２は、第１の情報に従って第２の情報を決定するように構成される。
【０２３０】
２）受信モジュール１２４は、第２の情報に従って第１の制御信号を受信するように構成される。
【０２３１】
第２の情報は、第１の情報に従って決定される情報であり、第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【０２３２】
なお、上記モジュールは、ソフトウェアによって実現されてもよく、ハードウェアによって実現されてもよい。ハードウェアによる実現は、上記モジュールが同一のプロセッサに配置されるという方式、または、上記モジュールがそれぞれ異なるプロセッサに任意の組み合わせで配置されるという方式で行うことができるが、これに限定されない。
【０２３３】
実施形態４
この実施形態は、情報を決定するための装置をさらに提供する。この装置は、上記実施形態および好ましい実装形態を実現するために使用される。既に説明した内容については説明を繰り返さない。以下で使用される「モジュール」という用語は、予め定められた機能を実現することができるソフトウェア、ハードウェア、またはそれらの組み合わせのうちの少なくとも１つであってもよい。以下に説明する実施の形態の装置は、好ましくはソフトウェアによって実現されるが、ハードウェアによって実現されてもよく、ソフトウェアとハードウェアとの組み合わせによる実現も可能であり考えられる。
【０２３４】
図１３は、本願のある実施形態に係る情報を決定するための装置を示すブロック図である。この装置は第１の通信に適用される。図１３に示されるように、この装置は第３の決定モジュール１３２を含む。
【０２３５】
第３の決定モジュール１３２は、第１の情報に従って第２の情報を決定するように構成される。
【０２３６】
第２の情報は、第１の信号のＱＣＬパラメータ、第２の信号が位置する時間ドメイン位置で第１の信号を送信する方法、または第２の信号が位置する時間ドメイン位置で第１の信号を受信する方法、のうちの少なくとも１つを含み、第１の情報は、指定されたＣＯＲＥＳＥＴの後の予め定められた時間ウィンドウに第２の信号が存在するか否か、第１の信号と指定されたＣＯＲＥＳＥＴとの間の間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間Ｒｘパラメータと第２の信号に対応する第２の空間Ｒｘパラメータとの間の関係、のうちの少なくとも１つの情報を含み、Ｘ１およびＸ２は実数である。
【０２３７】
図１３に示される装置により、２つの信号間の多重化という問題または２つの信号を受信するという問題が、信号または制御チャネルリソースによって、または、信号と、この信号をスケジューリングする制御シグナリングとの間の時間間隔と、予め定められたしきい値との間の関係によって決定される。関連技術では、端末が制御シグナリングを検出するときに遅延があり、同時に生成される無線周波数ビームが限られていることが原因で信号を正しく受信できないという欠陥は、克服される。
【０２３８】
ある実装形態において、指定されたＣＯＲＥＳＥＴは、ＣＯＲＥＳＥＴは第１の信号に最も近い時間ドメインシンボルにおける最小ＣＯＲＥＳＥＴ  ＩＤを有するＣＯＲＥＳＥＴであるという特徴、ＣＯＲＥＳＥＴは第１の信号に最も近い時間ユニットにおける最小ＣＯＲＥＳＥＴ  ＩＤを有するＣＯＲＥＳＥＴであるという特徴、ＣＯＲＥＳＥＴにおいて、端末が、ダウンリンク信号またはチャネルをスケジューリングする少なくとも１つのＤＣＩを検出する必要があるという特徴、ＣＯＲＥＳＥＴは第１の信号をスケジューリングする制御シグナリングに関する情報を含まないという特徴、ＣＯＲＥＳＥＴは第２の信号をスケジューリングする制御シグナリングに関する情報を含むという特徴、ＣＯＲＥＳＥＴは少なくとも１つの専用サーチ空間に対応付けられているという特徴、ＣＯＲＥＳＥＴは、第１の信号または第２の信号の少なくとも一方に最も近い時間ユニットにおけるすべてのＣＣの最小ＣＯＲＥＳＥＴ  ＩＤを有するＣＯＲＥＳＥＴであるという特徴、ＣＯＲＥＳＥＴは、第１の信号または第２の信号のうちの少なくとも一方に最も近い時間ユニットにおける予め定められたＣＣの最小ＣＯＲＥＳＥＴ  ＩＤを有するＣＯＲＥＳＥＴであるという特徴、ＣＯＲＥＳＥＴは、第１または第２の信号のうちの少なくとも一方に最も近い時間ユニットにおける予め定められたＣＣグループの最小ＣＯＲＥＳＥＴ  ＩＤを有するＣＯＲＥＳＥＴであるという特徴、または、ＣＯＲＥＳＥＴは、時間ユニットにおけるＭ個の予め定められた時間ドメインシンボルにおけるＣＯＲＥＳＥＴであるという特徴、のうちの少なくとも１つを満たし、Ｍは、時間ユニットに含まれる時間ドメインシンボルの数以下である。
【０２３９】
ある実施形態において、第１の信号とＣＯＲＥＳＥＴとの間の時間間隔が予め定められたしきい値Ｘ１未満である場合、第１の信号のＱＣＬパラメータは、ＣＯＲＥＳＥＴのＱＣＬパラメータに従って取得され、第１の信号とＣＯＲＥＳＥＴとの間の時間間隔が予め定められたしきい値Ｘ１以上である場合、第１の信号のＱＣＬパラメータは、第１の信号の設定情報において設定されたＱＣＬパラメータに従って取得される。
【０２４０】
ある実施形態において、第１の信号とＣＯＲＥＳＥＴとの間の間隔が予め定められたしきい値Ｘ１未満である場合、第１の信号のＱＣＬパラメータの優先度は、第２の信号のＱＣＬパラメータの優先度よりも高く、第１の信号とＣＯＲＥＳＥＴとの間の間隔が予め定められたしきい値Ｘ１以上である場合、第１の信号のＱＣＬパラメータの優先度は、第２の信号のＱＣＬパラメータの優先度よりも低い。
【０２４１】
ある実施形態において、第１の信号とＣＯＲＥＳＥＴとの間の間隔が予め定められたしきい値Ｘ１未満である場合、周波数分割多重化の方式を、第１の信号と第２の信号の間に適用することはできず、第１の信号とＣＯＲＥＳＥＴとの間の間隔が予め定められたしきい値Ｘ１以上である場合、周波数分割多重化の方式を第１の信号と第２の信号の間に適用することができる。
【０２４２】
ある実施形態において、第１の信号または第２の信号のうちの少なくとも一方は、ダウンリンク測定参照信号、ダウンリンク同期信号、ダウンリンク復調参照信号、ダウンリンクデータチャネル信号、またはダウンリンク制御チャネル信号、のうちの少なくとも１つを含む。
【０２４３】
ある実施形態において、予め定められたしきい値Ｘ１は予め定められたしきい値Ｘ２に等しく、および／または第２の信号のＱＣＬパラメータは、第２の信号をスケジューリングする制御情報と第２の信号との間の間隔と、予め定められたしきい値Ｘ２との間の関係に従って決定される。
【０２４４】
ある実施形態において、第１の信号は、第１の信号は物理層動的制御シグナリングによってスケジューリングされるダウンリンク信号であるという特徴、第１の信号はダウンリンク物理制御チャネル信号であるという特徴、または、第１の信号をスケジューリングする制御シグナリングと第１の信号との間の間隔は予め定められたしきい値Ｘ１未満であるという特徴、のうちの少なくとも１つを満たす。
【０２４５】
ある実施形態において、第２の信号は、第２の信号をスケジューリングする制御シグナリングは第１の信号が位置する時間ドメインシンボルの前であるという特徴、第２の信号をスケジューリングする制御シグナリングと第１の信号が位置する時間ドメインシンボルとの間の間隔は予め定められたしきい値Ｘ３以上であるという特徴、第２の信号をスケジューリングする制御シグナリングと第２の信号が位置する開始時間ドメインシンボルとの間の間隔は予め定められたしきい値Ｘ３以上であるという特徴、第２の信号は物理層動的制御シグナリングによってスケジューリングされるダウンリンク信号であるという特徴、または、第２の信号は周期的ダウンリンク測定参照信号であるという特徴、のうちの少なくとも１つを満たし、Ｘ３は実数である。
【０２４６】
ある実施形態において、第２の信号が、ＣＯＲＥＳＥＴの後の予め定められた時間ウィンドウに存在する場合、第１の信号のＱＣＬパラメータは、第２の信号のＱＣＬパラメータに従って決定され、第２の信号が、ＣＯＲＥＳＥＴの後の予め定められた時間ウィンドウに存在しない場合、第１の信号のＱＣＬパラメータは、第２の信号のＱＣＬパラメータに従って決定されず、および／または第２の信号がＣＯＲＥＳＥＴの後の予め定められた時間ウィンドウに存在しかつ第１の信号と第１の信号をスケジューリングする制御シグナリングとの間の間隔が予め定められたしきい値Ｘ１未満である場合、第１の信号のＱＣＬパラメータはＣＯＲＥＳＥＴのＱＣＬパラメータに従って取得されず、第２の信号がＣＯＲＥＳＥＴの後の予め定められた時間ウィンドウに存在せずかつ第１の信号と第１の信号をスケジューリングする制御シグナリングとの間の間隔が予め定められたしきい値Ｘ１未満である場合、第１の信号のＱＣＬパラメータはＣＯＲＥＳＥＴのＱＣＬパラメータに従って取得される。
【０２４７】
ある実施形態において、第１の信号および第２の信号は、第２の信号の空間Ｒｘパラメータは第１の信号の空間Ｒｘパラメータと異なるという特徴、第２の信号の空間Ｒｘパラメータに対応する空間フィルタおよび第１の信号の空間Ｒｘパラメータに対応する空間フィルタは第１の通信ノードによって同時に生成できないという特徴、第２の信号および第１の信号は異なるＣＣに属するという特徴、第１の信号が位置する時間ドメイン位置と第２の信号が位置する時間ドメイン位置との交差部が、空ではないセットであるという特徴、第１の信号および第２の信号が同一の時間ドメイン位置にあるという特徴、または、第２の信号の優先度が第１の信号の優先度よりも高いという特徴、のうちの少なくとも１つを満たす。
【０２４８】
ある実施形態において、第２の情報が第１の信号のＱＣＬパラメータである場合、第１の情報に従って第２の情報を決定するステップは、第１の信号のＱＣＬパラメータと第２の信号のＱＣＬパラメータとの間の優先度の情報、第１の信号の設定情報において設定されたＱＣＬパラメータと指定されたＣＯＲＥＳＥＴのＱＣＬパラメータとの間の優先度の情報、または、第１の信号と第１の信号をスケジューリングする制御シグナリングとの間の間隔が予め定められたしきい値Ｘ１未満である場合に第１の信号のＱＣＬパラメータが指定されたＣＯＲＥＳＥＴのＱＣＬパラメータに従って取得されるか否かの情報、のうちの少なくとも１つを、第１の情報に従って決定するステップを含む。
【０２４９】
ある実施形態において、第２の情報が、第２の信号が位置する時間ドメイン位置において第１の信号を受信する方法である場合、第１の情報に従って第２の情報を決定するステップは、第２の信号が位置する時間ドメイン位置において第１の信号が受信されるか否かの情報、第２の信号が位置する時間ドメイン位置において制御チャネルが検出されるか否かの情報、第２の信号が位置する時間ドメイン位置における、第１の信号のＱＣＬパラメータと第２の信号のＱＣＬパラメータとの間の優先度の情報、第１の信号と第２の信号との間に周波数分割多重化を適用可能か否かの情報、または、第１の信号が位置することができる時間ドメイン位置が第２の信号が位置する時間ドメイン位置を含むか否かの情報、のうちの少なくとも１つを、第１の情報に従って決定するステップを含む。
【０２５０】
ある実施形態において、第２の情報が、第２の信号が位置する時間ドメイン位置において第１の信号を送信する方法である場合、第１の情報に従って第２の情報を決定するステップは、第２の信号が位置する時間ドメイン位置において第１の信号が送信されるか否かの情報、第２の信号が位置する時間ドメイン位置において制御チャネルが送信されるか否かの情報、第２の信号が位置する時間ドメイン位置における、第１の信号のＱＣＬパラメータと第２の信号のＱＣＬパラメータとの間の優先度の情報、第１の信号と第２の信号との間に周波数分割多重化を適用可能か否かの情報、または、第１の信号が位置することができる時間ドメイン位置が第２の信号が位置する時間ドメイン位置を含むか否かの情報、のうちの少なくとも１つを、第１の情報に従って決定するステップを含む。
【０２５１】
ある実施形態において、第２の信号が位置する時間ドメイン位置は、第２の信号が位置する時間ドメインシンボル、または、第２の信号が位置する時間ユニット、という時間ドメイン位置のうちの少なくとも１つを含む。
【０２５２】
ある実施形態において、この方法は以下のステップをさらに含む。すなわち、第１の信号をスケジューリングする第１の制御シグナリングと第１の信号との間の間隔が予め定められたしきい値Ｘ１以上でありかつ第２の信号をスケジューリングする第２の制御シグナリングと第２の信号との間の間隔が予め定められたしきい値Ｘ２以上である場合、第１の信号および第２の信号は空間ＲｘパラメータについてＱＣＬ関係を満たさないという特徴、第１の信号をスケジューリングする第１の制御シグナリングと第１の信号との間の間隔が予め定められたしきい値Ｘ１未満でありかつ第２の信号をスケジューリングする第２の制御シグナリングと第２の信号との間の間隔が予め定められたしきい値Ｘ２以上である場合、第１の信号のＱＣＬパラメータが第２の信号のＱＣＬパラメータに従って決定されるという特徴、または、第１の信号をスケジューリングする第１の制御シグナリングと第１の信号との間の間隔が予め定められたしきい値Ｘ１未満でありかつ第２の信号をスケジューリングする第２の制御シグナリングと第２の信号との間の間隔が予め定められたしきい値Ｘ２未満である場合、第１の信号のＱＣＬパラメータの優先度および第２の信号のＱＣＬパラメータの優先度は、合意されたルールまたはシグナリング情報に従って取得されるという特徴、を満たす設定は受信されない、というステップを、さらに含む。
【０２５３】
ある実施形態において、第１の情報は、指定されたＣＯＲＥＳＥＴに含まれる制御シグナリングはＴＣＩフィールドを含むか否かの情報、第１の信号または第２の信号のうちの少なくとも一方が位置するキャリア周波数と予め定められたしきい値Ｇとの間の関係の情報、予め定められたしきい値Ｘ１または予め定められたしきい値Ｘ２のうちの少なくとも一方が０であるか否かの情報、空間Ｒｘパラメータで構成された少なくとも１つのＣＯＲＥＳＥＴが指定されたＣＯＲＥＳＥＴに存在するか否かの情報、空間Ｒｘパラメータで構成された少なくとも１つのＣＯＲＥＳＥＴが第１の通信ノードによって検出される必要があるＣＯＲＥＳＥＴセットに存在するか否かの情報、第１の信号または第２の信号に対応付けられたＴＣＩ状態プールに少なくとも１つのＴＣＩ状態が存在するか否かの情報であってＴＣＩ状態のＲＳセットに対応するＱＣＬパラメータは空間Ｒｘパラメータを含むという情報、または、第１の信号または第２の信号に対応付けられたアクティベーションＴＣＩ状態プールに少なくとも１つのＴＣＩ状態が存在するか否かの情報であってＴＣＩ状態のＲＳセットに対応するＱＣＬパラメータは空間Ｒｘパラメータを含むという情報、のうちの少なくとも１つをさらに含む。第１の通信ノードは第１の信号を受信するための通信ノードである。
【０２５４】
ある実施形態において、第１の情報が、第１の信号に対応する第１の空間Ｒｘパラメータと第２の信号に対応する第２の空間Ｒｘパラメータとの間の関係である場合、第１の情報に従って第２の情報を決定するステップは、第１の信号および第２の信号が空間ＲｘパラメータについてＱＣＬ関係を満たす場合、第１の信号が位置することができる時間ドメインシンボルは第２の信号が位置する時間ドメインシンボルを含むこと、第１の信号および第２の信号が空間ＲｘパラメータについてＱＣＬ関係を満たさない場合、第１の信号が位置することができる時間ドメインシンボルは第２の信号が位置する時間ドメインシンボルを含まないこと、第１の空間Ｒｘパラメータに対応する空間フィルタおよび第２の空間Ｒｘパラメータに対応する空間フィルタが第１の通信ノードによって同時に生成されることができる場合、第１の信号が位置することができる時間ドメインシンボルは第２の信号が位置する時間ドメインシンボルを含むこと、または、第１の空間Ｒｘパラメータに対応する空間フィルタおよび第２の空間Ｒｘパラメータに対応する空間フィルタが第１の通信ノードによって同時に生成されることができない場合、第１の信号が位置することができる時間ドメインシンボルは第２の信号が位置する時間ドメインシンボルを含まないこと、のうちの少なくとも１つを含む。
【０２５５】
第１の信号が位置することができる時間ドメインシンボルが、第２の信号が位置する時間ドメインシンボルを含まないというケースは、第２の信号が位置する時間ドメインシンボルにおいて第１の信号はレートマッチングのために送信および／または受信されないということであってもよい。
【０２５６】
ある実施形態において、第１の情報が、第１の信号と第１の制御シグナリングとの間の時間間隔と予め定められたしきい値Ｘ１との間の関係であり、第２の情報が、第１の信号のＱＣＬパラメータである場合、第１の情報に従って第２の情報を決定するステップは、第１の信号のＱＣＬパラメータは１つの時間ユニットにおける異なる時間ドメインシンボルにわたって同一であると判断されること、第１の信号のＱＣＬパラメータは異なる時間ユニットにわたって異なり得ると判断されること、第１の信号のＢ１個のセットのＱＣＬパラメータとＡ個の時間ユニットとの間に対応関係が存在すること、第１の信号が位置するＡ個の時間ユニットのうちの各時間ユニットにおける第１の信号のＱＣＬパラメータは、上記各時間ユニットに最も近い時間ユニットにおける予め定められた特徴を有するＣＯＲＥＳＥＴのＱＣＬパラメータに従って取得されること、または、第１の信号が位置するＡ個の時間ユニットにおいて、各時間ユニットにおける第１の信号のＱＣＬパラメータは、上記各時間ユニットにおける第１の信号と第１の制御シグナリングとの間の時間間隔と、予め定められたしきい値Ｘ１との間の関係に従って決定されること、のうちの少なくとも１つを含み、第１の信号はＡ個の時間ユニットにあり、Ａは１よりも大きい自然数であり、Ｂ１はＡ以下の負でない整数である。
【０２５７】
なお、上記時間ユニットは、スロットであってもよく、または、サブフレームもしくは別の時間ユニットであってもよい。
【０２５８】
ある実施形態において、第１の情報が、第１の信号と第１の制御シグナリングとの間の時間間隔と予め定められたしきい値Ｘ１との間の関係であり、第２の情報が、第１の信号のＱＣＬパラメータである場合、第１の情報に従って第２の情報を決定するステップは、
第１の信号のＱＣＬパラメータは、Ａ個の時間ユニットのうちの第１のユニットにおける第１の信号と第１の制御シグナリングとの間の時間間隔と、予め定められたしきい値Ｘ１との間の関係に従って決定されることであって、Ａ個の時間ユニットにおける第１の信号のＱＣＬパラメータは変化しないままにされること、
第１の信号が位置するＡ１個の時間ユニットのうちの各時間ユニットにおける第１の信号のＱＣＬパラメータは、上記各時間ユニットに最も近い時間ユニットにおける予め定められた特徴を有するＣＯＲＥＳＥＴのＱＣＬパラメータに従って取得されることであって、第１の制御シグナリングと、Ａ１個の時間ユニットのうちの最後の時間ユニットにおける第１の信号との間の間隔は、予め定められたしきい値Ｘ１未満であること、
第１の信号が位置するＡ２個の時間ユニットにおける第１の信号のＱＣＬパラメータは、変化しないままにされること、
Ｂ２個のセットの第１の信号のＱＣＬパラメータとＡ２個の時間ユニットとの間に対応関係が存在すること、または、
第１の信号が位置するＡ２個の時間ユニットにおいて、第１の信号のＱＣＬパラメータは変化しないままにされ、Ａ２個の時間ユニットにおける第１の信号のＱＣＬパラメータは、第１の制御シグナリングにおいて通知された情報に従って決定されること、
のうちの少なくとも１つを含み、第１の制御シグナリングと、Ａ２個の時間ユニットのうちの第１のユニットにおける第１の信号との間の間隔は、予め定められたしきい値Ｘ１以上であり、第１の信号はＡ個の時間ユニットにあり、Ａは１よりも大きい自然数であり、Ａ１およびＡ２は、Ａの値以下の負でない整数であり、Ｂ２はＡ２以下の負でない整数である。
【０２５９】
なお、上記モジュールは、ソフトウェアによって実現されてもよく、ハードウェアによって実現されてもよい。ハードウェアによる実現は、上記モジュールが同一のプロセッサに配置されるという方式、または、上記モジュールがそれぞれ異なるプロセッサに任意の組み合わせで配置されるという方式で行うことができるが、これに限定されない。
【０２６０】
実施形態５
本願のこの実施形態は、記憶媒体をさらに提供する。この記憶媒体はコンピュータプログラムを格納する。このコンピュータプログラムは、実行されると上記方法の実施形態のうちのいずれか１つのステップを実行するように構成されている。
【０２６１】
ある実施形態において、この実施形態の記憶媒体は、下記のステップＳ１およびステップＳ２を実行するためのコンピュータプログラムを格納するように構成されてもよい。
【０２６２】
ステップＳ１において、第１の情報に従って第２の情報を決定する。
第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【０２６３】
ステップＳ２において、第１の制御シグナリングを送信する。
ある実施形態において、記憶媒体はさらに、下記のステップＳ１を実行するためのコンピュータプログラムを格納するように構成される。
【０２６４】
ステップＳ１において、第１の情報に従って第２の情報を決定し、第２の情報は、第１の信号のＱＣＬパラメータ、第２の信号が位置する時間ドメイン位置で第１の信号を送信する方法、または第２の信号が位置する時間ドメイン位置で第１の信号を受信する方法、のうちの少なくとも１つを含み、第１の情報は、指定されたＣＯＲＥＳＥＴの後の予め定められた時間ウィンドウに第２の信号が存在するか否か、第１の信号と指定されたＣＯＲＥＳＥＴとの間の間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間Ｒｘパラメータと第２の信号に対応する第２の空間Ｒｘパラメータとの間の関係、のうちの少なくとも１つの情報を含み、Ｘ１およびＸ２は実数である。
【０２６５】
ある実施形態において、上記記憶装置はさらに、下記のステップＳ１およびステップＳ２を実行するためのコンピュータプログラムを格納するように構成される。
【０２６６】
ステップＳ１において、第１の情報に従って第２の情報を決定する。
ステップＳ２において、第２の情報に従って第１の制御シグナリングを受信し、第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【０２６７】
ある実施形態において、この実施形態の記憶媒体は、ユニバーサルシリアルバスドライブ、ＲＯＭ、ＲＡＭ、モバイルハードディスク、磁気ディスク、光ディスク、またはコンピュータプログラムを格納可能な他の媒体を含み得るが、これらに限定される訳ではない。
【０２６８】
本願の実施形態はさらに、メモリとプロセッサとを含む電子装置を提供する。メモリはコンピュータプログラムを格納し、プロセッサは、コンピュータプログラムを実行することにより上記方法の実施形態のうちのいずれか１つのステップを実行するように構成される。
【０２６９】
ある実施形態において、電子装置は、送信装置と、入出力装置とをさらに含み得る。送信装置はプロセッサに接続される。入出力装置はプロセッサに接続される。
【０２７０】
ある実施形態において、この実施形態の上記プロセッサは、コンピュータプログラムを通じて下記のステップＳ１およびＳ２を実行するように構成されてもよい。
【０２７１】
ステップＳ１において、第１の情報に従い第２の情報を決定する。第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【０２７２】
ステップＳ２において、第１の制御シグナリングを送信する。
ある実施形態において、上記プロセッサはさらに、下記のステップＳ１を実行するためのコンピュータプログラムを格納するように構成される。
【０２７３】
ステップＳ１において、第１の情報に従って第２の情報を決定し、第２の情報は、第１の信号のＱＣＬパラメータ、第２の信号が位置する時間ドメイン位置で第１の信号を送信する方法、または第２の信号が位置する時間ドメイン位置で第１の信号を受信する方法、のうちの少なくとも１つを含み、第１の情報は、指定されたＣＯＲＥＳＥＴの後の予め定められた時間ウィンドウに第２の信号が存在するか否か、第１の信号と指定されたＣＯＲＥＳＥＴとの間の間隔と、予め定められたしきい値Ｘ１との間の関係、第２の信号と指定されたＣＯＲＥＳＥＴとの間の時間間隔と、予め定められたしきい値Ｘ２との間の関係、第１の信号と第１の制御シグナリングとの間の時間間隔と、予め定められたしきい値Ｘ１との間の関係、第２の信号と第２の制御シグナリングとの間の時間間隔と、予め定められたしきい値Ｘ２との間の関係、または、第１の信号に対応する第１の空間Ｒｘパラメータと第２の信号に対応する第２の空間Ｒｘパラメータとの間の関係、のうちの少なくとも１つの情報を含み、Ｘ１およびＸ２は実数である。
【０２７４】
ある実施形態において、上記電子装置はさらに、下記のステップＳ１およびステップＳ２を実行するためのコンピュータプログラムを格納するように構成される。
【０２７５】
ステップＳ１において、第１の情報に従って第２の情報を決定する。
ステップＳ２において、第２の情報に従って第１の制御シグナリングを受信し、第２の情報は、第１の送信パラメータを通知するために第１の制御シグナリングにおいて使用されるビットの数Ｎ、第１の制御シグナリングにおける第１の送信パラメータによって参照されるインデックス値と第１の送信パラメータの値との間の対応マッピングテーブル、第１の制御シグナリングにおいて予め定められた指示フィールドによって通知される第１の送信パラメータのタイプ、または、第１の送信パラメータを通知するために第１の制御シグナリングにおいて使用されるビットの位置情報、のうちの少なくとも１つを含み、第１の情報は、第１の制御シグナリングと第１の信号との間の送信時間間隔と、予め定められたしきい値Ｋとの間の関係を含み、ＮおよびＫは負でない整数である。
【０２７６】
ある実施形態において、本実施形態における具体例は、上記実施形態で説明した例および任意の実装形態を意味する場合があるが、この実施形態では繰り返さない。
【０２７７】
実施形態６
本願の実施形態は、ＱＣＬ参照信号を決定する方法をさらに提供する。図１４に示されるように、この方法は、下記のステップＳ１４０１またはステップＳ１４０２のうちの少なくとも一方を含む。
【０２７８】
ステップＳ１４０１において、１つの信号が占める時間ユニットの数が１よりも多い場合、シグナリング情報または予め定められたルールのうちの少なくとも一方に従い、上記１つの信号のＱＣＬ参照信号を決定する。
【０２７９】
ステップＳ１４０２において、Ｎ個の信号が空間ＲｘパラメータについてＱＣＬ関係を同時に満たし、Ｎは２以上の正の整数である。
【０２８０】
上記１つの信号は、データチャネル信号、制御チャネル信号、または参照信号のうちのいずれか１つを含む。上記１つの信号のＱＣＬパラメータを決定するステップは、ＱＣＬ参照信号を取得し、ＱＣＬ参照信号に従ってＱＣＬパラメータを取得するステップを含む。
【０２８１】
ある実施形態において、「Ｎ個の信号が空間ＲｘパラメータについてＱＣＬ関係を同時に満たす」は、Ｎ個の信号が空間ＲｘパラメータについてＱＣＬ関係を同時に満たさないという設定情報を受信することを通信ノードが望まないこと、または、Ｎ個の信号が空間ＲｘパラメータについてＱＣＬ関係を満たす場合にのみＮ個の信号は同時であることが可能でありそうでなければＮ個の信号は同時であることが不可能であること、のうちの少なくとも一方を意味する。
【０２８２】
ある実施形態において、上記１つの信号は、Ａ個の時間ユニットを占め、制御シグナリングにおいてスケジューリングされる信号である。上記１つの信号は、Ａ個の時間ユニットにおいて、繰り返し方式で送信されてもよく、非繰り返し方式で送信されてもよい。
【０２８３】
ある実施形態において、Ｎ個の信号は、少なくとも空間ＲｘパラメータについてＱＣＬ関係を同時に満たし、Ｎ個の信号は、異なるＣＣにおけるダウンリンク信号、または、データチャネル信号、制御チャネル信号、ダウンリンク測定参照信号、または復調参照信号のうちの少なくとも２つの信号、のうちの少なくとも一方を含む。
【０２８４】
ある実施形態において、上記１つの信号が占める時間ユニットの数Ａが１よりも多い場合、シグナリング情報または予め定められたルールのうちの少なくとも一方に従って上記１つの信号のＱＣＬ参照信号を決定するステップは、上記１つの信号が１つの時間ユニットにおける異なる時間ドメインシンボルにある場合、ＱＣＬ参照信号を変化しないままにすること、上記１つの信号が異なる時間ユニットにある場合、ＱＣＬパラメータは異なり得ると判断すること、上記１つの信号のＱＣＬ参照信号のＢ１個のセットとＡ個の時間ユニットとの間に対応関係があること、上記１つの信号が位置するＡ個の時間ユニットのうちの各時間ユニットにおける上記１つの信号のＱＣＬ参照信号は、上記各時間ユニットに最も近い時間ユニットにおける予め定められた特徴を有するＣＯＲＥＳＥＴのＱＣＬ参照信号に従って取得されること、または、上記１つの信号が位置するＡ個の時間ユニットのうちの各時間ユニットにおいて、各時間ユニットの上記１つの信号のＱＣＬ参照信号を、上記各時間ユニットにおける上記１つの信号と上記１つの信号をスケジューリングする制御シグナリングとの間の時間間隔と、予め定められたしきい値Ｘ１との間の関係に従って決定すること、のうちの少なくとも１つを含み、Ｂ１はＡ以下の負でない整数であり、Ｘ１は負でない数である、またはＸ１は時間ドメインシンボルの数を示す負でない整数である。
【０２８５】
ある実施形態において、上記１つの信号が占める時間ユニットの数が１よりも多い場合、シグナリング情報または予め定められたルールのうちの少なくとも一方に従い、上記１つの信号のＱＣＬ参照信号を決定するステップは、下記のステップのうちの少なくとも１つを含む。
【０２８６】
上記１つの信号のＱＣＬ参照信号は、Ａ個の時間ユニットのうちの第１の時間ユニットにおける上記１つの信号と、この１つの信号をスケジューリングする制御シグナリングとの間の時間間隔と、予め定められたしきい値Ｘ１との間の関係に従って決定され、上記Ａ個の時間ユニットにおける上記１つの信号のＱＣＬ参照信号は変化しないままにされる。
【０２８７】
上記１つの信号が位置するＡ１個の時間ユニットのうちの各時間ユニットにおける上記１つの信号のＱＣＬ参照信号は、上記各時間ユニットに最も近い時間ユニットにおける予め定められた特徴を有するＣＯＲＥＳＥＴのＱＣＬパラメータに従って取得され、Ａ１個の時間ユニットのうちの最後の時間ユニットにおける上記１つの信号とこの１つの信号をスケジューリングする制御シグナリングとの間の間隔は、予め定められたしきい値Ｘ１未満である。
【０２８８】
上記１つの信号が位置するＡ２個の時間ユニットにおける上記１つの信号のＱＣＬ参照信号は変化しないままにされる。
【０２８９】
上記１つの信号のＱＣＬ参照信号のＢ２個のセットと、Ａ２個の時間ユニットとの間には、対応関係がある。
【０２９０】
Ａ２個の時間ユニットにおける上記１つの信号のＱＣＬ参照信号は、第１の信号をスケジューリングする制御シグナリングにおいて通知される情報に従って決定され、Ａ２個の時間ユニットのうちの第１のユニットにおける上記１つの信号と制御シグナリングとの間の間隔は、予め定められたしきい値Ｘ１以上である。
【０２９１】
Ａ１およびＡ２は、Ａ以下の負でない整数であり、Ｂ２は、Ａ２以下の負でない整数である。
【０２９２】
ある実施形態において、上記１つの信号が占める時間ユニットの数Ａが１よりも多い場合、シグナリング情報または予め定められたルールのうちの少なくとも一方に従い、上記１つの信号のＱＣＬ参照信号を決定するステップは、以下のステップを含む。上記１つの信号と上記１つの信号をスケジューリングする制御シグナリングとの間の時間間隔が予め定められたしきい値Ｘ１未満である場合、上記１つの信号のＱＣＬ参照信号を、上記１つの信号に最も近い時間ユニットにおける予め定められた特徴を満たす制御チャネルリソースのＱＣＬ参照信号に従って取得し、上記１つの信号とこの１つの信号をスケジューリングする制御シグナリングとの間の時間間隔は、Ａ個の時間ユニットのうちの第１のユニットにおける上記１つの信号とこの１つの信号をスケジューリングする制御シグナリングとの間の時間間隔、または、上記１つの信号が位置するＡ個の時間ユニットのうちの各時間ユニットにおける上記１つの信号とこの１つの信号をスケジューリングする制御シグナリングとの間の時間間隔、のうちの一方を含む。
【０２９３】
ある実施形態において、上記１つの信号のＱＣＬ参照信号を、上記１つの信号に最も近い時間ユニットにおける予め定められた特徴を満たす制御チャネルリソースのＱＣＬ参照信号に従って取得するステップは、以下のステップのうちの１つを含む。
【０２９４】
上記１つの信号が位置するＡ１個の時間ユニットのうちの各時間ユニットにおける上記１つの信号のＱＣＬ参照信号を、上記各時間ユニットにおける上記１つの信号に最も近い時間ユニットにおける予め定められた特徴を有する制御チャネルリソースのＱＣＬ参照信号に従って取得する。
【０２９５】
上記１つの信号が位置するＡ１個の時間ユニットのうちの各時間ユニットにおける上記１つの信号のＱＣＬ参照信号を、Ａ個の時間ユニットのうちの第１の時間ユニットにおける上記１つの信号に最も近い時間ユニットにおける予め定められた特徴を有する制御チャネルリソースのＱＣＬ参照信号に従って取得する。
【０２９６】
Ａ１個の時間ユニットは、上記１つの信号が占めるＡ個の時間ユニットである、または、Ａ１個の時間ユニットのうちの各時間ユニットにおける上記１つの信号と、この１つの信号をスケジューリングする制御シグナリングとの間の時間間隔は、予め定められたしきい値Ｘ１未満である。
【０２９７】
ある実施形態において、上記１つの信号が占める時間ユニットの数Ａが１よりも多い場合、シグナリング情報または予め定められたルールのうちの少なくとも一方に従い、上記１つの信号のＱＣＬ参照信号を決定するステップは、以下のステップのうちの少なくとも１つを含む。
【０２９８】
上記１つの信号のＱＣＬ参照信号のＢ２個のセットと、Ａ２個の時間ユニットとの間には対応関係がある。
【０２９９】
上記１つの信号のＱＣＬ参照信号のＢ２個のセットは、ポーリング方式でＡ２個の時間ユニットに対応する。
【０３００】
上記１つの信号をスケジューリングする制御シグナリングは、Ｂ３個の関係を含み、ある関係は、Ａ個の時間ユニットの時間ユニットセットに対応し、ある関係は、Ｚ個のＤＭＲＳグループとＺ個のＲＳセットとの間の関係を含み、Ｚは、１以上の正の整数である。
【０３０１】
ＱＣＬ参照信号のＢ２個のセットは、上記１つの信号をスケジューリングする制御シグナリングに含まれる、または、ＱＣＬ参照信号のＢ２個のセットのうちのＢ４個のセットは、上記１つの信号をスケジューリングする制御シグナリングに含まれ、ＱＣＬ参照信号のＢ２個のセットのうちのＢ５個のセットは、上位層シグナリングに含まれ、Ｂ２およびＢ３は、Ａ２以下の負でない整数である。
【０３０２】
Ａ２個の時間ユニットのうちの各時間ユニットにおける上記１つの信号と、この１つの信号をスケジューリングする制御シグナリングとの間の時間間隔は、予め定められたしきい値Ｘ１以上である、または、Ａ２個の時間ユニットは、上記１つの信号が占めるＡ個の時間ユニットである。
【０３０３】
ＴＣＩは、信号のＱＣＬ参照信号を通知するために用いられ、信号のＱＣＬパラメータは、信号のＱＣＬ参照信号に従って取得される。
【０３０４】
ＱＣＬ参照信号の１つのセットは、少なくとも１つのＲＳセットを含み、ＱＣＬ関係は、各ＲＳセットと１つのＤＭＲＳグループとの間に存在する。
【０３０５】
実施形態７
本願の実施形態は、ＱＣＬ参照信号を決定するための装置をさらに提供する。この装置は、信号決定モジュール１５２または関係充足モジュール１５４のうちの少なくとも一方を含む。
【０３０６】
信号決定モジュール１５２は、１つの信号が占める時間ユニットの数Ａが１よりも多い場合、シグナリング情報または予め定められたルールのうちの少なくとも一方に従い、上記１つの信号のＱＣＬ参照信号を決定するように構成される。
【０３０７】
関係充足モジュール１５４は、Ｎ個の信号が空間ＲｘパラメータについてＱＣＬ関係を同時に満たすことを可能にするように構成され、Ｎは２以上の正の整数である。
【０３０８】
ある実施形態において、関係充足モジュール１５４はさらに、異なるＣＣにおけるダウンリンク信号、または、データチャネル信号、制御チャネル信号、ダウンリンク測定参照信号、または復調参照信号のうちの少なくとも２つの信号を、Ｎ個の信号が含むことを可能にするように構成される。
【０３０９】
ある実施形態において、信号決定モジュール１５２はさらに、
上記１つの信号が、１つの時間ユニットの異なる時間ドメインシンボルにある場合、ＱＣＬ参照信号を変化しないままにするという動作、
上記１つの信号が、異なる時間ユニットにある場合、ＱＣＬパラメータは異なり得ると判断する動作、
上記１つの信号のＱＣＬ参照信号のＢ１個のセットとＡ個の時間ユニットとの間に対応関係があること、
上記１つの信号が位置するＡ個の時間ユニットのうちの各時間ユニットにおける上記１つの信号のＱＣＬ参照信号を、上記各時間ユニットに最も近い時間ユニットにおける予め定められた特徴を有するＣＯＲＥＳＥＴのＱＣＬ参照信号に従って取得する動作、または、
上記１つの信号が位置するＡ個の時間ユニットのうちの各時間ユニットにおいて、各時間ユニットにおける上記１つの信号のＱＣＬ参照信号を、上記各時間ユニットにおける上記１つの信号と上記１つの信号をスケジューリングする制御シグナリングとの間の時間間隔と、予め定められたしきい値Ｘ１との間の関係に従って決定する動作、
のうちの少なくとも１つを実行するように構成され、Ｂ１はＡ以下の負でない整数であり、Ｘ１は負でない数である、または、Ｘ１は時間ドメインシンボルの数を示す負でない整数である。
【０３１０】
ある実施形態において、信号決定モジュール１５２はさらに、下記の動作のうちの少なくとも１つを実行するように構成される。
【０３１１】
上記１つの信号のＱＣＬ参照信号を、Ａ個の時間ユニットのうちの第１の時間ユニットにおける上記１つの信号と、この１つの信号をスケジューリングする制御シグナリングとの間の時間間隔と、予め定められたしきい値Ｘ１との間の関係に従って決定し、上記Ａ個の時間ユニットにおける上記１つの信号のＱＣＬ参照信号は変化しないままにされる。
【０３１２】
上記１つの信号が位置するＡ１個の時間ユニットのうちの各時間ユニットにおける上記１つの信号のＱＣＬ参照信号を、上記各時間ユニットに最も近い時間ユニットにおける予め定められた特徴を有するＣＯＲＥＳＥＴのＱＣＬパラメータに従って取得し、Ａ１個の時間ユニットのうちの最後の時間ユニットにおける上記１つの信号とこの１つの信号をスケジューリングする制御シグナリングとの間の間隔は、予め定められたしきい値Ｘ１未満である。
【０３１３】
上記１つの信号が位置するＡ２個の時間ユニットにおける上記１つの信号のＱＣＬ参照信号は変化しないままにされる。
【０３１４】
上記１つの信号のＱＣＬ参照信号のＢ２個のセットと、Ａ２個の時間ユニットとの間には、対応関係がある。
【０３１５】
Ａ２個の時間ユニットにおける上記１つの信号のＱＣＬ参照信号を、第１の信号をスケジューリングする制御シグナリングにおいて通知される情報に従って決定し、Ａ２個の時間ユニットのうちの第１のユニットにおける上記１つの信号と制御シグナリングとの間の間隔は、予め定められたしきい値Ｘ１以上である。
【０３１６】
Ａ１およびＡ２は、Ａ以下の負でない整数であり、Ｂ２は、Ａ２以下の負でない整数である。
【０３１７】
ある実施形態において、信号決定モジュール１５２はさらに、以下の動作を実行するように構成される。上記１つの信号と上記１つの信号をスケジューリングする制御シグナリングとの間の時間間隔が予め定められたしきい値Ｘ１未満である場合、上記１つの信号のＱＣＬ参照信号を、上記１つの信号に最も近い時間ユニットにおける予め定められた特徴を満たす制御チャネルリソースのＱＣＬ参照信号に従って取得し、上記１つの信号とこの１つの信号をスケジューリングする制御シグナリングとの間の時間間隔は、Ａ個の時間ユニットのうちの第１のユニットにおける上記１つの信号とこの１つの信号をスケジューリングする制御シグナリングとの間の時間間隔、または、上記１つの信号が位置するＡ個の時間ユニットのうちの各時間ユニットにおける上記１つの信号とこの１つの信号をスケジューリングする制御シグナリングとの間の時間間隔、のうちの一方を含む。
【０３１８】
ある実施形態において、上記１つの信号のＱＣＬ参照信号を、上記１つの信号に最も近い時間ユニットにおける予め定められた特徴を満たす制御チャネルリソースのＱＣＬ参照信号に従って取得するステップは、以下のステップのうちの１つを含む。
【０３１９】
上記１つの信号が位置するＡ１個の時間ユニットのうちの各時間ユニットにおける上記１つの信号のＱＣＬ参照信号を、上記各時間ユニットにおける上記１つの信号に最も近い時間ユニットにおける予め定められた特徴を有する制御チャネルリソースのＱＣＬ参照信号に従って取得する。
【０３２０】
上記１つの信号が位置するＡ１個の時間ユニットのうちの各時間ユニットにおける上記１つの信号のＱＣＬ参照信号を、Ａ個の時間ユニットのうちの第１の時間ユニットにおける上記１つの信号に最も近い時間ユニットにおける予め定められた特徴を有する制御チャネルリソースのＱＣＬ参照信号に従って取得する。
【０３２１】
Ａ１個の時間ユニットは、上記１つの信号が占めるＡ個の時間ユニットである、または、Ａ１個の時間ユニットのうちの各時間ユニットにおける上記１つの信号とこの１つの信号をスケジューリングする制御シグナリングとの間の時間間隔は、予め定められたしきい値Ｘ１未満である。
【０３２２】
ある実施形態において、信号決定モジュール１５２は、下記の動作のうちの少なくとも１つを実行するように構成される。
【０３２３】
上記１つの信号のＱＣＬ参照信号のＢ２個のセットと、Ａ２個の時間ユニットとの間には対応関係がある。
【０３２４】
上記１つの信号のＱＣＬ参照信号のＢ２個のセットは、ポーリング方式でＡ２個の時間ユニットに対応する。
【０３２５】
上記１つの信号をスケジューリングする制御シグナリングは、Ｂ３個の関係を含み、ある関係は、Ａ個の時間ユニットの時間ユニットセットに対応し、ある関係は、Ｚ個のＤＭＲＳグループとＺ個のＲＳセットとの間の関係を含み、Ｚは、１以上の正の整数である。
【０３２６】
ＱＣＬ参照信号のＢ２個のセットは、上記１つの信号をスケジューリングする制御シグナリングに含まれる、または、ＱＣＬ参照信号のＢ２個のセットのうちのＢ４個のセットは、上記１つの信号をスケジューリングする制御シグナリングに含まれ、ＱＣＬ参照信号のＢ２個のセットのうちのＢ５個のセットは、上位層シグナリングに含まれる。
【０３２７】
Ｂ２およびＢ３は、Ａ２以下の負でない整数である。
Ａ２個の時間ユニットのうちの各時間ユニットにおける上記１つの信号と、この１つの信号をスケジューリングする制御シグナリングとの間の時間間隔は、予め定められたしきい値Ｘ１以上である、または、Ａ２個の時間ユニットは、上記１つの信号が占めるＡ個の時間ユニットである。
【０３２８】
本願の実施形態は、記憶媒体をさらに提供する。記憶媒体はコンピュータプログラムを格納する。コンピュータプログラムは、実行されると、上記方法の実施形態のうちのいずれか１つのステップを実行する。
【０３２９】
本願の実施形態は、メモリとプロセッサとを含む電子装置を提供する。メモリはコンピュータプログラムを格納し、プロセッサは、コンピュータプログラムを実行することにより上記方法の実施形態のうちのいずれか１つのステップを実行するように構成される。
【０３３０】
明らかに、上記本願におけるモジュールまたはステップは、汎用コンピューティングデバイスによって実現してもよく、単一のコンピューティングデバイスに集結させても、複数のコンピューティングデバイスが形成するネットワークに分散させてもよいことを、当業者は理解する。ある実施形態において、これらのモジュールまたはステップは、コンピューティングデバイスが実行可能なプログラムコードによって実現してもよい。したがって、これらのモジュールまたはステップは、記憶装置に格納されコンピューティングデバイスによって実行されてもよい。加えて、場合によっては、例示または記載されたステップが、本明細書に記載のシーケンスと異なるシーケンスで実行されてもよい。これに代えて、これらのモジュールまたはステップは、別々に集積回路モジュールにされて実現されてもよく、これらのモジュールまたはステップのうちの複数のモジュールまたはステップが、単一の集積回路モジュールにされて実現されてもよい。このように、本願は、ハードウェアとソフトウェアとの特定の組み合わせに限定されない。
【図１】
2021515473.tif 000012
【図１ａ】
2021515473.tif 000013
【図１ｂ】
2021515473.tif 000014
【図１ｃ】
2021515473.tif 000015
【図１ｄ】
2021515473.tif 000016
【図１ｅ】
2021515473.tif 000017
【図１ｆ】
2021515473.tif 000018
【図２】
2021515473.tif 000019
【図３】
2021515473.tif 000020
【図４ａ】
2021515473.tif 000021
【図４ｂ】
2021515473.tif 000022
【図４ｃ】
2021515473.tif 000023
【図４ｄ】
2021515473.tif 000024
【図４ｅ】
2021515473.tif 000025
【図４ｆ】
2021515473.tif 000026
【図５】
2021515473.tif 000027
【図６ａ】
2021515473.tif 000028
【図６ｂ】
2021515473.tif 000029
【図６ｃ】
2021515473.tif 000030
【図６ｄ】
2021515473.tif 000031
【図７ａ】
2021515473.tif 000032
【図７ｂ】
2021515473.tif 000033
【図７ｃ】
2021515473.tif 000034
【図７ｄ】
2021515473.tif 000035
【図７ｅ】
2021515473.tif 000036
【図８ａ】
2021515473.tif 000037
【図８ｂ】
2021515473.tif 000038
【図８ｃ】
2021515473.tif 000039
【図９】
2021515473.tif 000040
【図１０】
2021515473.tif 000041
【図１１】
2021515473.tif 000042
【図１２】
2021515473.tif 000043
【図１３】
2021515473.tif 000044
【図１４】
2021515473.tif 000045
【図１５】
2021515473.tif 000046
【国際調査報告】
2021515473.tif 000047
2021515473.tif 000048
2021515473.tif 000049
2021515473.tif 000050